(57)【要約】  本発明は、通過装置、バルブ、これを備える収容器具、内容物移動器具および内容物器具に関するものであって、ハウジングに設けられて、内容物を移動案内するための通過作動部を含み、通過作動部は内容物を移動させる内容物通過手段を含むことを特徴とする。本発明は、従来技術とは異なり、内容物の通過空間を確保すると共に、通過空間と受け取り空間を調節して、需要量以外の内容物が受け取られることを制限し、一定の範囲内で内容物の需要量の通過を安定して誘導し、内容物の受け取り空間を制限することに連動して必要以上の内容物が残留することを防止することによって、受け取る内容物の量（個数）を調節することができる。【選択図】図２
2019509220.tif 000002
【特許請求の範囲】
【請求項１】
開放部を有する、内容物の移動を案内するための通過作動部を備え、
前記通過作動部は、内容物が移動するようにする内容物通過手段を含み、
前記内容物通過手段は、運動による開放によって内容物が通過するようにする通過運動部を含み、
前記通過運動部は、前記開放部にシーソー運動可能に設けられる、
ことを特徴とする通過装置。
【請求項２】
前記通過作動部は、前記シーソー運動によって、前記通過作動部が設定角度以内で傾いた場合、初期状態を維持して開放部を開放しない、
ことを特徴とする請求項１に記載の通過装置。
【請求項３】
前記設定角度は、前記開放部を形成した内容物移動器具が立てられた初期状態から１８０度を超過しない傾き角度である、
ことを特徴とする請求項２に記載の通過装置。
【請求項４】
前記通過運動部は、前記開放部を形成した内容物移動器具が設定角度以内で傾いた場合、傾く方向の反対側への重さ偏重により開放部材が前記開放部を閉鎖する状態を維持する、
ことを特徴とする請求項２に記載の通過装置。
【請求項５】
前記通過運動部は、回転中心である運動部材を基準として左側または右側にテコの重さ偏重現象によってシーソー運動をする、
ことを特徴とする請求項１に記載の通過装置。
【請求項６】
前記通過運動部は、前記開放部を形成した内容物移動器具が傾いた待機状態で、回転中心である運動部材を基準として閉鎖部材側に重さが偏り、前記閉鎖部材がストッパーに係止されることによって前記閉鎖部材が前記開放部を閉鎖せずに開放する状態を維持する、
ことを特徴とする請求項１に記載の通過装置。
【請求項７】
前記内容物が前記通過運動部を押圧する力、または前記内容物が前記通過運動部を押圧する力と前記通過運動部の自重とによって、前記開放部を開放して内容物が設定量だけ通過案内される、
ことを特徴とする請求項１に記載の通過装置。
【請求項８】
前記通過運動部は、前記開放部を形成した内容物移動器具が傾いた場合、前記開放部側に流入する内容物の重さが加重されて回転中心である運動部材を基準として回動しながら前記開放部を開放する、
ことを特徴とする請求項１に記載の通過装置。
【請求項９】
前記通過作動部が結合される器具本体を含む、
ことを特徴とする請求項１に記載の通過装置。
【請求項１０】
前記通過運動部は、内容物の通過方向に運動して内容物の通過空間を形成する開放部材を含む、
ことを特徴とする請求項１に記載の通過装置。
【請求項１１】
前記通過運動部は、前記開放部材に連動して、前記内容物が通過できないか部分的にのみ通過するように前記開放部の少なくとも一部を閉鎖する閉鎖部材を含む、
ことを特徴とする請求項１０に記載の通過装置。
【請求項１２】
前記通過運動部は、前記通過作動部の設定角度以内での回動時に前記内容物が接触しない場合、ストッパーによって初期状態を維持する、
ことを特徴とする請求項２または請求項１０に記載の通過装置。
【請求項１３】
前記閉鎖部材が前記開放部を開放した状態で、
単数または複数の設定量の内容物が前記閉鎖部材と前記開放部材との間に進入した時に前記通過運動部に自重を付加して、前記通過運動部が回転する、
ことを特徴とする請求項１１に記載の通過装置。
【請求項１４】
前記通過運動部は、前記開放部材と前記閉鎖部材との間の底部材に接触した前記内容物との摩擦、または前記内容物による前記開放部材の押圧力によって、前記内容物と共に移動する、
ことを特徴とする請求項１１または請求項１３に記載の通過装置。
【請求項１５】
前記通過作動部は、センサモジュールによって排出される内容物を感知する、
ことを特徴とする請求項１に記載の通過装置。
【請求項１６】
前記センサモジュールは、
前記開放部を通過するかまたは前記開放部に近接する前記内容物を感知するセンサ部と、
前記センサ部を制御して前記内容物を感知し、感知結果に服薬状態情報を生成してから服薬案内端末に伝達するセンシング制御部と、を含む、
ことを特徴とする請求項１５に記載の通過装置。
【請求項１７】
前記センシング制御部は、前記センサ部を通じて前記開放部側に光を放出し、前記開放部を通じて吐出される内容物によって反射した光に基づいて内容物を感知する、
ことを特徴とする請求項１６に記載の通過装置。
【請求項１８】
前記センシング制御部は、前記センサ部を通じて光が放出された時刻と受光した時刻の時間差とを利用して、前記開放部を通じて内容物を感知する、
ことを特徴とする請求項１７に記載の通過装置。
【請求項１９】
前記センシング制御部は、前記時間差が予め設定された設定値以内であれば内容物が前記開放部を通過したと判断する、
ことを特徴とする請求項１８に記載の通過装置。
【請求項２０】
開放部を有する、内容物の移動を案内するための通過作動部を備え、
前記通過作動部は、内容物が移動するようにする内容物通過手段を含み、
前記内容物通過手段は、回動運動による開放によって内容物が通過するようにする通過運動部を含み、
前記通過運動部は、運動部材を基準として前記開放部でテコの原理を利用して往復回動しながら前記開放部を開閉する、
ことを特徴とする通過装置。
【請求項２１】
前記通過運動部は、前記通過作動部の設定角度以内での回動時に、自重によって前記開放部を閉鎖した状態を維持し、内容物の押圧力、または前記内容物が前記通過運動部を押圧する力と前記通過運動部の自重とによって、前記開放部を順に開閉し、前記内容物を設定量だけ通過案内する、
ことを特徴とする請求項２０に記載の通過装置。
【請求項２２】
前記通過運動部は、前記通過作動部が傾いた場合、前記通過運動部の自重によって前記通過作動部の傾きを超過して傾くことを抑制する平衡部を含む、
ことを特徴とする請求項２０または請求項２１に記載の通過装置。
【請求項２３】
前記通過運動部は、内容物の通過方向に運動して内容物の通過空間を形成する開放部材を含む、
ことを特徴とする請求項２０に記載の通過装置。
【請求項２４】
前記通過運動部は、前記開放部材に連動して、前記内容物が通過できないか部分的にのみ通過するように前記開放部の少なくとも一部を閉鎖する閉鎖部材を含む、
ことを特徴とする請求項２３に記載の通過装置。
【請求項２５】
設定量の内容物が前記開放部材に接触する前までは、重さ平衡によって前記通過運動部の自重による回動が発生しないように前記通過作動部の形状が備えられる、
ことを特徴とする請求項２１に記載の通過装置。
【請求項２６】
前記通過運動部は、テコ運動の重心平衡の設定のための運動制御部材をさらに含む、
ことを特徴とする請求項２０に記載の通過装置。
【請求項２７】
内容物を貯蔵するハウジングと、
前記ハウジングの内側に設けられて内容物を移動案内するための通過作動部と、
前記通過作動部の吐出側に移動する前記内容物が一つまたは定量吐出案内されるように、前記内容物の移動方向と移動状態を設定するために前記ハウジングに形成される供給案内部とを含む、
ことを特徴とする通過装置。
【請求項２８】
前記通過作動部は、内容物が移動するようにする内容物通過手段を含み、
前記内容物通過手段は、運動による開放によって内容物が通過されるようにする通過運動部を含み、
前記通過運動部は、内容物の通過方向に運動して内容物の通過空間を形成する開放部材と、前記開放部材に連動して前記内容物が通過できないか部分的にのみ通過するように開放部の少なくとも一部を閉鎖する閉鎖部材とを含み、
前記閉鎖部材は前記開放部材に連動して前記開放部を少なくとも一部閉鎖することにより、定量を超過する内容物が前記開放部を通過することを防止する、
ことを特徴とする請求項２７に記載の通過装置。
【請求項２９】
前記通過作動部は、内容物を通過させるために前記開放部を形成する固定部材と、内容物が前記内容物通過手段側に流入して案内されるようにする移動案内部とを含み、
前記ハウジングは、前記固定部材を備え、前記内容物が前記移動案内部側に移動案内されるように形成される縮径部と、前記内容物を初期に設定量だけ貯蔵可能であるように前記縮径部より内部空間が大きな拡径部とを含む、
ことを特徴とする請求項２８に記載の通過装置。
【請求項３０】
前記通過作動部は、内容物を通過させるために前記開放部を形成する固定部材と、内容物が前記内容物通過手段側に流入して案内されるようにする移動案内部とを含み、
前記ハウジングは、前記固定部材を備え、前記供給案内部を通じて前記内容物が前記移動案内部側に移動案内される、
ことを特徴とする請求項２８に記載の通過装置。
【請求項３１】
前記通過作動部は、内容物を通過させるために前記開放部を形成する固定部材と、内容物が前記内容物通過手段側に流入して案内されるようにする移動案内部とを含み、
前記ハウジングは、前記固定部材を備え、前記内容物が前記移動案内部側に移動案内されるように形成される拡径部を含む、
ことを特徴とする請求項２８に記載の通過装置。
【請求項３２】
前記供給案内部は前記ハウジングで円周軌跡に沿って内側に膨らんで曲率を有するように形成される、
ことを特徴とする請求項２７に記載の通過装置。
【請求項３３】
前記ハウジングは、前記拡径部の前記移動案内部側に前記内容物を移動案内するように形成される縮径部を含み、
前記供給案内部は、前記拡径部または前記縮径部に形成されて前記内容物の移動を案内する、
ことを特徴とする請求項２７に記載の通過装置。
【請求項３４】
内容物を通過誘導する通過装置であって、
内容物を通過させる通過作動部を含み、
前記通過作動部は、内容物が移動するようにする内容物通過手段を含む、
ことを特徴とするバルブ。
【請求項３５】
内容物を入れる内容物移動器具に設けられて内容物を通過誘導する通過装置と、少なくとも一側に開放されるハウジングを含み、前記通過装置は内容物を通過させるための通過作動部とを含み、
前記通過作動部は、内容物が移動するようにする内容物通過手段を含む、
ことを特徴とする内容物移動器具。
【請求項３６】
内容物を入れる収容器具に設けられて、内容物を通過誘導する通過装置と、少なくとも一側に開放されるハウジングを含み、前記通過装置は内容物を通過させるための通過作動部とを含み、
前記通過作動部は、内容物が移動するようにする内容物通過手段を含む、
ことを特徴とする収容器具。
【請求項３７】
内容物を含み、内容物を通過誘導する通過装置と、
少なくとも一側に開放されるハウジングと、を含み、
前記通過装置は、内容物を通過させるための通過作動部を含み、
前記通過作動部は、内容物が移動するようにする内容物通過手段を含む、
ことを特徴とする内容物器具。
【発明の詳細な説明】
【技術分野】
【０００１】
本発明は、通過装置、バルブ、これを備える収容器具、内容物移動器具および内容物器具に関するものであって、さらに詳細には、通過空間を可変させて内容物の通過空間を確保することによって一定の範囲内で内容物の通過を安定して誘導し、内容物の通過空間の確保に連動して通過空間と受け取り空間を調節して、需要量以外の内容物が通過または受け取られることを制限するための通過装置、バルブ、これを備える収容器具、内容物移動器具および内容物器具に関するものである。
【背景技術】
【０００２】
一般に、消化剤、ビタミン剤、菓子類などの医薬品、健康補助食品および食品類は固形物、粉末または液状の内容物であって、工具および器具などは固形物の内容物（以下、「内容物」という）の形態で製造される。
【０００３】
医薬品および食品類の内容物は、その効能が最大限発揮され得るようにすることはもちろん過用や中毒を防ぐために、定量または必要量を服用する。
【０００４】
このような内容物は、所定の保管容器に収容させた状態で販売されるのであるが、従来の内容物保管容器は、多数の内容物が収容される容器本体と、この容器本体の投入口に開閉可能に結合されるキャップを含む構造を有する。
【０００５】
したがって、内容物の服用や摂取のためには、容器本体からキャップを開放させた後に容器本体内に収容された内容物を手の平または容器の蓋上に引き出して服用する。
【０００６】
前記した技術構成は、本発明の理解を助けるための背景技術であって、本発明が属する技術分野において広く知られた従来技術を意味するものではない。
【０００７】
定量排出容器については韓国公開特許第１０−２０１２−００９６７９８号公報（発明の名称：錠剤定量排出キャップ）に提案されている。
【発明の概要】
【発明が解決しようとする課題】
【０００８】
このような定量排出容器は、ユーザーが内容物の取得のために毎度容器器具のような収容器具を傾けて内容物を取り出す場合、内容物が一度にどっとこぼれ出るため、内容物を一つずつまたは必要な需要量だけ取り出すことが難しい不都合な点がある。
【０００９】
収容器具内の内容物の残留量が少ない時は、収容器具の下部に位置した内容物を引き出すために収容器具を集中して傾けるなど、使用が煩雑であり、また引き出される内容物が収容器具の内部の下部にある時、内容物を手で把持し難い問題点がある。
【００１０】
したがって、最近収容器具内で内容物を個別に引き出すことができるようにした収容器具が提示されているものの、現在考案されて使用中の、収容器具の内部に内容物を支持する芯台があり、収容器具本体が上下に移動して芯台によって内容物の一部が収容器具の上部の通過口に取り出されるようにするポンプ式収容器具は、蓋部分を含む収容器具本体の全体を、できるだけ上向き移動させてから再び下向き移動させなければならないため、作動のための操作距離が大きく、内容物の全部を持ち上げてから下ろさなければならないなどの問題点がある。
【００１１】
併せて、このような収容器具には各種飲食物、薬品または物品などが入っている状態で提供されており、通常の収容器具に提供される開閉器具は開閉のための機能の他に特別な機能はない。また、一定量の内容物を取得するために開閉器具を解放してから使用するため、やむを得ず収容器具の内部の内容物全体が容易に露出して汚染物質が浸透したり空気と接触して容易に酸化される問題点がある。
【００１２】
また、定量の内容物のみを取得するために、指を収容器具内に入れて内容物を把持したり、収容器具を傾けて一部の内容物を手の平に取り出してから再び残った内容物を収容器具内に収納するため、内容物が容易に外部の汚染に露出するなどの問題点がある。
【００１３】
しかも、従来は収容器具から吐出される内容物の量を正確に感知することができなかったため、正確な服薬管理が難しかったのが実情であった。
【００１４】
そして、従来、内容物が入っている容器に含まれた通過手段、特に、通過手段に含まれた開閉部材の回動による開閉で定量の内容物のみを通過させる装置が開示されているが、従来技術によると、立っている容器を地面に向けて傾ける場合、開閉部材の自重によってのみ回動するため容器が傾き角度による開閉部材の回動の調節が難しく、このため、ユーザーが容器から定量の内容物を吐出させるために容器を傾けたり立てたりすることを何度も繰り返さなければならない問題点がある。
【００１５】
したがって、これを改善する必要性が求められる。
【００１６】
本発明は、前記のような問題点を改善するために案出されたものであって、通過空間を可変させて内容物の通過空間を確保することによって内容物の定量通過を安定して誘導する通過装置、バルブ、これを備える収容器具、内容物移動器具および内容物器具を提供することにその目的がある。
【００１７】
本発明は、内容物の通過空間を確保し、内容物の定量通過に連動して通過空間を内容物が通過できない程度に閉鎖してそれ以上の内容物が通過することを防止するための通過装置、バルブ、これを備える収容器具、内容物移動器具および内容物器具を提供することにその目的がある。
【００１８】
本発明は、ユーザーが収容器具または内容物移動器具を傾けて内容物を取り出す場合、内容物が一度にこぼれ出ることを防止するようにする通過装置、バルブ、これを備える収容器具、内容物移動器具および内容物器具を提供することにその目的がある。
【００１９】
本発明は、収容器具または内容物移動器具で固形物、粉末または液状の内容物を定量または需要量排出しつつ収容器具または内容物移動器具の内容物通過側を開放する内容物通過手段を備えることによって、内容物の定量通過を安定して誘導しようとする通過装置、バルブ、これを備える収容器具、内容物移動器具および内容物器具を提供することにその目的がある。
【００２０】
本発明は、収容器具または内容物移動器具の内容物通過側を開放する内容物通過手段の運動角度を制限することによって、開閉反応の応答性を向上させるための通過装置、バルブ、これを備える収容器具、内容物移動器具および内容物器具を提供することにその目的がある。
【００２１】
本発明は、ストッパーが開放部材の開放時に開放角度を制限するために、開放部材に連結された通過運動部の運動角度を制限する通過装置、バルブ、これを備える収容器具、内容物移動器具および内容物器具を提供することにその目的がある。
【００２２】
本発明は、通過通路部が内容物の進入側と排出側間に延長形成されて、内容物を通過運動部に移動案内し、通過運動部に移動する内容物の移動量を制限する通過装置、バルブ、これを備える収容器具、内容物移動器具および内容物器具を提供することにその目的がある。
【００２３】
本発明は、両側に開放される内容物移動器具に設けられるバルブを提供して、回動による開放で内容物を内容物移動器具の一側に通過誘導するバルブを提供することにその目的がある。
【００２４】
本発明は、内容物通過手段とは別途備えられる待機収納部が、内容物通過手段を通過した内容物が待機収納空間に必要以上流入することを防止して、待機収納部に残留する内容物がユーザーが必要とする需要量になるようにする通過装置、バルブ、これを備える収容器具、内容物移動器具および内容物器具を提供することにその目的がある。
【００２５】
本発明は、通過空間を可変させて内容物の通過空間を確保し、通過した内容物を受け取る段階で必要以上の内容物の流入を遮断して内容物の需要量の受け取りを安定して誘導することができ、内容物の通過受け取り量を調節する通過装置、バルブ、これを備える収容器具、内容物移動器具および内容物器具を提供することにその目的がある。
【００２６】
本発明は、収容器具の開閉器具に内容物待機収納部を提供することによって、固形、粉末または液状などの内容物を別途収納して保管および使用できるようにする通過装置、バルブ、これを備える収容器具、内容物移動器具および内容物器具を提供することにその目的がある。
【００２７】
本発明は、内容物を通過させる作動をするだけで、ユーザーが需要量の内容物をユーザーの手や他の受け取り器具にすぐに入れることができるようにする通過装置、バルブ、これを備える収容器具、内容物移動器具および内容物器具を提供することにその目的がある。
【００２８】
本発明は、長方形の錠剤のような薬品を保管する一般的な収容器具のように、開口部が狭くてユーザーが指で内容物である錠剤を把持するために二本の指を入れることができる空間がない場合、収容器具を傾けたり振ったりする動作で需要量の内容物だけを効果的に得ることができる通過装置、バルブ、これを備える収容器具、内容物移動器具および内容物器具を提供することにその目的がある。
【００２９】
本発明は、医薬品、健康補助食品および食品類と工具、器具などの多様な固形物、粉末または液状の内容物に適用され得る通過装置、バルブ、これを備える収容器具、内容物移動器具および内容物器具を提供することにその目的がある。
【００３０】
本発明は、吐出される薬品の個数を正確に感知し、これに基づいてユーザーの定量服薬ができるように管理する服薬管理装置を提供することにその目的がある。
【００３１】
本発明は、ユーザーの服薬状態をモニタリングしてユーザーが服薬スケジュールに沿って正確に服薬できるように誘導する服薬管理装置を提供することにその目的がある。
【課題を解決するための手段】
【００３２】
本発明に係る通過装置は、開放部を有する、内容物を移動案内するための通過作動部を備え、前記通過作動部は、内容物が移動するようにする内容物通過手段を含み、前記内容物通過手段は、運動による開放によって内容物が通過されるようにする通過運動部を含み、前記通過運動部は、前記開放部にシーソー運動可能に設けられ得る。
【００３３】
前記通過作動部は、前記シーソー運動によって、前記通過作動部が設定角度以内で傾いた時に初期状態を維持して開放部を開放しないようにすることができる。
【００３４】
前記内容物が前記通過運動部を押圧する力、または前記内容物が前記通過運動部を押圧する力と前記通過運動部の自重とによって、開放部を開放しながら設定量だけ通過案内され得る。
【００３５】
前記設定角度は、前記開放部を形成した内容物移動器具が立てられた初期状態から１８０度を超過しない傾き角度であり得る。
【００３６】
前記通過運動部は、回転中心である運動部材を基準として左側または右側に重さ偏り現象によってシーソー運動をすることができる。
【００３７】
前記通過運動部は、前記開放部を形成した内容物移動器具が傾いた待機状態で、回転中心である運動部材を基準として閉鎖部材側に重さが偏り、前記閉鎖部材がストッパーに係止されることによって前記閉鎖部材が前記開放部を閉鎖せずに開放する状態を維持することができる。
【００３８】
前記通過運動部は、前記開放部を形成した内容物移動器具が設定角度以内で傾いた場合、傾く方向の反対側への重さ偏重により前記開放部材が前記開放部を閉鎖する状態を維持することができる。
【００３９】
前記通過運動部は、前記開放部を形成した内容物移動器具が傾く場合、前記開放部側に流入する内容物の重さが加重されて回転中心である運動部材を基準として回動しながら前記開放部を開放することができる。
【００４０】
前記通過作動部が結合される器具本体を含むことができる。
【００４１】
前記通過運動部は、内容物の通過方向に運動して内容物の通過空間を形成する開放部材を含むことができる。
【００４２】
前記通過運動部は、前記開放部材に連動して、前記内容物が通過できないか部分的にのみ通過するように前記開放部の少なくとも一部を閉鎖する閉鎖部材を含むことができる。
【００４３】
前記通過運動部は、前記通過作動部の設定角度以内での回動時に前記内容物が接触しない場合、ストッパーによって初期状態を維持することができる。
【００４４】
前記閉鎖部材が前記開放部を開放した状態で、単数または複数の設定量の前記内容物が前記閉鎖部材と前記開放部材との間に進入時に前記通過運動部に自重を付加して、前記通過運動部が回転することができる。
【００４５】
前記通過運動部は、前記開放部材と前記閉鎖部材との間の底部材に接触した前記内容物との摩擦または前記内容物による前記開放部材の押圧力によって前記内容物と共に移動され得る。
【００４６】
前記通過作動部は、センサモジュールによって排出される内容物を感知することができる。
【００４７】
前記センサモジュールは、前記開放部を通過するかまたは前記開放部に近接する前記内容物を感知するセンサ部と、前記センサ部を制御して前記内容物を感知し、感知結果に服薬状態情報を生成してから服薬案内端末に伝達するセンシング制御部と、を含むことができる。
【００４８】
前記センシング制御部は、前記センサ部を通じて前記開放部側に光を放出し、前記開放部を通じて吐出される内容物によって反射した光に基づいて内容物を感知することができる。
【００４９】
前記センシング制御部は、前記センサ部を通じて光が放出された時刻と受光した時刻の時間差とを利用して、前記開放部を通じて内容物を感知することができる。
【００５０】
前記センシング制御部は、前記時間差が予め設定された設定値以内であれば内容物が前記開放部を通過したと判断することができる。
【００５１】
本発明に係る通過装置は、開放部を有する、内容物を移動案内するための通過作動部を備え、前記通過作動部は、内容物が移動するようにする内容物通過手段を含み、前記内容物通過手段は、回動運動による開放によって内容物が通過するようにする通過運動部を含み、前記通過運動部は、運動部材を基準として前記開放部でテコの原理を利用して往復回動しながら前記開放部を開閉することができる。
【００５２】
前記通過運動部は、前記通過作動部の設定角度以内での回動時に、自重によって前記開放部を閉鎖した状態を維持し、内容物の押圧力または前記内容物が前記通過運動部を押圧する力と前記通過運動部の自重とによって前記開放部を順に開閉し、前記内容物を設定量だけ通過案内することができる。
【００５３】
前記通過運動部は、前記通過作動部が傾いた場合、前記通過運動部の自重によって前記通過作動部の傾きを超過して傾くことを抑制する平衡部を含むことができる。
【００５４】
前記通過運動部は、内容物の通過方向に運動して内容物の通過空間を形成する開放部材を含むことができる。
【００５５】
前記通過運動部は、前記開放部材に連動して、前記内容物が通過できないか部分的にのみ通過するように前記開放部の少なくとも一部を閉鎖する閉鎖部材を含むことができる。
【００５６】
設定量の内容物が前記開放部材に接触する前までは、重さ平衡によって前記通過運動部の自重による回動が発生しないように前記通過作動部の形状が備えられ得る。
【００５７】
前記通過運動部は、テコ運動の重心平衡の設定のための運動制御部材をさらに含むことができる。
【００５８】
本発明に係る通過装置は、内容物を貯蔵するハウジングと、前記ハウジングの内側に設けられて内容物を移動案内するための通過作動部と、前記通過作動部の吐出側に移動する前記内容物が一つまたは定量吐出案内されるように、前記内容物の移動方向と移動状態を設定するために前記ハウジングに形成される供給案内部とを含むことができる。
【００５９】
前記通過作動部は、内容物が移動するようにする内容物通過手段を含み、前記内容物通過手段は、運動による開放によって内容物が通過されるようにする通過運動部を含み、前記通過運動部は、内容物の通過方向に運動して内容物の通過空間を形成する開放部材と、前記開放部材に連動して前記内容物が通過できないか部分的にのみ通過するように開放部の少なくとも一部を閉鎖する閉鎖部材とを含み、前記閉鎖部材は前記開放部材に連動して前記開放部を少なくとも一部閉鎖することにより、定量を超過する内容物が前記開放部を通過することを防止することができる。
【００６０】
前記通過作動部は、内容物を通過させるために前記開放部を形成する固定部材と、内容物が前記内容物通過手段側に流入して案内されるようにする移動案内部とを含み、前記ハウジングは、前記固定部材を備え、前記内容物が前記移動案内部側に移動案内されるように形成される縮径部と、前記内容物を初期に設定量だけ貯蔵可能であるように前記縮径部より内部空間が大きな拡径部とを含むことができる。
【００６１】
前記通過作動部は、内容物を通過させるために前記開放部を形成する固定部材と、内容物が前記内容物通過手段側に流入して案内されるようにする移動案内部とを含み、前記ハウジングは、前記固定部材を備え、前記供給案内部を通じて前記内容物を前記移動案内部側に移動案内することができる。
【００６２】
前記通過作動部は、内容物を通過させるために前記開放部を形成する固定部材と、内容物が前記内容物通過手段側に流入して案内されるようにする移動案内部とを含み、前記ハウジングは、前記固定部材を備え、前記内容物が前記移動案内部側に移動案内されるように形成される拡径部を含むことができる。
【００６３】
前記供給案内部は、前記ハウジングで円周の軌跡に沿って内側に膨らんで曲率を有するように形成され得る。
【００６４】
前記ハウジングは、前記拡径部の前記移動案内部側に前記内容物を移動案内するように形成される縮径部を含み、前記供給案内部は、前記拡径部または前記縮径部に形成されて前記内容物の移動を案内することができる。
【００６５】
本発明に係る通過装置は、内容物を貯蔵するハウジングと、前記ハウジングの内側に設けられて内容物を移動案内するための通過作動部と、前記通過作動部の吐出側に移動する前記内容物が一つまたは定量吐出案内されるように、前記内容物の移動方向と移動状態を設定するために前記ハウジングに形成される供給案内部とを含む。
【００６６】
前記通過作動部は、内容物が移動するようにする内容物通過手段を含み、前記内容物通過手段は、運動による開放によって内容物が通過されるようにする通過運動部を含み、前記通過運動部は内容物の通過方向に運動して内容物の通過空間を形成する開放部材と、前記開放部材に連動して前記内容物が通過できないか部分的にのみ通過するように開放部の少なくとも一部を閉鎖する閉鎖部材とを含み、前記閉鎖部材は前記開放部材に連動して前記開放部を少なくとも一部閉鎖することにより、定量を超過する内容物が前記開放部を通過することを防止することができる。
【００６７】
前記通過作動部は、内容物を通過させるために前記開放部を形成する固定部材と、内容物が前記内容物通過手段側に流入して案内されるようにする移動案内部とを含む。
【００６８】
前記ハウジングは、前記固定部材を備え、前記内容物が前記移動案内部側に移動案内されるように形成される縮径部を含む。
【００６９】
前記通過作動部は、内容物を通過させるために前記開放部を形成する固定部材と内容物が前記内容物通過手段側に流入して案内されるようにする移動案内部とを含む。
【００７０】
前記ハウジングは、前記拡径部の前記移動案内部側に前記内容物を移動案内するように形成される縮径部を含む。
【００７１】
前記供給案内部は、前記拡径部または前記縮径部に形成されて前記内容物の移動を案内することができる。
【００７２】
前記通過作動部は、内容物を通過させるために前記開放部を形成する固定部材と、内容物が前記内容物通過手段側に流入して案内されるようにする移動案内部とを含む。
【００７３】
前記ハウジングは、前記固定部材を備え、前記移動案内部を通じて前記縮径部で延長され、前記内容物が前記移動案内部側に移動案内されるように形成される拡径部と、前記拡径部の前記移動案内部側に前記内容物を移動案内するように前記供給案内部を形成するために前記拡径部で延びる縮径部とを含む。
【００７４】
前記供給案内部は、前記ハウジングで円周の軌跡に沿って内側に膨らんで曲率を有するように形成され得る。
【００７５】
前記供給案内部は、前記移動案内部の端部を、前記内容物の移動案内のために同一高さとなるように支持され得る。
【００７６】
前記内容物通過手段の変形によって内容物を通過誘導することができる。
【００７７】
前記通過作動部は、内容物が前記通過作動部を通過する前に位置する通過以前部と通じる開放部が形成されて、前記通過以前部の内容物が移動するものの、前記内容物通過手段は、前記開放部を通じて内容物を移動させることができる。
【００７８】
前記通過装置は、内容物移動器具または収容器具に適用されて、内容物移動器具または収容器具本体から開閉可能な開閉器具であって、前記開閉器具は開閉器具本体と前記通過作動部を含み、前記通過作動部は、内容物移動器具本体または収容器具本体の通過以前部の内容物が前記開閉器具に移動するように前記通過以前部と前記開閉器具が少なくとも一部通じるようにすることができる。
【００７９】
前記通過作動部は、前記内容物通過手段の変形によって前記通過以前部の内容物が前記開閉器具に移動することができる。
【００８０】
前記通過運動部は運動部材を含み、前記運動部材は前記開放部材を運動可能に連結することができる。
【００８１】
前記通過作動部は、内容物が前記内容物通過手段に接触する側である通過排出側から内容物が進入する側である通過進入側に延長形成される通過通路部を含み、前記通過通路部は前記内容物を前記内容物通過手段に移動案内することができる。
【００８２】
前記通過運動部は、内容物が前記通過装置方向に滑る方向に前記通過作動部が傾く場合、前記通過作動部が傾く方向の反対方向に重さ偏り力が作用して、内容物が前記通過運動部を接触する前に前記通過運動部が、前記開放部材の自重によって前記通過作動部が傾く方向に傾くことを抑制する平衡部を含む。
【００８３】
前記開放部を通じて、前記開放部材が運動して形成される通過空間の開放有無により前記内容物を通過案内し、前記開放部材は前記固定部材に直接的または間接的に連結され得る。
【００８４】
前記内容物通過手段は運動部材を含み、前記運動部材は前記開放部材を回動運動可能に連結することができる。
【００８５】
前記通過作動部は、内容物を通過させるために前記開放部を備える固定部材を含む。
【００８６】
前記内容物通過手段は、前記固定部材と連結される開放部材を含み、前記開放部材が運動して前記開放部の開放有無により前記内容物を受け取り案内することができる。
【００８７】
前記内容物通過手段は、前記開放部材を運動可能に連結する運動部材を含む。
【００８８】
前記内容物通過手段の変形によって前記通過以前部の内容物が前記開閉器具に移動または前記開閉器具を通じて移動することができる。
【００８９】
前記内容物通過手段は、運動による開放によって内容物が通過されるようにする通過運動部を含む。
【００９０】
前記通過運動部は、内容物の通過方向に運動して内容物の通過空間を形成する開放部材を含む。
【００９１】
前記通過作動部は開放部を有し、かつ前記開放部が一定の高さで立ち上がるように形成され得る。
【００９２】
前記内容物の通過空間は、前記開放部材の固定されていない自由端が内容物の重さによる押圧、前記通過作動部を備えるハウジングの揺れ、前記開放部材の自重のうち少なくとも一つによって運動されることにより形成され得る。
【００９３】
前記開放部材は、前記固定部材の方向に、一側は固定され、他側は固定されていないため運動によって開放されるものの、前記内容物の離脱を防止し、前記開放部に通過空間を形成することができる。
【００９４】
前記固定部材は、前記開放部材が連結される前記通過装置の内部通孔空間の内周面に設けられるか、または前記通過装置が含むハウジングの部材であり得る。
【００９５】
前記開放部材は単数または複数個で構成され得る。
【００９６】
内容物が前記開放部材を押圧する時、前記内容物は前記開放部材の反りによって流入し、前記閉鎖部材は前記開放部材に連動して前記開放部の少なくとも一部を閉鎖することによって、需要量を超過する内容物が前記開放部を通過することを防止することができる。
【００９７】
前記通過作動部が傾く場合、需要量の内容物が開放部材に接触する前に前記通過運動部の自重によって回転がなされないように、前記通過運動部の形状が備えられるか前記通過運動部の構成部材が結合されて、前記平衡部の重さまたは重心が形成され得る。
【００９８】
前記内容物通過手段は、前記固定部材の開放部側に設けられて、前記運動部材を前記固定部材に回動運動可能に連結する運動固定部を含む。
【００９９】
前記内容物通過手段は前記通過作動部に設けられて、需要に該当する内容物を通過案内するための通過手段であり得る。
【０１００】
前記内容物通過手段は、前記開放部材または前記閉鎖部材の回転角度を制限するためにストッパーを備えることができる。
【０１０１】
前記通過作動部が傾いて前記開放部材の自重によって回転がなされようとする場合、前記通過運動部の重さ平衡力の作用によって前記開放部材の回転が抑止されて、前記内容物の需要量が前記開放部を通過する前に前記閉鎖部材が前記内容物の通過を妨げないことができる。
【０１０２】
前記通過作動部が傾いて前記開放部材の自重によって回転がなされようとする場合、前記開放部材と前記運動部材の、重さと重心の位置によって前記開放部材の回転が抑止されて、前記内容物の需要量が通過する前に前記内容物の通過を妨げないことができる。
【０１０３】
前記通過作動部は、内容物が前記内容物通過手段側に流入して案内されるようにする移動案内部を備えることができる。
【０１０４】
前記開放部材は、固定されていない自由端の移動を通じて前記開放部を開放させることによって、前記内容物が通過されるように通過空間を形成することができる。
【０１０５】
前記通過運動部は、内容物の通過方向に運動して内容物が前記通過作動部を通過するようにする開放部材を含む。
【０１０６】
前記通過作動部は、前記通過以前部から移動した内容物の受け取り需要量が前記通過以前部に移動しないようにすることができる。
【０１０７】
前記通過運動部の運動角度は、前記内容物通過手段とハウジングまたはカバーのうち少なくともいずれか一つに設けられる単数または複数個のストッパーによって制限され得る。
【０１０８】
前記通過以前部は内容物を保管し、内容物を引き出し待機するための待機収納部を含み、前記通過作動部に形成される前記開放部を通じて前記通過以前部と前記待機収納部とが一部通じるようになり、前記開放部を通じて前記通過以前部の内容物が前記待機収納部に移動することができる。
【０１０９】
前記運動部材は、前記開放部材と一体であるか、前記開放部材と分離可能に設けられ得る。
【０１１０】
前記運動部材は前記運動固定部に連結されて、自重方向と内容物の押圧方向に運動されようとする前記開放部材をヒンジ連結することができる。
【０１１１】
前記開放部材は、前記固定部材の方向に、一側は固定され、他側は固定されていないため運動によって前記開放部を開閉することができる。
【０１１２】
前記通過運動部は、前記通過運動部の重心平衡力の作用による前記通過運動部の運動制御のために運動制御部材をさらに含む。
【０１１３】
前記通過作動部を備えるハウジングに連結されて、前記通過装置を通じて受け取られる内容物を受け取るカバーを含み、前記カバーは前記ハウジングに分離可能に結合され得る。
【０１１４】
内容物が前記通過作動部側に流入して案内されるようにする移動案内部を備えることができる。
【０１１５】
前記運動制御部材は、前記通過作動部が傾く場合、前記平衡部の平衡状態となるための方向に作用する力によって前記平衡部が前記通過作動部が傾く方向に回転運動が起きるか減るように抑制し、前記開放部材と前記運動制御部材の重さまたは前記開放部材、前記運動制御部材および前記開放部材と共に運動する少なくとも一つ以上の別途部材の重さによって、前記平衡部の重さ平衡をなす重力方向の重心位置を維持しようとする力が発生して、前記開放部材が通過作動部の傾きを超過する傾きに傾かないことができる。
【０１１６】
前記待機収納部は、通過した内容物に接して通過方向に対して側面から抵抗する抵抗側板部材を含む。
【０１１７】
前記通過通路部は、前記通過通路部を通過する個々の内容物の一側端部の長さが他側端部の長さと異なる場合、前記通過通路部の内部空間幅のうち最小長さ内径である通路幅最小内径が、個々の内容物の短方向のうち最大外径の長さである内容物の短方向の最大外径の二倍より小さいか同じであるため、二個以上の個々の内容物が前記通過通路部に同時に進入または通過できず、一度に一個の内容物だけが前記通過通路部に進入または通過可能であり得る。
【０１１８】
前記通過通路部は、前記通過通路部を通過する個々の内容物の一側端部の長さが他側端部の長さと異なる場合、前記内容物が内容物の長方向の長さ方向に前記通過通路部を通過するようにガイドすることができる。
【０１１９】
前記内容物通過手段は、内容物の通過方向に運動して内容物の通過空間を形成する開放部材を含み、前記開放部材に連動して開放された前記開放部を少なくとも一部閉じる閉鎖部材を含み、前記一個の内容物が前記通過通路部を前方通過時、他の個々の内容物が前記前方通過内容物の後に隣接し、前記通過通路部を後方進入すると、前記前方通過内容物に接触して移動する前記開放部材に連動して移動した、前記閉鎖部材が前記開放部を少なくとも一部閉鎖することにより、需要量を超過して後方進入した内容物が前記閉鎖部材に接触しながら前記開放部に流入され得る。
【０１２０】
前記通過通路部の下部に前記内容物を前記通過通路部に流入する移動案内部を備え、前記移動案内部の少なくとも一部は傾斜するように形成され、前記内容物が前記通過通路部が位置したところに案内され得る。
【０１２１】
前記通過作動部が傾く場合、内容物が前記移動案内部の重力方向の傾斜した面に沿って前記通過通路部が位置したところに案内されて移動することができる。
【０１２２】
前記平衡部は、内容物の通過方向に運動して内容物の通過空間を形成する開放部材を含み、内容物が前記開放部材に接触して内容物の重さが前記開放部材に伝達されて前記平衡部の運動が進行される時、前記平衡部の運動方向に平衡を崩して前記平衡部の運動力を加重させる運動加重制御部材をさらに含む。
【０１２３】
前記内容物通過手段の構成部材の少なくとも一部が回転して発生する回転変形時に現れる前記内容物通過手段の変形は、前記通過運動部の自重と重心によって、内容物の接触前に発生しないか接触前の近接した時点まで遅延され、前記内容物通過手段の変形は内容物の自重による接触前に発生せず、前記内容物の自重による接触後に前記通過運動部と前記接触した内容物の自重による回転が動作して発生し得る。
【０１２４】
前記開放部材は折り曲げられて構成され、前記開放部材が折り曲げられる開放部材折り曲げ部は線形に折り曲げられるか曲面であり得る。前記開放部材は直角以上の角度で折り曲げられて、前記開放部材と前記閉鎖部材との間の空間を確保し、前記開放部材と前記閉鎖部材との間の空間に進入した需要量の内容物が前記開放部材を押圧して前記開放部材が前記閉鎖部材と共に回転移動し、前記回転移動する閉鎖部材が前記開放部材を押圧する前記需要量の内容物を干渉せず、前記閉鎖部材は前記需要量の内容物を超過して通過作動部に進入する内容物がある場合、超過する内容物を防ぐことができる。
【０１２５】
前記閉鎖部材は折り曲げられて構成され、前記閉鎖部材が折り曲げられる閉鎖部材の折り曲げ部は線形に折り曲げられるか曲面であり得る。
【０１２６】
前記通過運動部の自重による前記通過運動部の運動を制御する平衡部を含み、前記平衡部は運動制御部材、開放部材、閉鎖部材および運動部材のうち少なくとも一つ以上を含み、前記運動制御部材、前記開放部材、前記閉鎖部材および前記運動部材のうち少なくとも一つ以上の重さと備えられる位置を通じての平衡作用によって前記通過運動部の自重による運動を制御することができる。
【０１２７】
前記運動制御部材は、前記開放部材の自重による移動距離と移動角度のうち少なくとも一つを制御することができる。
【０１２８】
前記運動制御部材は、前記通過作動部を傾けた時、需要量の内容物が前記開放部材を押圧する前に前記開放部材または前記開放部材と共に運動する部材の自重による回転で前記閉鎖部材が需要量の内容物の通過を防がないように制御し、前記運動制御部材は、前記開放部材の重さまたは前記開放部材と前記開放部材と共に運動する少なくとも一つ以上の部材の重さに対応して、前記開放部材を含む前記通過運動部または前記平衡部の自重による移動を制御する重さと位置で構成され得る。
【０１２９】
前記通過作動部が傾く時、前記開放部材と前記運動制御部材の重さまたは前記開放部材、前記運動制御部材および前記開放部材と共に運動する別途部材の重さによって、前記平衡部の重心で重さ平衡状態となるための方向である、前記通過作動部が傾きの反対方向に作用する力が発生して、前記開放部材が前記通過作動部の傾き以上に傾かず、前記通過作動部内での位置または傾きを維持することができる。
【０１３０】
前記通過作動部が傾く時、前記開放部材と前記運動制御部材が重さ平衡によって重力方向位置を維持する力が作用し得る。
【０１３１】
前記通過作動部内に設けられる抵抗部材を含み、前記抵抗部材は前記通過作動部内を通過する内容物の通過を制限することができる。
【０１３２】
少なくとも一側に開放されるハウジングを含み、前記通過作動部は前記ハウジングに設けられ、前記内容物通過手段は内容物が移動する方向への運動による開放によって内容物を前記ハウジングの一側に通過誘導することができる。
【０１３３】
前記通過作動部は、前記通過作動部の傾きまたは揺れによって発生する前記内容物通過手段の変形によって内容物が移動することができる。
【０１３４】
前記通過作動部が傾く場合、内容物を移動案内する移動案内部を含み、前記移動案内部が傾いた状態で内容物の自重または慣性によって前記移動案内部の面に沿って案内して内容物を通過させることができる。
【０１３５】
前記移動案内部はハウジングであるかまたは前記ハウジングに連結され得る。
【０１３６】
前記移動案内部は移動する内容物が集中されるようにガイド部材を延長することができる。
【０１３７】
前記内容物通過手段は、運動によって内容物を通過させる通過運動部を含み、前記通過運動部は、前記通過作動部が傾くか動く場合、前記通過運動部の自重、前記通過運動部の慣性、内容物が前記通過運動部を押圧する力のうち少なくとも一つによって運動することができる。
【０１３８】
前記通過運動部は、通過する内容物と同じ方向に運動し、内容物の通過を許容する開放部材を含む。
【０１３９】
前記通過運動部は、前記開放部材と別途に前記開放部材方向に運動し、内容物が通過できないか部分的にのみ通過するように開放部の少なくとも一部を閉鎖する閉鎖部材を含む。
【０１４０】
前記通過運動部は、前記通過運動部の運動部重心位置と前記通過運動部の回転運動中心である運動部回転中心位置とが異なって備えられ得る。
【０１４１】
前記通過運動部の運動部重心位置が、前記通過運動部の運動部回転中心位置の後方である、前記通過装置の外部通過方向の反対方向に位置し、前記通過作動部が傾くか揺れる場合、前記運動部重心位置と前記運動部回転中心位置の差によって前記通過運動部の回転運動が抑止されるか遅延され得る。
【０１４２】
前記通過作動部は、内容物を通過させるために開放部を形成し、前記通過作動部が傾くか動く場合、前記通過運動部は、前記通過運動部のみの自重によっては、内容物が前記開放部を通過可能な開放となる回転運動をしないか回転運動が抑制され得る。
【０１４３】
前記通過運動部は、内容物が前記通過運動部を抵抗しながら開放部を開放する前に、前記通過運動部の自重によっては前記開放部を内容物が通過する程度に開放しないようにすることができる。
【０１４４】
前記通過運動部は、前記開放部材に連動して前記開放部材方向に運動され、前記開放部材と共に需要量の内容物を収容し運動する収容部材を含む。
【０１４５】
前記通過運動部は、前記開放部材と前記収容部材との間に設けられる通過隔室部を含み、前記通過隔室部に隔室部収容量の内容物を収容して前記収容された内容物を移動誘導する。
【０１４６】
前記通過運動部は、内容物の収容のための底部を含み、前記底部は前記通過装置が傾いた時に前記通過運動部内の内容物の重力方向の下部を支持する。
【０１４７】
内容物が底面で高くなったり突出する部位である底高さ変化部に接触すると、抵抗力によって前記通過運動部を通過移動中にある前記内容物の位置が前記底高さ変化部の高さ方向に上昇され得る。
【０１４８】
前記通過移動中にある内容物の位置変化によって、前記内容物が通過するように開放される開放部の空間が狭くなり、前記狭くなった開放部の空間により、収容量を超過した内容物が前記通過運動部を通過しないことができる。
【０１４９】
前記開放部材は自重または内容物の押圧力によって開放されるように運動され、内容物を通過誘導することができる。
【０１５０】
前記通過運動部は、前記開放部材の回転角度を制限するためのストッパーを含む。
【０１５１】
前記通過運動部は、前記通過運動部の自重または内容物の押圧力によって開放されるように運動し、前記通過運動部の開放で形成される通過空間を通じて内容物を通過誘導することができる。
【０１５２】
前記内容物通過手段の変形は、前記通過装置の開放方向である前方側に作動し、前記内容物通過手段は、前記内容物通過手段が備えられる前記ハウジングの前記通過作動部側で前記ハウジングを開閉可能にする開閉器具またはカバーがない開放された状態で、前記内容物通過手段の変形による通過空間の形成によって開放された方向に内容物の通過誘導が行われ得る。
【０１５３】
前記内容物通過手段は、前記内容物通過手段が備えられる前記ハウジングの前記通過作動部側の開閉器具または前記開閉器具に固定されている部材に、接触または抵抗を受けずに、内容物との抵抗による前記内容物通過手段の変形によってのみ内容物を通過誘導することができる。
【０１５４】
前記通過運動部は、前記通過運動部が備えられる前記ハウジングが前記内容物通過手段の内容物通過方向に開放された状態で、内容物との抵抗によって内容物を通過誘導することができる。
【０１５５】
前記通過運動部は、内容物の重力作用による運動に対応して運動し、内容物が通過されるように前記通過作動部を開放するものの、前記通過運動部が備えられる前記通過作動部が傾いたりひっくり返されたりまたは揺られたりする動作による重力作用だけで内容物が前記内容物通過手段を通過することができる。
【０１５６】
前記通過運動部の回転運動によって内容物を通過させることができる。
【０１５７】
前記通過運動部の回転運動によって、内容物が前記通過運動部を通過後に必要な量の内容物を超過する内容物の通過を防ぐことができる。
【０１５８】
内容物を通過させる前記通過運動部の回転運動は、前記通過作動部が傾いたりひっくり返されたりまたは揺られたりする動作による、前記内容物の重力運動または前記通過運動部に対する前記内容物の運動力の伝達によって行われ得る。
【０１５９】
前記通過運動部の回転運動は、内容物が前記内容物通過手段を前記内容物の自重で押圧することによる運動力で行われ得る。
【０１６０】
前記内容物通過手段の変形によって内容物を通過誘導し、前記内容物通過手段の変形は前記通過運動部の運動による変形であり得る。
【０１６１】
前記内容物は前記ハウジング内部に設けられる面または前記通過手段に接触して滑って移動して前記内容物通過手段を通過することができる。
【０１６２】
前記通過運動部の部材の少なくとも一部が回転して発生する回転運動時に現れる、前記通過運動部の重心による回転による前記内容物通過手段の変形が内容物の接触前に発生しないか接触前の近接した時点まで遅延され得る。
【０１６３】
前記通過運動部の自重による回転による前記内容物通過手段の変形は、内容物の自重による接触前に発生せず、前記内容物の自重による接触と共に前記内容物通過手段の変形が発生し得る。
【０１６４】
前記通過作動部の傾きまたは揺れ時に前記通過運動部は、前記通過運動部の少なくとも一部位の自重によって前記通過作動部のヒンジ軸を中心に重力方向に回転し、前記重力方向に回転した通過運動部が内容物の通過空間を形成することができる。
【０１６５】
前記通過運動部が前記ハウジングの軸を中心に回転する場合、前記通過運動部の回転は前記ハウジングと内側面とに接してなされ得る。
【０１６６】
前記通過通路部は、需要量を超過する内容物が前記通過通路部に進入する場合、前記需要量を超過する需要量以外の内容物が前記通過通路部を完全に通過しないように抵抗する形状に形成することができる。
【０１６７】
前記通過通路部は、需要量を超過する内容物が前記通過通路部に進入する場合、需要量を超過する内容物または需要量を含むすべての内容物が前記通過通路部を通過しないように抵抗する抵抗部材または抵抗形状を備え、需要量を超過する内容物が前記内容物通過手段を通過しないようにすることができる。
【０１６８】
前記通過通路部に設けられる抵抗部材または抵抗形状によって、前記通過通路部に進入した内容物を接触または抵抗して需要量を超過した内容物の通過を妨げることができる。
【０１６９】
前記開放部材は回動可能に設けられ得る。
【０１７０】
前記内容物通過手段は前記内容物通過手段の変形によって開放部を開閉することができる。
【０１７１】
前記上昇される内容物の位置によって内容物の開放部材の通過が容易となり得る。
【０１７２】
前記底部は前記底部の高さを変化させる底高さ変化部を含み、前記底部の一部又は全部が突出した形状であり、内容物が前記底高さ変化部の表面に接触して移動すると、内容物の自重による前記底部に対する抵抗によって前記底高さ変化部が前記底部に沿って内容物の移動方向に運動するようになって、前記通過運動部の重心が内容物通過方向に移動されるようになり、前記通過運動部が内容物通過方向に運動することができる。
【０１７３】
前記底部が内容物が前記底部と接触する抵抗で、通過する内容物と同じ方向に運動し、内容物の通過を許容し、前記通過運動部は開放部材を備えるか、または前記通過運動部に別途の開放部材なしに前記底部の移動だけで前記通過運動部が運動され得る。
【０１７４】
前記底部または前記底部に含まれる底高さ変化部材は、摩擦表面、摩擦材質または屈曲した形状のうち少なくとも一つを備えることができる。
【０１７５】
前記内容物通過手段によって通過する内容物は、固形物、粉末、液状内容物のうち少なくとも一つであり得る。
【０１７６】
前記通過運動部は運動加重制御部材をさらに含み、前記運動加重制御部材は底部に突出形状で構成され、内容物の自重による抵抗で前記運動加重制御部材が内容物の移動方向に運動し、前記平衡部の重心が内容物通過方向に偏るようになって前記通過運動部が内容物通過方向に運動する力を増加させ、前記運動加重制御部材は前記通過運動部の内容物通過方向への運動を加重させ、内容物が前記通過作動部を通過するようにすることができる。
【０１７７】
前記移動案内部は内容物の流入側に高さ誘導部材を形成し、前記高さ誘導部材は、内容物が前記内容物通過手段への移動中に発生する高さの差を単数または複数以上の段に分けるか傾斜面で構成し、前記高さの差が内容物の移動を妨げず、内容物の移動を誘導するようにして保管部の内容物が前記内容物通過手段に安定して移動するように誘導することができる。
【０１７８】
本発明に係る通過装置は、内容物を入れる収容器具に設けられて、内容物を通過誘導する通過装置を含み、前記通過装置は内容物を通過させるための通過作動部を含み、前記通過作動部は内容物が移動するようにする内容物通過手段を含み、前記内容物通過手段は運動によって内容物の通過空間を形成する通過運動部を含み、前記通過運動部は通過する内容物と同じ方向に運動し、内容物の通過を許容する開放部材を含み、内容物が前記通過装置方向に滑る方向に前記通過作動部が傾く場合、前記通過運動部は前記通過作動部が傾く方向の反対方向に重さ偏り力が作用するようになって、前記開放部材が前記開放部材の自重によって前記通過作動部が傾く方向に前記通過作動部が傾く角度以上に傾くことを抑制することができる。
【０１７９】
本発明に係る通過装置は、内容物を入れる収容器具に設けられて、内容物を通過誘導する通過装置を含み、前記通過装置は内容物を通過させるための通過作動部を含み、前記通過作動部は、内容物が移動するようにする内容物通過手段を含み、前記内容物通過手段は、運動による開放によって内容物が通過されるようにする通過運動部を含み、前記通過運動部は、通過する内容物と同じ方向に運動し、内容物の通過を許容する開放部材を含み、前記通過運動部は、前記通過作動部が傾く場合、前記通過運動部が前記通過作動部の傾きを超過する傾きで前記通過作動部と共に傾くことを抑制する平衡部であり、前記平衡部は前記通過作動部が傾くことによって内容物が滑って前記開放部材に接触することによって、内容物の重さが前記通過作動部が傾く方向に加えられて前記通過作動部が傾く方向に重さ偏りが発生する前には、前記開放部材は内容物の吐出のために開放される方向に前記開放部材の自重による運動が抑制され、前記内容物が接触する前まで開放待機状態を維持することができる。
【０１８０】
本発明に係る通過装置は、内容物を入れる収容器具に設けられて、内容物を通過誘導する通過装置を含み、前記通過装置は内容物を通過させるための通過作動部を含み、前記通過運動部は、通過する内容物と同じ方向に運動し、内容物の通過を許容する開放部材を含み、前記通過運動部は、前記通過作動部が傾く場合、前記通過運動部が前記通過作動部の傾きを超過する傾きで前記通過作動部と共に傾くことを抑制する平衡部であり、前記平衡部は自らの重さ平衡状態が内容物を通過させるために傾く前記通過作動部の傾きの反対方向に回転する力が発生するように構成されることによって、前記平衡部の重さ平衡によって前記開放部材が前記通過作動部の傾き方向に反ることなく前記通過作動部の傾きの反対方向に回転しようとする力が作用することができる。
【０１８１】
本発明に係る通過装置は、少なくとも一側に開放されるハウジングと、および前記ハウジングの内側に設けられて内容物を移動案内するための通過作動部とを含み、前記通過作動部は、内容物が移動するようにする内容物通過手段と、内容物を通過させるために開放部を形成する固定部材とを含み、前記内容物通過手段は、運動による開放によって内容物が通過されるようにする通過運動部を含み、前記通過運動部は、前記通過作動部が傾く場合、前記通過運動部が前記通過作動部の傾きを超過する傾きで前記通過作動部と共に傾くことを抑制する平衡部であり、前記平衡部が前記通過作動部の傾きの反対方向に回転しようとする力は前記固定部材または前記ハウジングに抵抗されて前記通過作動部の傾きの反対方向への回転が防止されることによって、前記平衡部は自体の平衡状態方向に維持または回転運動しようとする力によって前記通過作動部の傾き方向に反らないようになり、前記固定部材または前記ハウジングに抵抗されるようにして前記平衡部の平衡状態方向に維持または回転運動しようとする力による前記通過作動部の傾きの反対方向への回転が抑制され得る。
【０１８２】
本発明に係る通過装置は、内容物を入れる収容器具に設けられて、内容物を通過誘導する通過装置を含み、前記通過装置は内容物を通過させるための通過作動部を含み、前記通過作動部は、内容物が移動するようにする内容物通過手段を含み、前記内容物通過手段は、運動によって内容物の通過空間を形成する通過運動部を含み、前記通過運動部は、通過する内容物と同じ方向に運動し、内容物の通過を許容する開放部材を含み、前記通過運動部は、前記通過作動部が傾く場合、前記通過運動部が前記通過作動部の傾きを超過する傾きで前記通過作動部と共に傾くことを抑制する平衡部であり、前記通過作動部が傾くことによって内容物が前記開放部材に接触すると、内容物の重さの少なくとも一部又は全部が前記平衡部に加えられて前記通過作動部の傾き方向に前記平衡部の重さ偏りが発生するようになる場合、前記平衡部の前記開放部材側に加えられる内容物の重さによって発生する前記通過作動部の傾き方向への重さ偏りが前記平衡部が前記通過作動部の傾きの反対方向に回転しようとする前記平衡部だけの平衡状態の位置に到達しようとする平衡維持力を超過するようになると、前記平衡部が前記通過作動部の傾き方向に回転することができる。
【０１８３】
本発明に係る通過装置は、少なくとも一側に開放されるハウジング、および前記ハウジングの内側に設けられて内容物を移動案内するための通過作動部を含み、前記通過作動部は、内容物が移動するようにする内容物通過手段と、内容物を通過させるために開放部を形成する固定部材とを含み、前記内容物通過手段は、運動による開放によって内容物が通過されるようにする通過運動部を含み、前記通過運動部は、前記通過作動部が傾く場合、前記通過運動部が前記通過作動部の傾きを超過する傾きで前記通過作動部と共に傾くことを抑制する平衡部であり、前記平衡部の回転が前記固定部材または前記ハウジングと接触抵抗して前記平衡部が前記通過作動部の傾き方向に必要以上に回転することを防ぐことができる。
【０１８４】
本発明に係る通過装置は、内容物が通過通路部に誘導されるようにする内容物誘導部のすべり開始終端が、容器本体であるハウジングのネック部分である縮径部の内径に近接または接触して位置し、内容物誘導部のすべり開始終端が、屈曲した形状の供給案内部材と連結されるように位置して、内容物の移動が円滑に連結されて内容物が滑りながら拡径部から通過通路部に移動案内され得る。
【０１８５】
本発明に係る通過装置は、インジェクションブロー筒である場合には、通過装置に設けられる内容物誘導部の終端部位が傾斜したり曲がったり段付き状であって、容器のネックの内径と容器の胴体の内径を全部または部分で連結するようにして、ハウジングを傾けて内容物が滑る時に内容物が通過通路部に円滑に移動され得る。
【０１８６】
本発明に係る通過装置は、内容物誘導部の内容物進入部位と拡径部との間に段差がある場合、内容物誘導部の内容物進入部位と拡径部との間の段差を連結する形状変化部が備えられ得、形状変化部は縮径部と拡径部の段差を連結して内容物のハウジング内の段差での供給移動を案内する供給案内部である。
【０１８７】
本発明に係る通過装置は、入口が容器の胴体より狭いインジェクションブロー筒だけでなく入口が容器の胴体より狭くない射出筒の場合にも、通過運動部の開放部材の回転軸の作動位置が容器ハウジングの内径で内部に離れて位置するので、滑って移動する固形物の位置と差が発生し得、このような段差を連結するために内容物誘導部の容器の底方向である内容物進入部位が傾斜したり曲がったり段差を有して形成され得る。
【０１８８】
本発明に係る通過装置は、インジェクションブロー筒と射出筒の両方とも、開放部材の作動位置が容器の内径の内側に位置するようになり、容器の胴体から接近する内容物の位置と段差が発生し、このような段差を連結する傾斜したり曲がったりした段で構成される段差連結部を含む。縮径部の内径に離隔して位置する開放部材と縮径部の内径の段差を連結する段差連結部が備えられる。
【０１８９】
本発明に係る通過装置は、段差連結部が容器の縮径部の内部と容器の胴体の内部とを連結して内容物の滑りが円滑に連結され得る。
【０１９０】
本発明に係る通過装置は、容器の胴体より狭い縮径部と内容物が保管されて移動を待機する拡径部とを連結する傾斜部位である供給案内部材を含み、供給案内部材はハウジングが傾いて拡径部の内容物が内容物誘導部に移動するときに発生する段差を連結することができる。
【０１９１】
本発明に係る通過装置は、内容物誘導部容器の底方向の段差開始終端である段差開始点が縮径部の内径より大きい場合、ハウジングに通過装置を挿入するためには、内容物誘導部の段差開始終端である段差連結部の容器底方向の開始点を含む通過装置の下部を先に垂直方向に挿入した後、通過装置の位置を水平方向に移動し、再び通過装置を垂直方向に挿入しなければならないため、組立時に垂直移動後に中間段階である水平移動後垂直移動する、三つの段階であり得る。
【０１９２】
本発明に係る通過装置は、通過装置の内容物誘導部がハウジングの内径に近接する段差連結部開始点とガイド部材が、縮径部の内部に位置するようにして通過装置をハウジングに組立時に一方向に直接挿入可能であり得る。
【０１９３】
本発明に係る通過装置は、拡径部である容器の胴体より縮径部である容器のネック部分が小さく生産されるブロー容器の特性で示され、ハウジングはインジェクションブロー筒であって、膨らんだ胴体と通過装置の主要部位が位置する縮径部で構成され得る。
【０１９４】
拡径部方向である、内容物誘導部を含む通過装置の下部全体の外径が容器縮径部の内径より小さくなるように構成されると、容器本体への組立時に中間段階である水平移動なしに通過装置が容器本体であるハウジングに一方向に一度に挿入され得る。
【０１９５】
通過装置が容器本体に組み立てられて、地面の上部から下部方向の方を支持するように、縮径部の上端が広く構成されるか縮径部の内部に段が形成され得る。
【０１９６】
容器が傾いた時、内容物通過ディスペンサーである通過装置が接触する内容物の重さによって外部に分離されないように通過装置の上部の外径に突出部が構成され、これに相応してハウジングの縮径部の上端に溝が形成されて挿入時に互いに噛み合われ得る。
【０１９７】
通過装置の内容物誘導部がハウジングの内径に近接する段差連結部開始点とガイド部材が、縮径部の内部に位置するようにして通過装置をハウジングに組立時に一方向に直接挿入可能であり得る。
【０１９８】
通過装置の段差連結部開始点が縮径部の内壁ではなく容器の胴体である拡径部の内壁に近接するように連結されて、容器のネックが内容物誘導部の長さをすべて包み込まなくてもよいようになり得る。
【０１９９】
内容物誘導部の段差連結部開始点の終端と連結されるように位置するようにして、容器本体の拡径部間に凹んで屈曲した形態の供給案内部を備え、供給案内部を経て内容物の移動が円滑に連結されて内容物が滑りながら容器本体から通過装置の通過通路部に移動案内され得る。
【０２００】
通過装置の内容物誘導部がハウジングの内径に近接する段差連結部の容器底方向開始点が拡径部の内部に位置するようにし、段差連結部の容器底方向開始点に近接して段差連結部を備えると、内容物の移動が連結されて拡径部から段差連結部を経て内容物誘導部への進入が円滑になる。
【０２０１】
長方形の錠剤のような固形物ではない、平たい錠剤形態の固形物が内容物である場合、内容物が通過装置に滑ってくる経路において屈曲があると、固形物が立てられて内容物誘導部に進入するようになるため定量の通過が容易でなく、平たい固形物が滑って移動する区間は平坦なすべり底が備えられなければならない必要があるため、すべり底となる内容物誘導部と容器本体のうち内容物が内容物誘導部に進入するために滑る内容物本体の内径壁が屈曲がないか最小限の屈曲で連結され得る。
【０２０２】
インジェクションブロー容器の場合、内容物誘導部が屈曲のない形状で容器内に一方向に一度に挿入するために、通過運動部を置くことができる空間が必要であり、形状変化部が容器の胴体の外周方向に拡張されて通過装置が挿入される余裕空間を確保することができる。
【０２０３】
一方、本発明に係るバルブは、内容物を通過誘導する通過装置であって、内容物を通過させる通過作動部を含み、前記通過作動部は、内容物が移動するようにする内容物通過手段を含む。
【０２０４】
前記内容物通過手段は、運動によって内容物を通過させる通過運動部を含む。
【０２０５】
前記通過作動部の傾きまたは揺れによって発生する前記内容物通過手段の変形によって内容物を通過誘導することができる。
【０２０６】
前記通過作動部が傾く場合、内容物を移動案内する移動案内部を含み、前記移動案内部が傾いた状態で内容物の自重または慣性によって前記移動案内部の面に沿って案内して内容物を通過させることができる。
【０２０７】
前記通過運動部は、前記通過作動部が傾くか動く場合、前記通過運動部の自重、前記通過運動部の慣性、内容物が前記通過運動部を押圧する力のうち少なくとも一つによって運動することができる。
【０２０８】
前記通過運動部は、通過する内容物と同じ方向に運動し、内容物の通過を許容する開放部材を含む。
【０２０９】
前記通過運動部は、前記開放部材と別途に前記開放部材と連動して運動され、内容物が通過できないか部分的にのみ通過するように開放部の少なくとも一部を閉鎖する閉鎖部材を含む。
【０２１０】
前記通過運動部は、前記開放部材と前記閉鎖部材との間に設けられる通過隔室部を含む。
【０２１１】
前記通過運動部は、前記通過運動部の運動部重心位置と前記通過運動部の回転運動中心である運動部回転中心位置とが異なって備えられ得る。
【０２１２】
前記通過作動部は、内容物を通過させるために開放部を形成し、前記通過作動部が傾くか動く場合、前記通過運動部は、前記通過運動部のみの自重によって、内容物が前記開放部を通過可能な開放となる回転運動をしないか回転運動が抑制され得る。
【０２１３】
前記通過運動部は、内容物が前記通過運動部を抵抗しながら開放部を開放する前に、前記通過運動部の自重によって前記開放部を内容物が通過する程度に開放しないことができる。
【０２１４】
前記開放部材は自重または内容物の押圧力によって開放されるように運動され、内容物を通過誘導することができる。
【０２１５】
また、本発明に係る内容物移動器具は、内容物を入れる内容物移動器具に設けられて内容物を通過誘導する通過装置と、少なくとも一側に開放されるハウジングとを含み、前記通過装置は内容物を通過させるための通過作動部を含み、前記通過作動部は、内容物が移動するようにする内容物通過手段を含む。
【０２１６】
前記内容物通過手段は、運動によって内容物の通過空間を形成する通過運動部を含む。
【０２１７】
前記通過作動部は、前記通過作動部の傾きまたは揺れによって発生する前記内容物通過手段の変形によって内容物が移動することができる。
【０２１８】
前記通過作動部が傾く場合、内容物を移動案内する移動案内部を含み、前記移動案内部が傾いた状態で内容物の自重または慣性によって前記移動案内部の面に沿って案内して内容物を通過させることができる。
【０２１９】
前記通過運動部は、前記通過作動部が傾くか動く場合、前記通過運動部の自重、前記通過運動部の慣性、内容物が前記通過運動部を押圧する力のうち少なくとも一つによって運動することができる。
【０２２０】
前記通過運動部は、通過する内容物と同じ方向に運動し、内容物の通過を許容する開放部材を含む。
【０２２１】
前記通過運動部は、前記開放部材と別途に前記開放部材と連動して運動され、内容物が通過できないか部分的にのみ通過するように開放部の少なくとも一部を閉鎖する閉鎖部材を含む。
【０２２２】
前記通過運動部は、前記通過運動部の運動部重心位置と前記通過運動部の回転運動中心である運動部回転中心位置とが異なって備えられ得る。
【０２２３】
前記通過作動部は、内容物を通過させるために開放部を形成し、前記通過作動部が傾くか動く場合、前記通過運動部は、前記通過運動部のみの自重によって、内容物が前記開放部を通過可能な開放となる回転運動をしないか回転運動が抑制され得る。
【０２２４】
前記通過運動部は、内容物が前記通過運動部を抵抗しながら開放部を開放する前に、前記通過運動部の自重によって開放部を内容物が通過する程度に開放しないことができる。
【０２２５】
前記開放部材は自重または内容物の押圧力によって開放されるように運動され、内容物を通過誘導することができる。
【０２２６】
そして、本発明に係る収容器具は、内容物を入れる収容器具に設けられて、内容物を通過誘導する通過装置と、少なくとも一側に開放されるハウジングとを含み、前記通過装置は内容物を通過させるための通過作動部を含み、前記通過作動部は、内容物が移動するようにする内容物通過手段を含む。
【０２２７】
併せて、本発明に係る内容物器具は、内容物を含み、内容物を通過誘導する通過装置と、少なくとも一側に開放されるハウジングとを含み、前記通過装置は内容物を通過させるための通過作動部を含み、前記通過作動部は、内容物が移動するようにする内容物通過手段を含む。
【０２２８】
内容物が前記内容物通過手段を通過時に内容物の通過を感知する感知部を含む。
【０２２９】
前記感知部は、前記内容物が通過した数量、日付、曜日および時間のうち少なくとも一つを感知または測定することができる。
【０２３０】
前記感知部の内容物測定は電子センサまたは機械の作動による測定であり得る。
【０２３１】
前記感知部が感知または測定したデータまたは前記内容物通過手段の作動によって内容物が前記通過作動部を通過したかの可否を視覚、聴覚および触覚のうち少なくとも一つのユーザーの感覚方法で認知可能であるように表示する表示部を含む。
【０２３２】
前記感知部が感知または測定したデータを送信する通信部を含む。
【０２３３】
前記感知部は、タッチセンサ、加速度センサ、角速度センサ、重力センサ、地磁気センサ、ジャイロスコープセンサ、近接センサ、動作認識センサ、電子羅針盤、磁力計センサ、ジェスチャーセンサのうち少なくとも一つのセンサ方式を含む。
【０２３４】
前記感知部が、前記内容物が一定期間または時間に定められた量が前記内容物通過手段を通過するのを感知するか内容物が定められた量を超過して前記内容物通過手段を通過するのを感知すると、前記内容物通過手段の内容物の移動作動を制限する制御部を含む。
【０２３５】
前記表示部は、数字、文字、記号、点字、発光、点灯および色相のうち少なくとも一つで表示され得る。
【０２３６】
前記感知部を通じて感知した内容物の通過の有無または通過数量を判断し、前記判断した内容物の通過の有無または通過数量、または前記判断した通過の有無または通過数量と共に通過時点の日付、曜日、時間のうち少なくとも一つ以上のデータを前記表示部に表示することができる。
【０２３７】
前記感知部を通じて感知した内容物の通過の有無または通過数量を判断し、前記判断した内容物の通過の有無または通過数量、または前記判断した通過の有無または通過数量と共に通過時点の日付、曜日、時間のうち少なくとも一つ以上のデータを前記通信部を通じて近接または遠隔で送信することができる。
【０２３８】
前記感知部が前記内容物通過手段を通過した内容物を感知して指定された量の内容物が通過したと判断されると、それ以上の内容物が前記通過装置を通過しないようにするロック部を含む。
【０２３９】
前記ロック部は、前記通過装置に設けられて、前記内容物通過手段の運動を防いだり前記通過作動部内での内容物の移動経路を遮断することができる。
【０２４０】
前記表示部の表示は、ＬＣＤまたはＬＥＤを利用した数字、文字、記号、信号のうち少なくとも一つであり得る。
【０２４１】
服用制限が必要な服用薬や正常な人の摂取制限が必要な食品のように統制が必要な場合、指定された時間または状況終了前にロック状態を維持することができる。
【０２４２】
前記内容物通過手段の運動を防ぐことは、前記内容物通過手段の運動部位を接触抵抗してなされ、前記通過作動部内での移動経路の遮断は、内容物の通過進入側と通過排出側に設けられる通過通路部で内容物を遮断するか抵抗してなされ得る。
【０２４３】
前記内容物の表面または内容物の内部に、数字、文字、記号のうち少なくとも一つを表示して、前記内容物通過手段を通過した内容物または前記内容物通過手段を通過していない内容物の前記表示を観察することができる。
【０２４４】
内容物の表面または内容物の内部に、数字、文字、記号のうち少なくとも一つを表示して、前記内容物通過手段を通過した内容物または前記内容物通過手段を通過していない内容物の前記表示を観察することができる。
【０２４５】
前記内容物器具はゲーム器具、ボードゲーム器具、おもちゃ器具、学習器具のうち少なくとも一つであり得る。
【０２４６】
本発明に係る服薬管理装置は、収容器具のハウジング内部の内容物を通過空間を通じて排出させる通過作動部と、前記通過作動部によって排出される内容物を感知するセンサモジュールとを含むことを特徴とする。
【０２４７】
前記センサモジュールは、前記通過空間を通じて通過する内容物を感知するセンサ部と、前記センサ部を制御して前記通過空間を通じて通過する内容物を感知し、感知結果に服薬状態情報を生成して服薬案内端末に伝達するセンシング制御部とを含むことを特徴とする。
【０２４８】
前記センシング制御部は、前記センサ部を通じて前記通過空間に向かって光を放出して前記通過空間を通じて吐出される内容物によって反射した光に基づいて内容物を感知することを特徴とする。
【０２４９】
前記センシング制御部は、前記センサ部を通じて光が放出された時刻と受光した時刻の時間差を利用して前記通過空間を通じて内容物を感知することを特徴とする。
【０２５０】
前記センシング制御部は、前記時間差が予め設定された設定値以内であれば内容物が前記通過空間を通過したと判断することを特徴とする。
【０２５１】
本発明に係る服薬管理装置は、出力部と、センサモジュールから服薬状態情報の伝達を受け、服薬管理サーバーから服薬スケジュール情報の伝達を受けて前記服薬スケジュール情報と前記服薬状態情報を利用してユーザーに対する服薬管理情報とを生成した後、前記出力部に出力する服薬案内端末制御部とを含むことを特徴とする。
【０２５２】
前記服薬状態情報は、内容物情報、内容物感知の可否および内容物を感知した感知時間情報のうち少なくとも一つ以上を含むことを特徴とする。
【０２５３】
前記服薬スケジュール情報は、内容物情報、服薬時刻、服薬間隔および内容物の服薬量のうち少なくとも一つ以上を含むことを特徴とする。
【０２５４】
前記服薬案内端末制御部は、前記服薬時刻および前記服薬間隔のうち少なくとも一つにより、内容物情報および内容物の服薬量のうち少なくとも一つ以上を前記出力部を通じて出力することを特徴とする。
【０２５５】
前記服薬案内端末制御部は、前記服薬スケジュール情報と前記服薬状態情報とを比較して比較結果により前記出力部を通じて誤飲を警告することを特徴とする。
【０２５６】
前記服薬案内端末制御部は、前記服薬状態情報を累積して服薬履歴情報を生成することを特徴とする。
【０２５７】
本発明に係る服薬管理装置は、服薬スケジュール情報を生成する服薬スケジュール情報生成部と、前記服薬スケジュール情報保存部に保存された前記服薬スケジュール情報をユーザー端末に伝達する制御サーバーとを含むことを特徴とする。
【０２５８】
前記服薬スケジュール情報は、内容物情報、服薬時刻、服薬間隔および内容物の服薬量のうち少なくとも一つ以上を含むことを特徴とする。
【０２５９】
前記服薬スケジュール情報生成部は、ユーザーの処方せん情報を利用して前記服薬スケジュール情報を生成することを特徴とする。
【発明の効果】
【０２６０】
以上で説明した通り、本発明に係る通過装置、バルブ、これを備える収容器具、内容物移動器具および内容物器具は、従来技術とは異なり、器具から固形物、粉末または液状などの内容物を定量または需要量排出しつつ、収容器具、内容物移動器具および内容物器具の内容物通過側を防ぐように開放部材を備えて内容物の需要量通過を安定して誘導することができる。
【０２６１】
本発明は、収容器具、内容物移動器具および内容物器具の内容物通過側を開放する開放部材の運動角度を制限することによって、開閉反応の応答性を向上させることができる。
【０２６２】
本発明は、通過空間を可変させて内容物の待機収納部を確保することによって、内容物の定量通過を安定して誘導することができる。
【０２６３】
本発明は、内容物の通過空間を確保し、内容物の定量通過に連動して通過空間を内容物が通過できない程度に閉鎖してそれ以上の内容物が通過することを防止することができる。
【０２６４】
本発明は、通過運動部の重さと重心位置を通じての平衡作用によって自重による運動を制御して、必要量の内容物が通過する前に通過空間が閉鎖されないようにして必要量の内容物が通過されるようにすることができる。
【図面の簡単な説明】
【０２６５】
【図１】本発明の第１実施例に係る通過装置を備える内容物移動器具の斜視図。
【図２】本発明の第１実施例に係る通過装置を備える内容物移動器具の分解斜視図。
【図３】本発明の第１実施例に係る通過装置を備える内容物移動器具の側断面図。
【図４】本発明の第１実施例に係る通過装置の要部の傾き状態を示した図面。
【図５】本発明の第１実施例に係る通過装置を備える内容物移動器具のハウジングを傾ける時に内容物通過手段が初期状態を維持している断面図。
【図６】本発明の第１実施例に係る内容物通過手段が内容物の押圧力によって運動を開始する状態を示した断面図。
【図７】本発明の第１実施例に係る内容物通過手段が内容物の押圧力によって運動している状態を示した断面図。
【図８】本発明の第１実施例に係る内容物通過手段が内容物の押圧力によって運動している状態を示した断面図。
【図９】本発明の第１実施例に係る通過装置を備える内容物移動器具の使用状態を示した断面図。
【図１０】本発明の第１実施例に係る通過装置を備える内容物移動器具の正断面図。
【図１１】本発明の第１実施例に係る通過装置を備える内容物移動器具の底面断面図。
【図１２】本発明の第１実施例に係る通過装置を備える内容物移動器具の使用後に初期状態に復帰する状態を示した断面図。
【図１３】本発明の第２実施例に係る通過装置に設けられるセンサモジュールのブロック構成図。
【図１４】本発明の第２実施例に係る投薬管理装置の概略図。
【図１５】本発明の第２実施例に係る投薬管理装置を傾ける場合の作動状態図。
【図１６】本発明の第２実施例に係る投薬管理装置の服薬案内端末のブロック図。
【図１７】本発明の第２実施例に係る服薬案内端末の作動図。
【図１８】本発明の第２実施例に係る投薬管理装置のフローチャート。
【図１９】本発明の第２実施例に係る投薬管理装置を有するハウジングの斜視図。
【図２０】本発明の第２実施例に係る投薬管理装置の通信システム。
【図２１】本発明の第２実施例に係る投薬管理装置の通信作動図。
【図２２】本発明の第３実施例に係る通過装置を備える内容物移動器具の斜視図。
【図２３】本発明の第３実施例に係る通過装置を備える内容物移動器具の分解斜視図。
【図２４】本発明の第３実施例に係る通過装置を備える内容物移動器具の断面図。
【図２５】本発明の第３実施例に係る通過装置を備える内容物移動器具のハウジングを傾けた状態の断面図。
【図２６】本発明の第３実施例に係る通過装置を備える内容物移動器具の使用状態を示した断面図。
【図２７】本発明の第４実施例に係る通過装置を備える内容物移動器具の斜視図。
【図２８】本発明の第４実施例に係る通過装置を備える内容物移動器具の分解斜視図。
【図２９】本発明の第４実施例に係る通過装置を備える内容物移動器具の側断面図。
【図３０】本発明の第４実施例に係る通過装置を備える内容物移動器具の内容物未通過状態の傾きを示した側断面図。
【図３１】本発明の第４実施例に係る通過装置を備える内容物移動器具の内容物通過状態の傾きを示した側断面図。
【図３２】本発明の第４実施例に係る通過装置を備える内容物移動器具の内容物通過状態および目詰まり状態の傾きを示した側断面図。
【図３３】本発明の第４実施例に係る通過装置を備える内容物移動器具の内容物の目詰まり状態および通過する状態の傾きを示した側断面図。
【図３４】本発明の第４実施例に係る通過装置を備える内容物移動器具の内容物の目詰まり状態および完全な通過状態の傾きを示した側断面図。
【図３５】本発明の第４実施例に係る通過装置を備える内容物移動器具の使用状態を示した側断面図。
【図３６】本発明の第４実施例に係る通過装置を備える内容物移動器具の正断面図。
【図３７】本発明の第４実施例に係る通過装置を備える内容物移動器具の底面断面図。
【図３８】本発明の第４実施例に係る内容物移動器具の所定の傾き時に通過装置の初期維持状態を示した側断面図。
【図３９】本発明の第５実施例に係る通過装置を備える内容物移動器具の斜視図。
【図４０】本発明の第５実施例に係る通過装置を備える内容物移動器具の分解斜視図。
【図４１】本発明の第５実施例に係る通過装置を備える内容物移動器具の断面図。
【図４２】本発明の第５実施例に係る通過装置を備える内容物移動器具の作動図。
【図４３】本発明の第６実施例に係る通過装置を備える内容物移動器具の斜視図。
【図４４】本発明の第６実施例に係る通過装置を備える内容物移動器具の分解斜視図。
【図４５】本発明の第６実施例に係る通過装置を備える内容物移動器具の断面図。
【図４６】本発明の第６実施例に係る通過装置を備える内容物移動器具の作動図。
【図４７】本発明の第６実施例に係る通過装置を備える内容物移動器具の要部作動図。
【図４８】本発明の第７実施例に係る通過装置を備える内容物移動器具の斜視図。
【図４９】本発明の第７実施例に係る通過装置を備える内容物移動器具の分解斜視図。
【図５０】本発明の第７実施例に係る通過装置を備える内容物移動器具の断面図。
【図５１】本発明の第７実施例に係る通過装置を備える内容物移動器具の作動図。
【図５２】本発明の第７実施例に係る通過装置を備える内容物移動器具の要部作動図。
【図５３】本発明の第８実施例に係る通過装置を備える内容物移動器具の斜視図。
【図５４】本発明の第８実施例に係る通過装置を備える内容物移動器具の分解斜視図。
【図５５】本発明の第８実施例に係る通過装置を備える内容物移動器具の断面図。
【図５６】本発明の第８実施例に係る通過装置を備える内容物移動器具の作動図。
【図５７】本発明の第８実施例に係る通過装置を備える内容物移動器具の要部作動図。
【発明を実施するための形態】
【０２６６】
以下、添付された図面を参照して本発明に係る通過装置、バルブ、これを備える収容器具、内容物移動器具および内容物器具の実施例を説明する。この過程で図面に図示された線の太さや構成要素の大きさなどは、説明の明瞭性と便宜上誇張して図示され得る。また、後述される用語は本発明での機能を考慮して定義された用語であって、これは作業者、運用者の意図または慣例により変わり得る。したがって、このような用語に対する定義は、本明細書の全般にわたった内容に基づいて判断されるべきである。
【０２６７】
図１は本発明の第１実施例に係る通過装置を備える内容物移動器具の斜視図であり、図２は本発明の第１実施例に係る通過装置を備える内容物移動器具の分解斜視図である。
【０２６８】
図３は本発明の第１実施例に係る通過装置を備える内容物移動器具の側断面であり、図４は本発明の第１実施例に係る通過装置の要部の傾き状態を示した図面であり、図５は本発明の第１実施例に係る通過装置を備える内容物移動器具のハウジングを傾ける時に内容物通過手段が初期状態を維持している断面図であり、図６は本発明の第１実施例に係る内容物通過手段が内容物の押圧力によって運動を開始する状態を示した断面図である。
【０２６９】
図７は本発明の第１実施例に係る内容物通過手段が内容物の押圧力によって運動している状態を示した断面図であり、図８は本発明の第１実施例に係る内容物通過手段が内容物の押圧力によって運動している状態を示した断面図である。
【０２７０】
図９は本発明の第１実施例に係る通過装置を備える内容物移動器具の使用状態を示した断面図であり、図１０は本発明の第１実施例に係る通過装置を備える内容物移動器具の正断面図であり、図１１は本発明の第１実施例に係る通過装置を備える内容物移動器具の底面断面図であり、図１２は本発明の第１実施例に係る通過装置を備える内容物移動器具の使用後に初期状態に復帰する状態を示した断面図である。
【０２７１】
図１〜図１２に図示された通り、本発明の第１実施例に係る通過装置１００を備える内容物移動器具１は、ハウジング１１０、通過作動部１２０および供給案内部１１９を含む。
【０２７２】
ハウジング１１０は内容物５を貯蔵する容器であって、内側に通過作動部１２０を備え、供給案内部１１９を形成する。
【０２７３】
ここで、内容物５は、固形物、粉末または液状などのように内容物通過手段１２３を通過可能なものとする。
【０２７４】
この時、ハウジング１１０は、通過作動部１２０の以前に該当する内容物５を貯蔵する部位である通過以前部１１３を形成する。併せて、ハウジング１１０は、内容物５が通過作動部１２０を通過した後の空間に待機収納部１１５を形成することができる。
【０２７５】
すなわち、通過以前部１１３は内容物を保管するハウジング１１０の内部の空間であり、待機収納部１１５は内容物５が引き出され待機するための空間または開放側を意味する。
【０２７６】
通過作動部１２０に形成される開放部１２２を通じて、通過以前部１１３と待機収納部１１５との一部が通じ、開放部１２２を通じて通過以前部１１３の内容物５が待機収納部１１５に移動され得る。
【０２７７】
したがって、通過作動部１２０はハウジング１１０の内側に設けられて内容物５を移動案内する役割をする。通過作動部１２０は内容物５を定量または需要量だけ移動を誘導する役割をする。ここで、「定量」は、同じ個数や量、および誤差、許容範囲内で互いに異なって移動する量や個数を意味する。「需要量」はユーザーが必要とする量（個数）であって、「定量」の範疇に含まれるものとする。
【０２７８】
特に、通過作動部１２０は、内容物通過手段１２３および通過通路部１３９を含む。
【０２７９】
内容物通過手段１２３は、内容物５が通過以前部１１３側から待機収納部１１５側へ通過するのを許容する役割をする。
【０２８０】
特に、内容物通過手段１２３は通過運動部１４０を含む。
【０２８１】
通過運動部１４０は、運動による開放によって内容物５が通過するようにする役割をする。
【０２８２】
すなわち、通過運動部１４０は、開放部材１２４に連動して開放された開放部１２２を閉鎖する役割をする。ここで、通過運動部１４０は閉鎖部材１２７と開放部材１２４とを含む。
【０２８３】
例えば一個の内容物が定量である一実施例において、一個の内容物５が通過通路部１３９の前方を通過する時、他の個々の内容物５が前方を通過する内容物５の後に隣接して通過通路部１３９の後方を通過し、後方を通過する内容物５が移動して閉鎖部材１２７と接触する。
【０２８４】
この時、閉鎖部材１２７は折り曲げられて構成され、閉鎖部材１２７の閉鎖部材折り曲げ部１２７ｂは線形に折り曲げられるか曲面に形成され得る。
【０２８５】
閉鎖部材１２７が折り曲げられる閉鎖部材折り曲げ部１２７ｂの角度は、需要量以外の内容物が通過作動部１２０の内部に進入しないように直角に近い急な傾斜で構成され得る。もちろんそれ以外の多様な角度への折り曲げが可能である。
【０２８６】
その後、閉鎖部材１２７が開放部１２２を少なくとも一部閉鎖することにより、定量を超過して内容物５が開放部１２２に流入することを防止する。
【０２８７】
特に、図３のように、ハウジング１１０を床にたてた初期状態において、通過運動部１４０の重さ平衡力の作用または通過運動部１４０がストッパー１２９により、開放部材１２４が開放部１２２を防いでいる状態を維持することができる。
【０２８８】
すなわち、図３に図示されているように、通過運動部１４０は開放部材１２４の自重によって運動部材１２５を基準として時計回り方向に回転しようとする力が作用するが、ストッパー１２９が通過運動部１４０の時計回り方向の回転を防止する。
【０２８９】
一般的な容器保管状態であるハウジング１１０が立てられている状態で、開放部材１２４が開放部１２２を防ぐことによって、空気やホコリなどの外部物質が開放部１２２を通じてハウジング１１０の内部に入ることが抑制される。
【０２９０】
併せて、図３のように、ハウジング１１０が立てられた初期状態（０度回転状態）で、通過運動部１４０は重さ平衡状態に移動しようとする力の作用によって時計回り方向に回転しようとする右側に重さ偏り作用がストッパー１２９により抑制されながら重さ平衡状態（停止状態）を維持するようになる。特に、通過運動部１４０が右側の重さ偏り状態である場合、左側上端のストッパー１２９が通過運動部１４０の時計回り方向の回転を抑制する。
【０２９１】
もちろん、ストッパー１２９は多様な形状と位置に変化可能である。
【０２９２】
図４は、ハウジング１１０を内容物５の通過を案内するために傾かせた際の、通過運動部１４０の状態を図示した図面である。特に、通過運動部１４０は運動部材１２５を基準（Ｃ）として両方向に回動される。
【０２９３】
また、図５はハウジング１１０を初期状態から反時計回り方向に１３５度傾けた時の通過運動部１４０の状態を図示する。
【０２９４】
すなわち、ハウジング１１０が反時計回り方向に１３５度傾いた場合、通過運動部１４０が位置する方向である左側（運動部材１２５を基準として）に傾いたが、ハウジング１１０は水平（−９０度）を超過しないことにより、内容物５が滑ってはいない状態となる。
【０２９５】
特に、ハウジング１１０の傾き角度は限定しない。併せて、通過運動部１４０の回転軸１２５の垂直線下部方向は重力方向を示す。垂直線（Ｃ）を基準として、右側の重さがより大きいため通過運動部１４０が右側方向に回転しようとする力が発生するが、ストッパー１２９によって実質的な回転は発生しなくなる。
【０２９６】
すなわち、ハウジング１１０が水平の状態（−９０度）で、垂直線（Ｃ）の右側がより重くなり通過運動部１４０に右方向すなわち時計回り方向に回転しようとする力が発生するが、ストッパー１２９によって実質的な回転は発生しない。したがって、ハウジング１１０は、通過運動部１４０の回転なしに、手首の軸を中心に回転するだけ手首の軸に沿って回転する。
【０２９７】
通過運動部１４０は、内容物の重力作用による運動に対応して運動し、内容物が通過するように通過作動部１２０を開放する。通過運動部１４０は、通過作動部１２０が傾くか動く場合、通過運動部１４０の自重、通過運動部１４０の慣性、内容物が通過運動部１４０を押圧する力のうち少なくとも一つによって運動することができる。
【０２９８】
内容物を通過させる通過運動部１４０の回転運動は、図６〜図８のように、通過運動部１４０の回転運動中心軸である運動部回転中心２１０の位置が重力方向側である下向き方向に位置し、通過作動部１２０が傾いたりひっくり返されたりまたは揺られたりする動作による、内容物の重力運動または通過運動部１４０に対する内容物の運動力の伝達によってなされる。
【０２９９】
また、通過運動部１４０の回転運動は、内容物通過手段１２３を内容物の自重で押圧することによる運動力でなされ得る。
【０３００】
通過運動部１４０の運動部重心２１５の位置が、通過運動部１４０の運動部回転中心２１０位置の後方である、通過装置１００の外部通過方向の反対方向に位置し、図５のように、通過運動部１４０の回転運動中心である運動部回転中心２１０位置が重力方向側である下向き方向に位置し、通過作動部１２０が傾く場合、運動部重心２１５位置と運動部回転中心２１０位置の差によって通過運動部１４０の回転運動が抑止されるか遅延され得る。
【０３０１】
併せて、通過通路部１３９は内容物通過手段１２３に移動する内容物５の移動量を制限する役割をする。
【０３０２】
詳細には、通過通路部１３９は、通過する個々の内容物５の一側端部の長さが他側端部の長さと異なる場合、通過通路部１３９の内部空間のうち最小長さ内径である通路幅最小内径Ｌ１が個々の内容物５の短方向のうち最大外径の長さである内容物の短方向の最大外径Ｌ２の二倍より小さいか同じであるため、二個以上の個々の内容物５が通過通路部１３９に同時に進入または通過できず、一度に一個の内容物５だけが通過通路部１３９に進入または通過可能となる。
【０３０３】
また、通過通路部１３９は、通過する個々の内容物５の一側端部の長さが他側端部の長さと異なる場合、内容物５を長方向端部の長さ方向Ｌ３に向けて通過通路部１３９を通過するようにガイドする。
【０３０４】
内容物通過手段１２３は、開放部材１２４に連動して開放された開放部１２２を閉じる閉鎖部材１２７を含む。内容物通過手段１２３は、一個の内容物５が通過通路部１３９の前方を通過する時、他の個々の内容物５が前方を通過する内容物５の後に隣接して通過通路部１３９の後方を通過し、後方を通過する内容物５が移動して閉鎖部材１２７に接触して、閉鎖部材１２７が開放部１２２の少なくとも一部閉鎖することにより、定量を超過して内容物が開放部１２２に流入することを防止する。
【０３０５】
本実施例の場合、個々の内容物５である定量の内容物５が、開放部材１２４の位置まで進入するためには、内容物が開放部材１２４に接触する前に通過運動部１４０の重さ平衡力によって、図５のように、開放部材１２４は閉鎖した状態にあり、閉鎖部材１２７は開放した状態にあるようになり、定量の内容物が通過作動部１２０に進入する前まで、このような待機状態を維持する。
【０３０６】
また、定量の内容物５が開放部材１２４に接触すると、図７〜図８のように、開放部材１２４と閉鎖部材１２７は連動して回転して、開放部材１２４は開放された状態となり、閉鎖部材１２７は閉鎖した状態となる。この時、閉鎖部材１２７の閉鎖した状態により定量以外の内容物の開放部１２２への進入を防止し続ける。
【０３０７】
通過運動部１４０は、開放部１２２の内側面に該当する固定部材１２１に回動可能に設けられている。開放部１２２は、図３から図５の順で示す通過作動部１２０を傾ける操作を通して、内容物５を引き出すために図６から図８に示す順で開放部１２２が開放される。それから、図１２に示すように、通過作動部１２０を再び立てる位置に復帰させると、通過運動部１４０の重さ平衡力によって通過運動部１４０が、図３または図１２のように、運動部材１２５を基準として閉鎖部材１２７が開放される状態に復帰するようになる。
【０３０８】
したがって、復帰した位置である図３から図５の順序で通過作動部１２０が再び傾くと、再び引き出すために通過運動部１４０に初めて接近する定量の内容物が閉鎖部材１２７に詰まることなく進入して開放部材１２４に接触する。通過運動部１４０のこのような回動作動によって、容器本体１１０の中にあるすべての内容物が、定量ずつ引き出され得る。
【０３０９】
通過通路部１３９の下部には、内容物５を通過通路部１３９に流入させる移動案内部１８０を備える。
【０３１０】
特に、移動案内部１８０の少なくとも一部は傾斜するように形成されることによって、内容物５が傾斜した面に沿って通過通路部１３９が位置したところに案内される。
【０３１１】
すなわち、通過作動部１２０を備えるハウジング１１０を傾ける場合、内容物５は移動案内部１８０の重力方向に傾斜した面に沿って移動する。
【０３１２】
特に、通過作動部１２０は開放部１２２を有しつつ、開放部１２２が一定の高さ立ち上がるように形成される。
【０３１３】
併せて、移動案内部１８０の傾斜した面の少なくとも一部が曲面でありながら徐々に狭くなるように形成されることによって、内容物５が狭くなる曲面を通じて通過作動部１２０側に移動するように誘導される。
【０３１４】
また、開放部材１２４の運動角度は内容物通過手段１２３に設けられるストッパー１２９と通過作動部１２０を備えるハウジング１１０に連結されるカバー３０のうち少なくとも一つによって制限され得る。
【０３１５】
併せて、ストッパー１２９は、運動部材１２５から延びて開放部材１２４がこれ以上運動されず、閉鎖部材１２７が開放部１２２を完全に閉鎖する状態を維持するようにする役割をする。すなわち、ストッパー１２９は内容物通過手段１２３またはハウジング１１０に形成されて開放部材１２４の回転角度を制限する役割をする。
【０３１６】
通過装置１００を備える内容物収容器具１は容器器具であり得る。
【０３１７】
さらに詳細には、内容物通過手段１２３は、運動による開放によって内容物５が通過されるようにする通過運動部１４０を含む。
【０３１８】
そして、通過運動部１４０は、内容物５の通過方向に運動して内容物５の通過空間を形成する開放部材１２４、および開放部材１２４に連動して内容物５が通過できないか部分的にのみ通過するように開放部１２２の少なくとも一部を閉鎖する閉鎖部材１２７を含む。
【０３１９】
これによって、閉鎖部材１２７は開放部材１２４に連動して開放部１２２を少なくとも一部閉鎖することにより、定量を超過する内容物５が開放部１２２を通過することを防止することができる。
【０３２０】
また、通過作動部１２０は、内容物を通過させるために開放部１２２を形成する固定部材１２１、および内容物５が内容物通過手段１２３側に流入して案内されるようにする移動案内部１８０を含む。
【０３２１】
この時、内容物５は内容物通過手段１２３の変形によって通過するが、特に開放部材１２４の回動によって通過する。
【０３２２】
すなわち、通過作動部１２０は、内容物５が通過する前に位置する通過以前部１１３と通じる開放部１２２を形成して通過以前部１１３に位置した内容物５が通過するのを許容する。特に、内容物通過手段１２３は、開放部１２２を通じて内容物５を移動させる。
【０３２３】
換言すると、内容物５の通過空間は、開放部材１２４の固定されていない自由端が内容物５の重さによる押圧、通過作動部１２０を備えるハウジング１１０の揺れ、開放部材１２４の自重のうち少なくとも一つによって運動されることにより形成され得る。
【０３２４】
一方、通過装置１００は、内容物移動器具１または収容器具に適用されて、内容物移動器具１または収容器具の本体から開閉可能な開閉器具であり得る。
【０３２５】
そして、通過装置１００は、通過作動部１２０を含む。併せて、通過作動部１２０は、内容物移動器具１または収容器具の本体の通過以前部１１３の内容物５を、通過装置１００側に移動案内する。ここで、内容物移動器具１または収容器具の本体は、ハウジング１１０を指し示し得る。
【０３２６】
併せて、通過運動部１４０は運動部材１２５を含む。運動部材１２５は開放部材１２４を運動可能に連結することができる。
【０３２７】
通過作動部１２０は、内容物５が内容物通過手段１２３に接触する側である通過排出側から内容物５が進入する側である通過進入側に延長形成される通過通路部１３９を含む。
【０３２８】
そして、通過通路部１３９は、内容物５を内容物通過手段１２３に移動案内する役割をする。
【０３２９】
併せて、通過運動部１４０は、通過作動部１２０を傾ける場合、通過運動部１４０が通過作動部１２０の傾きを超過する傾きに通過作動部１２０と共に傾くことを抑制する平衡部１２３ｂを含むことができる。
【０３３０】
開放部１２２を通じて、開放部材１２４が運動して形成される通過空間の開放の有無により内容物５を通過案内する。この時、開放部材１２４は固定部材１２１に直接的または間接的に連結され得る。
【０３３１】
換言すると、内容物５が滑る方向である通過装置１００の方向に通過作動部１２０を傾ける場合、通過運動部１４０は通過作動部１２０が傾く方向の反対方向に重さ偏り力が作用するようになり、開放部材１２４が開放部材１２４の自重によって通過作動部１２０が傾く方向に通過作動部１２０が傾く角度以上に傾くことを抑制する。
【０３３２】
併せて、平衡部１２３ｂは、平衡部１２３ｂの重さ平衡状態が内容物５を通過させるために傾く通過作動部１２０の傾きの反対方向に回転する力が発生するように構成され、したがって、平衡部１２３ｂの重さ平衡によって開放部材１２４が通過作動部１２０の傾き方向に反ることなく通過作動部１２０の傾きの反対方向に回転しようとする力が作用する。
【０３３３】
この時、固定部材１２１は、開放部材１２４が連結される通過装置１００の内部通孔空間の内周面に設けられるか、または通過装置１００が含むハウジング１１０の部材であり得る。
【０３３４】
特に、内容物が通過方向または通過方向の反対方向に運動部材１２５の外部曲面または開放部材１２４の外部面に接触して移動する時、運動固定部１２５ａの円周の外側方向に内容物が抵抗されて移動する。
【０３３５】
この時、内容物の運動固定部１２５ａの円周外側方向の移動により開放部１２２の有効通過空間が狭くなり、需要量以外の内容物の通過を防ぐ。
【０３３６】
すなわち、通過作動部１２０の傾きにより内容物５が開放部材１２４に接触すると、内容物５の重さの少なくとも一部又は全部が平衡部１２３ｂに加えられて通過作動部１２０の傾き方向に平衡部１２３ｂの重さ偏りが発生するようになり、この時、平衡部１２３ｂの開放部材１２４側に加えられる内容物５の重さによって発生する通過作動部１２０の傾き方向への重さ偏りが平衡部１２３ｂが通過作動部１２０の傾きの反対方向に回転しようとする平衡部１２３ｂだけの平衡状態の位置に到達しようとする平衡維持力を超過するようになると、平衡部１２３ｂが通過作動部１２０の傾き方向に回転する。
【０３３７】
併せて、内容物は、運動部材１２５の曲面である外部面に沿って軸反対方向に押圧されながら移動し、これにより他の内容物と共に通過する有効通過空間をなくす。
【０３３８】
この時、他の内容物と共に通過する有効通過空間を減らすための、運動部材１２５の外部面に沿って曲面などで形成される突出した構成は、底高さ変化部材１４７である。底高さ変化部材１４７は、内容物が通過して接する運動部材１２５の底高さを相対的に上昇させ、内容物が通過する開放された開放部１２２の空間を狭くする役割をする。
【０３３９】
そして、少なくとも開放部材１２４を含む通過運動部１４０または平衡部１２３ｂの重さまたは重心が、通過作動部１２０を備えるハウジングを傾けた場合に、必要内容物が開放部材１２４に接触する前に通過運動部１４０の自重によって回転がなされないように通過運動部１４０の形状が形成されるか、通過運動部１４０の構成部材が結合されて形成され得る。
【０３４０】
また、内容物通過手段１２３は、運動部材１２５を含む。運動部材１２５は、開放部材１２４を回動運動可能に連結する。
【０３４１】
特に、通過作動部１２０は、内容物５を通過させるために開放部１２２を備える固定部材１２１を含む。
【０３４２】
内容物通過手段１２３は、開放部材１２４および運動部材１２５を含む。
【０３４３】
開放部材１２４は固定部材１２１と連結される。そのため、開放部材１２４は、運動して開放部１２２の開放の有無によって、内容物５を受け取り案内することができる。
【０３４４】
そして、運動部材１２５は、開放部材１２４を運動可能に連結する。
【０３４５】
したがって、内容物５が開放部材１２４を押圧する時、内容物５は開放部材１２４の傾きによって流入する。閉鎖部材１２７は、開放部材１２４に連動して開放部１２２の少なくとも一部を閉鎖することによって、需要量を超過する内容物５が通過することを防止することができる。
【０３４６】
この時、通過運動部１４０は、内容物移動器具または収容器具１が傾いた時、通過運動部１４０の重心で平衡を維持しようとするまたは平衡になるために内容物移動器具または収容器具１の傾きの反対方向に回転しようとする力によって、通過運動部１４０が内容物移動器具または収容器具１の傾きを超過して、それ以上傾かない平衡部１２３ｂとなる。
【０３４７】
この時、図５のように、通過運動部１４０または平衡部１２３ｂが平衡を維持するか平衡になるために回転しようとする力の方向は、内容物移動器具または収容器具１の傾きの反対方向に通過運動部１４０または平衡部１２３ｂが回転しようとする力で発生する。特に、通過運動部１４０は、通過運動部１４０の重心平衡のために別途の運動制御部材１２３ａを含むことができる。
【０３４８】
運動制御部材１２３ａは、通過作動部１２０が傾く時、開放部材１２４と運動制御部材１２３ａの重さまたは開放部材１２４、運動制御部材１２３ａおよび開放部材１２４と共に運動する別途部材の重さによって平衡部１２３ｂの重心に重さ平衡力が作用し、重力方向の重心位置を維持しようとする力によって開放部材１２４が通過作動部１２０の傾きを超過する傾きに傾かないようにすることができる。
【０３４９】
内容物が通過装置１００方向に滑る方向に通過作動部１２０を傾ける場合、通過運動部１４０は通過作動部１２０が傾く方向とは反対方向に重さ偏り力が作用するようになり、開放部材１２４は、開放部材１２４の自重によって通過作動部１２０が傾く方向に通過作動部１２０が傾く角度以上に傾くことを抑制するようになる。
【０３５０】
開放部材１２４が含まれている平衡部１２３ｂは、通過作動部１２０が傾くことによって内容物が滑り落ちて開放部材１２４に接触して、内容物の重さが通過作動部１２０が傾く方向に加えられて通過作動部１２０が傾く方向に重さ偏りが発生する前には、開放部材１２４は、内容物の吐出のために開放される方向に開放部材１２４の自重による運動が抑制され、内容物が接触する前まで開放待機状態を維持するようになる。
【０３５１】
このように、通過運動部１４０は平衡部１２３ｂとなり、平衡部１２３ｂは平衡部１２３ｂの重さ平衡状態が内容物を通過させるために傾く通過作動部１２０の傾きの反対方向に回転する力が発生するように構成され得る。したがって、平衡部１２３ｂの重さ平衡によって、開放部材１２４は、通過作動部１２０が傾く方向に傾くことなく、通過作動部１２０の傾きの反対方向に回転しようとする力が作用するようになる。
【０３５２】
また、平衡部１２３ｂが通過作動部１２０の傾きの反対方向に回転しようとする力は、固定部材１２１またはハウジング１１０のような内容物器具の部材に抵抗されて、通過作動部１２０の傾きの反対方向に回転が発生しないように抑制され得る。したがって、平衡部１２３ｂは平衡部１２３ｂの平衡状態方向に維持または回転運動しようとする力によって通過作動部１２０の傾き方向に反らなくなり、固定部材１２１またはハウジング１１０に抵抗されるようにして平衡部１２３ｂの平衡状態方向に維持または回転運動しようとする力による通過作動部１２０の傾きの反対方向に回転が抑制される。
【０３５３】
通過作動部１２０が傾くことによって内容物が開放部材１２４に接触すると、内容物の重さの少なくとも一部又は全部が平衡部１２３ｂに加えられて、図７および図８の左側方向である通過作動部１２０の傾き方向に平衡部１２３ｂの重さ偏りが発生するようになる。この時、平衡部１２３ｂの開放部材１２４側に加えられる内容物の重さによって発生する通過作動部１２０の傾き方向への重さ偏りが、平衡部１２３ｂが通過作動部１２０の傾きの反対方向に回転しようとする平衡部１２３ｂだけの平衡状態の位置に到達しようとする平衡維持力を超過するようになると、平衡部１２３ｂが通過作動部１２０の傾き方向に回転するようになる。この時、平衡部１２３ｂの回転が固定部材１２１またはハウジング１１０のような内容物器具の部材と接触抵抗されて平衡部１２３ｂが通過作動部１２０の傾き方向に必要以上に回転することを抑制することができる。
【０３５４】
内容物移動器具または収容器具１と共に通過作動部１２０が傾く時、平衡部１２３ｂまたは通過運動部１４０は、平衡部１２３ｂまたは通過運動部１４０の重心で重さ平衡をなそうとする力の作用によって、通過作動部１２０の傾きよりも傾かずに、通過作動部１２０内での位置と傾きを維持することができる。
【０３５５】
すなわち、通過運動部１４０は、開放部１２２にシーソー運動可能に設けられて、通過作動部１２０は、シーソー運動によって、通過作動部１２０を設定角度以内に傾ける場合、初期状態を維持して開放部材１２４は開放部１２２を開放しない。
【０３５６】
内容物が通過運動部１４０を押圧する力または内容物が通過運動部１４０を押圧する力と通過運動部１４０の自重によって開放部１２２は開放され、内容物が設定量だけ通過案内される。
【０３５７】
設定角度は、開放部１２２を形成した内容物移動器具または収容器具１が立てられた初期状態から１８０度を超過しない傾き角度で設定され得る。
【０３５８】
通過運動部１４０は、回転中心である運動部材１２５を基準として左側または右側に重さ偏り現象によってシーソー運動をすることができる。
【０３５９】
通過運動部１４０は、開放部１２２を形成した内容物移動器具または収容器具１が傾いた待機状態で、回転中心である運動部材１２５を基準として閉鎖部材１２７側に重さが偏り、閉鎖部材１２７がストッパーに係止されることによって閉鎖部材１２７が開放部１２２を閉鎖せずに開放した状態を維持することができる。
【０３６０】
通過運動部１４０は、開放部１２２を形成した内容物移動器具または収容器具１を設定角度以内に傾ける場合、傾く方向の反対側への重さ偏重により、開放部材１２４が開放部１２２を閉鎖した状態を維持することができる。
【０３６１】
通過運動部１４０は、開放部１２２を形成した内容物移動器具または収容器具１が傾いた場合、開放部１２２側に流入する内容物の重さが加重されて回転中心である運動部材１２５を基準として回動しながら開放部１２２を開放することができる。
【０３６２】
このように通過運動部１４０は、運動部材１２５を基準として開放部１２２でシーソーのテコの重さ平衡原理によって往復回動して、開放部１２２を開閉することができる。
【０３６３】
通過運動部１４０は、通過作動部１２０が設定角度以内に回動時に自重によって開放部１２２を閉鎖した状態を維持し、内容物の押圧力または内容物が通過運動部１４０を押圧する力と通過運動部１４０の自重によって開放部１２２を順に開閉しながら内容物を設定量だけ通過案内することができる。
【０３６４】
通過運動部１４０は、通過作動部１２０を傾けた場合、通過運動部１４０の自重によって通過作動部１２０の傾きを超過して傾くことを抑制する平衡部１２３ｂを含むことができる。
【０３６５】
通過運動部１４０は、内容物の通過方向に運動して内容物の通過空間を形成する開放部材１２４を含むことができる。
【０３６６】
通過運動部１４０は、開放部材１２４に連動して内容物が通過できないか部分的にのみ通過するように開放部１２２の少なくとも一部を閉鎖する閉鎖部材１２７を含むことができる。
【０３６７】
設定量だけの内容物が開放部材１２４に接触する前までは、重さ平衡によって通過運動部１４０の自重による回動が発生しないように通過作動部１２０や内容物通過手段１２３の形状が備えられ得る。
【０３６８】
通過運動部１４０は、テコ運動の重心平衡の設定のための運動制御部材１２３ａをさらに含むことができる。
【０３６９】
通過作動部１２０内に設けられる抵抗部材１１０ａを含み、抵抗部材１１０ａは通過作動部１２０内を通過する内容物の通過を制限する。
【０３７０】
通過作動部１２０内に設けられる抵抗部材１１０ａを含み、抵抗部材１１０ａは通過作動部１２０内を通過する内容物の通過を制限し、抵抗部材１１０ａは閉鎖部材１２７と連係して内容物の通過を抵抗することができる。
【０３７１】
抵抗部材１１０ａは、需要量を超過する内容物の進入が容易とならないように通過作動部１２０の内部で突出して構成され得る。また、運動する閉鎖部材１２７と連係して、需要量を超過する内容物の進入をさらに効果的に遮断することができる。
【０３７２】
抵抗部材１１０ａは多様に形成され得るが、便宜上、抵抗上板部材１８２の一部が内側に凹んで陥没形成されるものと図示する。
【０３７３】
また、通過運動部１４０は、収容部材１２７ａを含む。
【０３７４】
収容部材１２７ａは、開放部材１２４に連動して開放部材１２４方向に運動して、開放部材１２４と共に需要量の内容物を収容し運動する。
【０３７５】
併せて、内容物５は抵抗上板部材１８２と抵抗側板部材１８３のうちいずれか一つ以上に接触し、開放部１２２を通過した内容物の残留量を制限する。
【０３７６】
抵抗上板部材１８２は移動案内部１８０に設けられ得、抵抗側板部材１８３は抵抗上板部材１８２や固定部材１２１に連結され得る。
【０３７７】
特に、抵抗側板部材１８３は内容物５の通過方向に向かう固定部材１２１の表面に形成され得るが、開放されるカバー３０が備えられる場合、カバー３０を開放時に共に移動して内容物を取る時に干渉とならないようにカバー３０に形成されるものとする。
【０３７８】
もちろん、抵抗上板部材１８２と抵抗側板部材１８３とは、内容物５の通過方向と通過の側面方向に多様な形状に変形可能である。
【０３７９】
そして、移動案内部１８０は、内容物５の流入側に内容物誘導部１８８を形成する。内容物誘導部１８８は、内容物が内容物通過手段１２３への移動中に発生する高さの差を複数以上の段に分けたり傾斜面で構成して、高さの差が内容物の移動を妨げずに内容物の移動を誘導するようにして、通過以前部１１３の内容物が通過通路部１３９に安定して移動するように誘導する役割をする。もちろん、内容物誘導部１８８は、多様な形状に変形可能である。
【０３８０】
一方、通過装置１００は、供給案内部１１９をさらに含む。
【０３８１】
供給案内部１１９は、通過作動部１２０の吐出側に移動する内容物５が一つまたは定量吐出案内されるように、内容物５の移動方向と移動状態を設定するためにハウジング１１０に形成される。
【０３８２】
特に、ハウジング１１０は、縮径部１１６および拡径部１１７を含む。
【０３８３】
縮径部１１６は、固定部材１２１を備え、内容物５が移動案内部１８０側に移動案内されるように縮径形成される。この時、縮径部１１６の直径は、内容物誘導部１１８とガイド部材１９０および抵抗上板部材１８２に沿って形成される円周の軌跡と類似するか同一であるものとする。
【０３８４】
そして、拡径部１１７は、内容物を初期に設定量だけ貯蔵可能であるように縮径部１１７よりも内部空間が大きく形成される。もちろん、拡径部１１７の直径は限定しない。
【０３８５】
そして、供給案内部１１９はハウジング１１０の縮径部１１６と拡径部１１７の連結部位に形成され、円周の軌跡に沿って内側に膨らんで曲率を有するように形成される。そのため、内容物５が供給案内部１１９に沿って移動して内容物誘導部１８８とガイド部材１９０の内側に設定量ずつ流入して案内される。
【０３８６】
もちろん、供給案内部１１９は多様な形状に変形可能である。
【０３８７】
内容物が通過通路部１３９に誘導されるようにする内容物誘導部１８８のすべり開始終端が、本実施例の容器本体であるハウジング１１０のネック部分である縮径部１１６の内径に近接または接触して位置する。したがって、内容物誘導部１８８のすべり開始終端が、屈曲した形状の供給案内部材１１９と連結されるように位置して、内容物の移動が円滑に連結されて内容物が滑りながら拡径部１１７から通過通路部１３９に移動案内される。
【０３８８】
インジェクションブロー容器は、容器ハウジング１１０のオープニングに空気圧が加えられる理由により、容器の胴体である拡径部１１７より狭いネック部分である縮径部１１６が作られる。
【０３８９】
したがって、インジェクションブロー筒である場合には、通過装置１００に設けられる内容物誘導部１８８の終端部位が傾斜したり曲がったりした段がある形状で、容器のネック１１６の内径と容器の胴体１１７の内径を全部または部分で連結するようにして、ハウジング１１０を傾けて内容物が滑る時に内容物が通過通路部１３９に円滑に移動するようにすることができる。
【０３９０】
もちろん、本実施例のように内容物誘導部１８８の内容物進入部位と拡径部１１７の間に段差がある場合、内容物誘導部１８８の内容物進入部位と拡径部１１７の間の段差を連結する形状変化部１１９が備えられ得る。本実施例の場合、形状変化部１１９は、縮径部１１６と拡径部１１７との段差を連結して、内容物のハウジング内の段差での供給移動を案内する供給案内部１１９である。
【０３９１】
また、本実施例のように入口が容器の胴体より狭いインジェクションブロー筒だけでなく、入口が容器の胴体より狭くない射出筒の場合にも、通過運動部１４０の開放部材１２４の回転軸の作動位置が容器ハウジング１１０の内径から内部に離れて位置するので、滑って移動する固形物の位置と差が発生し得、このような段差を連結するために内容物誘導部１８８の容器底方向である内容物進入部位が傾斜したり曲がったりした段で形成される。
【０３９２】
インジェクションブロー筒と射出筒の両方とも、開放部材１２４の作動位置が容器の内径の内側に位置するようになり、これに伴い、容器の胴体１１７から接近する内容物の位置と段差が発生し、このような段差を連結する傾斜したり曲がったりした段で構成される内容物誘導部１８８を含む。
【０３９３】
本実施例の容器本体１１０はインジェクションブロー筒であって、本体の上部のオープニングに空気圧が加えられる理由により、拡径部１１７より狭い縮径部１１６部分が構成される。
【０３９４】
本実施例では縮径部１１６の内径に離隔して位置する開放部材１２４と縮径部１１６との内径の段差を連結する内容物誘導部１８８が備えられる。
【０３９５】
本実施例のようなインジェクションブロー容器である場合、段差連結部１８８は、容器の縮径部１１６の内部と容器の胴体１１７の内部とを連結して、内容物の滑りが円滑となるように連結される。
【０３９６】
また、容器の胴体１１７より狭い縮径部１１６と、内容物が保管されて移動を待機する拡径部１１７とを連結する傾斜部位である供給案内部１１９を含む。供給案内部１１９は、ハウジング１１０を傾けて拡径部１１７の内容物が内容物誘導部１８８に移動するときに発生する段差を連結する役割をすることができる。
【０３９７】
本実施例とは異なり、内容物誘導部１８８の容器の底方向の段差開始終端である段差開始点が縮径部１１６の内径より大きい場合、ハウジング１１０に通過装置１００を挿入するには、内容物誘導部１８８の段差開始終端である内容物誘導部１８８の容器底方向開始点を含む通過装置１００の下部を先に垂直方向に挿入した後、通過装置の位置を水平方向に移動して再び通過装置１００を垂直方向に挿入しなければならないため、組立時に垂直移動後に中間段階である水平移動後、垂直移動する三つの段階が必要となる。
【０３９８】
一方、本実施例のように通過装置１００の内容物誘導部１８８がハウジングの内径に近接する内容物誘導部１８８の開始点とガイド部材１９０とが、縮径部１１６の内部に位置するようにして、通過装置１００をハウジング１１０に組み立てる時に一方向から直接挿入が可能となる。
【０３９９】
特に、これは本実施例のように、拡径部１１７の容器の胴体１１７より縮径部１１６の容器のネック１１６部分を小さく生産されるブロー容器の特性で示される。ハウジング１１０はインジェクションブロー筒であって、膨らんだ胴体と通過装置１００の主要部位が位置する縮径部１１６で構成される。
【０４００】
したがって、拡径部１１７方向である、内容物誘導部１８８を含む通過装置１００の下部全体の外径が容器の縮径部１１６の内径より小さいように構成されると、容器本体への組立時に中間段階である水平移動なしに通過装置１００が容器本体であるハウジング１１０に一方向に一度に挿入されるようになる。
【０４０１】
一方、通過装置１００は、容器本体に組み立てられて地面の上部から下部方向の方を支持するように、縮径部１１６の上端が広く構成されるか縮径部１１６の内部に段が形成され得る。
【０４０２】
また、容器が傾いた時、内容物通過ディスペンサーである通過装置１００が接触する内容物の重さによって、外部に分離されないように通過装置１００の上部外径に突出部が構成され、これに相応してハウジング１１０の縮径部１１６の上端に溝が形成されて挿入時に噛み合うようにすることができる。
【０４０３】
縮径部１１６の上端に、多様な形態の蓋が結合され得る。
【０４０４】
もちろん、ハウジング１１０は拡径部１１７と縮径部１１６が区分されずに一の字状に連結されたり多様な形状で構成されてもよい。すなわち、ハウジング１１０は同一直径の容器など多様に製作され得る。
【０４０５】
結果として、初期の立てられている状態で、通過運動部１４０の重さ平衡力によって、開放部材１２４が開放部１２２を防いでいる状態を維持する。すなわち、一側（右側）に回転しようとする力が作用する時、ストッパー１２９が通過運動部１４０の一側への回転を防ぐ。
【０４０６】
そして、通過運動部１４０が位置する方向である他側（左側）に傾いたり水平を超過しないため内容物５が滑らない状態となる。併せて、容器１１０を所定の角度（９０度以内）に傾ける場合、通過運動部１４０の回転中心の垂直線の下部方向に重力が作用する。そのため、垂直線を基準として、一側の重さがより大きいため一側方向に回転しようとする力が発生しても、ストッパー１２９によって実質的な回転が発生しない。
【０４０７】
容器１１０が水平状態の場合、任意の垂直線の一側がより重くなって一側方向に回転しようとする力が発生するが、ストッパー１２９によって実質的な回転を発生しなくなる。したがって、通過運動部１４０は自らの回転が発生しない。
【０４０８】
併せて、容器１１０を水平以上にさらに傾けた時、閉鎖部材１２７が開放された状態で通過運動部１４０の運動はなく、待機状態となる。この時、内容物５が容器１１０の内部の傾斜により重力方向に滑りながら移動するようになる。
【０４０９】
特に、容器１１０とガイド部材１９０と間の段差があっても、タブレット形態の個々の内容物５は、立てられずに横になってガイド部材１９０に進入が可能となる。
【０４１０】
この時、容器１１０の内部の内容物５中の最初の内容物５が、通過運動部１４０の開放部材１２４と閉鎖部材１２７との間に設けられる通過隔室部１２４ａに入ってこない状態となる。
【０４１１】
併せて、平たい形態ではない長方形の内容物５は、立てられずに安定してガイド部材１９０の傾斜に沿って滑るようになる。
【０４１２】
この時、容器１１０が９０度を超過して傾く前には、内容物５が通過運動部１４０に接触しなくなる。
【０４１３】
一方、容器１１０を９０度を超過させて傾ける場合、内容物５と底部材との摩擦または内容物５による開放部材１２４を押圧する力によって、通過運動部１４０が通過隔室部１２４ａの空間内にある内容物５と共に移動（回動）するようになる。
【０４１４】
この時、内容物５の荷重と重力方向である垂直線の左側の重さが右側の重さより大きくなって左側に重さ偏りが発生するにつれて（図９参考）、通過運動部１４０が回転中心１２５を基準として左回り、つまり反時計回り方向に回転して、内容物５を外部に通過させる。
【０４１５】
定量内容物５は外部に排出され、通過運動部１４０との接触がないため、通過運動部１４０は、右側の重さがより大きいので右側に回転しようとする力が発生するが、残っている内容物５が閉鎖部材１２７を重力によって接触することによって状態を維持するようになる。
【０４１６】
特に、図５はハウジング１１０を水平方向以上（−９０度以上）に傾けた状態を図示する。この時、閉鎖部材１２７は、開放された状態で通過運動部１４０の運動（回動）なしに初期状態を維持する。内容物５がハウジング１１０の内部の傾斜により重力方向（Ｃ）の力で滑りながら移動を開始する。
【０４１７】
ハウジング１１０とガイド部材１９０との間の段差があっても、タブレット形態の個々の内容物５は、立てられずに横になってガイド部材１９０に進入が可能となる。まだ最初の内容物（錠剤、５）が、通過運動部１４０の開放部材１２４と閉鎖部材１２７との間に設けられる通過隔室部１２４ａに入っていない状態となる。
【０４１８】
平たい形態の錠剤ではないタブレット形態の内容物５は、立てられずに安定してガイド部材１９０の傾斜を滑りながら移動する。
【０４１９】
通過運動部１４０がハウジング１１０の傾きによって初期状態を基準として反時計回り方向に９０度を超過して傾いた状態であるが、内容物５が通過運動部１４０に接触していない状態であり、運動部材１２５を基準として右側重さ偏りで右側方向である時計回り方向に回転しようとするが、ストッパー１２９により抑制されて待機状態を維持する。
【０４２０】
図６は、閉鎖部材１２７が開放された状態で、内容物５が通過運動部１４０の内部空間に進入する状態を図示した図面である。
【０４２１】
通過運動部１２４の平衡部１２３ｂに内容物５の自重が加えられて、開放部材１２４側である重力垂直線（Ｃ）の左側部位に重さ偏りが相対的に大きくなることによって、平衡部１２３ｂと内容物５の抵抗によって、内容物５が開放部材１２４と接触するために接近するかまたは開放部材１２４と接触しながら通過運動部１４０がハウジング１１０の傾きを超過して反時計回り方向に回転することができる。
【０４２２】
この時、傾いた傾斜面に沿って重力方向に移動する内容物５と平衡部１２３ｂとの摩擦、または開放部材１２４を押圧する力によって、通過運動部１４０は通過隔室部１２４ａの空間内にある内容物５と共に移動する。
【０４２３】
図７は、通過運動部１４０が初期状態で、運動部材１２５を基準として反時計回り方向に回転がさらに進行して、閉鎖部材１２７が定量の内容物（錠剤、５）の後に進入する内容物６を遮断し始める状態を図示する。
【０４２４】
この時、錠剤状態である内容物５の荷重と共に通過運動部１４０の重力垂直線（Ｃ）の左側の重さが右側の重さより大きくなって左側への重さ偏りが発生する。これにより、通過運動部１４０が反時計回り、つまり運動部材１２５の回転中心の左側に回転して、内容物５を外部に通過させることができる。
【０４２５】
図８のように、通過運動部１４０が初期状態から運動部材１２５を基準として反時計回りの方向にさらに回転した場合、通過運動部１４０を押圧した定量の内容物５は、外部に排出される。内容物５は、通過運動部１４０の開放部材１２４側とそれ以上接触しないため、通過運動部１４０は中心線（Ｃ）を基準として右側の重さがより大きくなり、右側である時計回り方向に回転しようとする力が発生する。しかし、残っている内容物６が閉鎖部材１２７を重力によって接触することによって、バルブ１００は、右側に復帰せずに現状態を維持しながらそれ以上の内容物５が通過隔室部１２４ａの空間に進入しないようにする。
【０４２６】
図１０のように、タブレット形態の個々の内容物５は、長さ（Ｘ）が幅（Ｙ）と高さ（Ｚ）と同一または類似であるか、または平たくないすべての形態において、内容物５が個々の定量であるとき、内容物一個の幅の１倍超２倍未満の横幅の空間で通過通路部１３９の空間を構成することができる。
【０４２７】
単一数量を定量で通過させる場合、横方向の最短幅の長さは、内容物５の断面軸の長さの１倍を超過し、２倍以下の範囲で通過通路部１３９の通過空間許容値を設けることができる。これは、単一数量を超過する内容物５が、同時に通過通路部１３９を通過しないようにする。複数個以上の内容物５を通過させる場合、通過空間許容値は２倍以上に調節可能である。
【０４２８】
図１１は内容物５の定量が個々の場合、内容物５の一個の高さまたは幅の最大長さの１倍超２倍未満の縦高さ空間に単一数量を定量で通過させる場合、通過通路部１３９の縦方向の最短幅の長さは、内容物５の断面軸の２倍以下に通過空間許容値を設けることができる。これは単一数量を超過する内容物５が、同時に通過通路部１３９を通過しないようにする。
【０４２９】
図１２は通過運動部１４０を傾ける前の状態に復帰する過程中または立てられる場合を図示したものである。内容物５が定量だけ外部に通過した後、ハウジング１１０が時計回りの方向に運動して初期状態に復帰した時、内容物５は閉鎖部材１２７と接触して閉鎖部材１２７を押圧していた内容物６は重力（Ｃ）で下に落ちて閉鎖部材１２７を接触しなくなる。通過運動部１４０は、運動部材１２５を基準として見た時に右側重さ偏りによって右側である時計回り方向に回転し、ストッパー１２９が抵抗する地点まで回転運動して初期状態に復帰するようになる。閉鎖部材１２７が開放される状態に復帰した時、再び左側方向に傾けると、通過運動部１４０に初期の内容物５が接触する前まで通過運動部１４０が回転しない通過待機状態となる。
【０４３０】
その後、ハウジング１１０が開放部１２２の方向に傾くようになると、図５のように、内容物５の定量通過が誘導され得る準備段階が満足するようになる。
【０４３１】
図１３は本発明の第２実施例に係る通過装置に設けられるセンサモジュールのブロック構成図であり、図１４は本発明の第２実施例に係る投薬管理装置の概略図であり、図１５は本発明の第２実施例に係る投薬管理装置を傾ける場合の作動状態図である。
【０４３２】
図１６は本発明の第２実施例に係る投薬管理装置の服薬案内端末のブロック図であり、図１７は本発明の第２実施例に係る服薬案内端末の作動図であり、図１８は本発明の第２実施例に係る投薬管理装置のフローチャートである。
【０４３３】
図１９は本発明の第２実施例に係る投薬管理装置を有するハウジングの斜視図であり、図２０は本発明の第２実施例に係る投薬管理装置の通信システムであり、図２１は本発明の第２実施例に係る投薬管理装置の通信作動図である。
【０４３４】
図１３〜図２１に図示された通り、本発明の第２実施例に係る通過装置の通過作動部１２０を備える内容物移動器具１は服薬管理装置を含む。
【０４３５】
そして、服薬管理装置はセンサモジュール５００、服薬案内端末６００および服薬管理サーバー７００を含む。
【０４３６】
センサモジュール５００は通過作動部１２０により排出される内容物５を感知する。通過作動部１２０は、内容物５が予め設定された量だけ吐出されるようにする。したがって、通過作動部１２０を通じて吐出される内容物５を感知すると、該当内容物移動器具１から吐出される内容物５の量を正確に感知することができる。
【０４３７】
内容物５は前記した通り、通過作動部１２０の通過空間１１２ｃを通じて吐出される。センサモジュール５００は、この通過空間１１２ｃを通じて吐出される内容物５を感知することができる。この時、通過作動部１２０が、回転中心または自重方向（Ｃ）に対してシーソー運動をしながら回動されることは前述した通りである。
【０４３８】
また、センサモジュール５００は、内容物５を感知し、その感知結果により服薬状態情報を生成して服薬案内端末６００に伝達する。
【０４３９】
特に、図１３〜図１５を参照すると、センサモジュール５００はセンサ部５１０およびセンシング制御部５２０を含む。
【０４４０】
センサ部５１０は、通過作動部１２０の作動によって通過空間１１２ｃに吐出される内容物５を感知する。このために、センサ部５１０は、図１４および図１５に図示された通り、通過空間１１２ｃの一側に設置されるが、通過空間１１２ｃを中心に通過作動部１２０の他側に設置される。
【０４４１】
センサ部５１０は通過空間１１２ｃに向かって光を放出し、放出された通過作動部１２０または内容物５により反射した光を受光する。
【０４４２】
すなわち、センサ部５１０は、通過空間１１２ｃを中心に通過作動部１２０の他側に設置されて通過空間１１２ｃを通じて吐出される内容物５に向かって光を放出し、その後内容物５に反射された光を受光することで、内容物が通過空間１１２ｃを通じて吐出されることを正確に感知することができる。
【０４４３】
センシング制御部５２０は、センサ部５１０を制御して通過空間１１２ｃを通じて通過する内容物５を感知し、感知結果に服薬状態情報を生成して服薬案内端末６００に伝達する。
【０４４４】
すなわち、センシング制御部５２０は、センサ部５１０を制御して通過空間１１２ｃに向かって光を放出する。センサ部５１０により放出された光は、内容物が通過空間１１２ｃを通じて吐出されるかの可否により通過作動部１２０または内容物５に反射される。反射した光は、センサ部５１０により受光される。
【０４４５】
センサ部５１０により光が受光されると、センシング制御部５２０は、センサ部５１０を制御して光を放出した時刻と、センサ部５１０により光が受光した時刻の時間差とを検出する。
【０４４６】
引き続き、センシング制御部５２０は、この時間差を予め設定された設定値と比較して時間差が設定値以内であれば、内容物５が通過空間１１２ｃを通過したと判断する。
【０４４７】
ここで、設定値とは、内容物５が通過空間１１２ｃを通じて吐出されたと判断できる基準となる値である。通常、内容物５が通過空間１１２ｃを通じて通過する場合、センサ部５１０と内容物５と間の距離は近くなる。したがって、時間差が設定値以内であれば、内容物５が通過空間１１２ｃを通過したと判断することができる。
【０４４８】
設定値は、通過空間１１２ｃの内径や、内容物５の種類、内容物の大きさなどにより多様に設定され得る。
【０４４９】
図１４を参照すると、内容物移動器具１が内容物が吐出されないように置かれた状態では、通過空間１１２ｃに内容物が吐出されない。
【０４５０】
反面、図１５に図示された通り、内容物移動器具１を傾けて内容物５が吐出される場合には、内容物５が通過空間１１２ｃを通じて吐出されるので、センサ部５１０によって放出された光は内容物５によって反射されて受光される。
【０４５１】
一方、時間差が予め設定された設定値以内であるかどうかにより内容物５を感知するところ、センシング制御部５２０は、内容物５の感知結果に基づいて服薬状態情報を生成し、生成された服薬状態情報を服薬案内端末６００に伝達する。
【０４５２】
服薬状態情報には内容物５の情報、内容物５の感知の可否および内容物５を感知した感知時間情報などが含まれる。内容物５の情報は、センシング制御部５２０等にあらかじめ設定され得、内容物５の感知の可否および感知時間はセンサ部５１０の内容物５の感知の可否によりリアルタイムに検出され得る。
【０４５３】
図１６を参照すると、服薬案内端末６００は、センサモジュール５００から服薬状態情報の伝達を受け、服薬管理サーバー７００から服薬スケジュール情報の伝達を受ける。服薬案内端末６００は、この服薬スケジュール情報と服薬状態情報とを利用して服薬管理情報を生成した後、生成された服薬管理情報を出力する。
【０４５４】
服薬スケジュール情報には、内容物５の情報、服薬時刻、服薬間隔および内容物５の服薬量のうち少なくとも一つ以上が含まれる。このような服薬スケジュール情報は、医師または薬剤師などの処方せんに基づいて服薬管理サーバー７００によって生成され得る。
【０４５５】
ここで、服薬案内端末６００は、スマート端末、コンピュータ、ノートパソコン、固定端末、およびＰＤＡ（Ｐｅｒｓｏｎａｌ  Ｄｉｇｉｔａｌ  Ａｓｓｉｓｔａｎｔ）等が採用され得る。固定端末としては服薬機などが採用され得る。
【０４５６】
服薬案内端末６００は、入力部６１０、出力部６２０および服薬案内端末制御部６３０を含む。
【０４５７】
入力部６１０は、ユーザーから各種情報および制御命令の入力を受ける。入力部６１０を通じて入力される情報および制御命令には、ユーザー情報、アプリケーションの実行命令、メニュー設定命令などのように、服薬案内端末６００の利用と動作および設定に対する情報と制御命令がすべて含まれ得る。このような入力部６１０としては、機械式ボタンやタッチスクリーンなどが採用され得る。
【０４５８】
出力部６２０は、服薬案内端末制御部６３０の制御信号に応答して各種情報を出力する。このような情報には服薬状態情報、服薬スケジュール情報、服薬管理情報などが含まれ得る。また、出力部６２０は、映像または音声を通じて内容物５の誤飲を警告する。
【０４５９】
このような出力部６２０は、前記した情報または警告を映像または音声でそれぞれ出力する映像出力部と音声出力部とをすべて含む。
【０４６０】
服薬案内端末制御部６３０は、センサモジュール５００から服薬状態情報の伝達を受け、服薬管理サーバー７００から服薬スケジュール情報の伝達を受けて、服薬スケジュール情報と服薬状態情報とを利用してユーザーに対する服薬管理情報を生成し、生成された服薬管理情報を出力部６２０を通じて出力する。
【０４６１】
すなわち、服薬案内端末制御部６３０は、センサモジュール５００から服薬状態情報が伝達されて、服薬管理サーバー７００から服薬スケジュール情報が伝達されると、服薬状態情報と服薬スケジュール情報とを比較して、比較結果により服薬管理情報を生成して出力する。この場合、服薬案内端末制御部６３０は、内容物の誤飲を出力部６２０を通じて警告することができる。
【０４６２】
本実施例での誤飲には、内容物５を定められた容量を服用しないこと、内容物５を定められた服薬時間に服薬しないこと、内容物５を服薬しないことなどのように、内容物５を服用しないか定められた処方せんにしたがって服薬しないことがすべて含まれる。
【０４６３】
一方、服薬状態情報には、内容物５の情報、内容物５の感知の可否および内容物５を感知した感知時間情報が含まれ、服薬スケジュール情報には、内容物５の情報、服薬時刻、服薬間隔および内容物５の服薬量が含まれるところ、服薬案内端末制御部６３０は、これらの情報を比較分析してユーザーの内容物５に対する誤飲の有無をチェックし、内容物５を正確に服用できるように管理する服薬管理情報を生成して出力する。
【０４６４】
例えば、服薬案内端末制御部６３０は、ユーザーが服薬時間に内容物５を服用しない場合には、定められた服薬時間に内容物５を服薬するように案内する文字や音声を出力し、定められた服用量を服薬しない場合には、定められた服用量を服薬するように案内する文字や音声を出力することができる。
【０４６５】
また、服薬案内端末制御部６３０は前記した通り、服薬管理サーバー７００から服薬スケジュール情報が伝達されると、服薬時刻および服薬間隔のうち少なくとも一つにより内容物５の情報および内容物５の服薬量のうち少なくとも一つ以上を出力部６２０を通じて出力する。
【０４６６】
すなわち、服薬案内端末制御部６３０は服薬時間または服薬間隔をチェックして、ユーザーが内容物５を服薬する服薬時間が到来すると、出力部６２０を通じて服薬すべき内容物５の情報および該当内容物５の服薬量を出力することによって、ユーザーが該当内容物５を正確な時間に定量服薬できるようにする。
【０４６７】
しかも、服薬案内端末制御部６３０は前記した通り、服薬状態情報がセンサモジュール５００から伝達されると、この服薬状態情報を累積保存し、この服薬状態情報を利用して服薬履歴情報を生成する。服薬履歴情報には服薬した日付と時間、内容物５および服用量などが含まれる。
【０４６８】
以後、服薬案内端末制御部６３０は、入力部６１０から入力された制御命令により服薬履歴情報、例えば服薬した日付と時間、内容物５および服用量などを出力する。
【０４６９】
したがって、ユーザーは、自分が服薬した時間と内容物５および服用量などを時間的順序により容易に認知することができる。
【０４７０】
服薬管理サーバー７００は、医師または薬剤師などの端末から処方せん情報を収集し、収集した処方せん情報を利用して服薬スケジュール情報を生成した後、生成された服薬スケジュール情報を服薬案内端末６００に伝達する。
【０４７１】
このような服薬管理サーバー７００は、処方せん情報収集部７１０、服薬スケジュール情報生成部７２０、および制御サーバー７３０を含む。
【０４７２】
処方せん情報収集部７１０は、医師または薬剤師などの端末から各ユーザー別に処方せん情報を収集する。
【０４７３】
服薬スケジュール情報生成部７２０は、処方せん情報収集部７１０により収集された処方せん情報を利用して、各ユーザー別に服薬スケジュール情報を生成および更新する。
【０４７４】
制御サーバー７３０は、処方せん情報収集部７１０を制御して医師または薬剤師などの端末（図示しない）から処方せん情報を収集する。以後、制御サーバー７３０は、服薬スケジュール情報生成部７２０を制御して服薬スケジュール情報を生成する。
【０４７５】
このように服薬スケジュール情報が生成されると、制御サーバー７３０は、該当ユーザーのユーザー情報を検出し、このユーザー情報、例えば連絡先情報に基づいて該当ユーザーの服薬案内端末６００に服薬スケジュール情報を伝達する。
【０４７６】
以下、本発明の第２実施例に係る服薬管理方法を、図１７および図１８を参照して説明する。
【０４７７】
図１７を参照すると、まず制御サーバー７３０は、処方せん収集部を利用して医師または薬剤師などの端末から各ユーザー別に処方せん情報を収集する。
【０４７８】
処方せん情報が収集されると、制御サーバー７３０は、服薬スケジュール情報生成部７２０を制御して処方せん情報を通じて服薬スケジュール情報を生成するようにし、服薬スケジュール情報生成部７２０により服薬スケジュール情報が生成されると、生成されたユーザー服薬スケジュール情報を保存する（Ｓ１１０）。
【０４７９】
併せて、服薬スケジュール情報が生成されたことにより、制御サーバー７３０は、該当ユーザーのユーザー情報を検出し、このユーザー情報のうち連絡先情報を利用して該当ユーザーの服薬案内端末６００に服薬スケジュール情報を伝達する（Ｓ１２０）。
【０４８０】
服薬スケジュール情報が伝達されると、服薬案内端末６００は、該当服薬スケジュール情報を保存し（Ｓ１３０）、センサモジュール５００から伝達された服薬状態情報および服薬スケジュール情報を利用してユーザーに対する服薬管理過程を遂行する（Ｓ１４０）。
【０４８１】
図１８を参照すると、まず服薬案内端末制御部６３０は、服薬管理サーバー７００から服薬スケジュール情報が伝達されると、この服薬スケジュール情報を保存する。
【０４８２】
以後、服薬案内端末制御部６３０は、この服薬スケジュール情報の服薬時間をチェック（Ｓ２１０）し、現在時間が服薬時間と一致するかの可否を判断する。
【０４８３】
判断結果、現在時間が服薬時間と一致すると、服薬案内端末制御部６３０は服薬時間に従って服薬案内情報、例えば内容物５の情報および内容物５の服薬量のうち少なくとも一つ以上を出力部６２０を通じて出力する（Ｓ２２０）。
【０４８４】
これに伴い、ユーザーは服薬時間が到来したことを認知するようになり、内容物５の情報と内容物の服薬量とを参照して服薬するようになる。
【０４８５】
この場合、ユーザーは内容物を吐出させるために内容物移動器具１を傾けるようになり、これによって内容物５が通過作動部１２０によって通過空間１１２ｃを通じて吐出される。
【０４８６】
センシング制御部５２０は、センサ部５１０を制御して通過空間１１２ｃに向かって光を放出するところ、センサ部５１０によって吐出された光は内容物５に反射される。
【０４８７】
すなわち、センシング制御部５２０はセンサ部５１０によって放出された光は内容物５が通過空間１１２ｃを通じて吐出されるかの可否により通過作動部１２０または内容物５に反射される。
【０４８８】
この場合、センシング制御部５２０は、センサ部５１０を通じて光を放出した時刻とセンサ部５１０によって光が受光された時刻の時間差とを検出し、この時間差を予め設定された設定値と比較して時間差が設定値以内であれば内容物５が通過空間１１２ｃを通過したと判断し、反面、時間差が設定値を超過すると内容物が通過しなかったと判断する。
【０４８９】
このようにセンシング制御部５２０は、内容物５の感知結果に基づいて服薬状態情報を生成し、生成された服薬状態情報を服薬案内端末６００に伝達する。
【０４９０】
一方、服薬案内端末６００は、センシング制御部５２０から伝達される服薬状態情報を収集し続け、この服薬状態情報と服薬管理サーバー７００から伝達された服薬スケジュール情報とを利用してユーザーに対する服薬管理情報を生成し、生成された服薬管理情報を出力部６２０を通じて出力する。
【０４９１】
すなわち、服薬案内端末制御部６３０は、服薬状態情報と服薬スケジュール情報とを比較して、比較結果にしたがって服薬管理情報を生成して出力するが、ユーザーが内容物５を定められた容量を服用しないか、内容物５を定められた服薬時間に服薬しないか、内容物５を服薬しないなどの誤飲の有無を確認し、その確認結果を出力する（Ｓ２４０、Ｓ２５０）。
【０４９２】
この場合、服薬案内端末制御部６３０は、ユーザーが服薬時間に内容物５を服用しない場合には、定められた服薬時間に内容物５を服薬するように案内する文字や音声を出力し、定められた服用量を服薬しない場合には定められた服用量を服薬するように案内する文字や音声を出力することができる。
【０４９３】
併せて、服薬案内端末制御部６３０は、前記した通り、服薬状態情報がセンサ端末から伝達されると、この服薬状態情報を累積保存し、この服薬状態情報を利用して服薬履歴情報を生成する。
【０４９４】
そして、図４および図１９のように、内容物移動器具１は、内容物が内容物通過手段１２３を通過時に内容物の通過を感知するセンサモジュール５００を含むことができる。センサモジュール５００は内容物が通過した数量、日付、曜日および時間のうち少なくとも一つを感知または測定する。
【０４９５】
センサモジュール５００の内容物の測定は、電子センサまたは機械の作動による測定であり得る。センサモジュール５００は、内容物通過手段１２３の物理的動きを機械測定方式で測定することができる。センサモジュール５００は、タッチセンサ、加速度センサ、角速度センサ、重力センサ、地磁気センサ、ジャイロスコープセンサ、近接センサ、動作認識センサ、電子羅針盤、磁力計センサ、ジェスチャーセンサのうち少なくとも一つのセンサ方式を含む。
【０４９６】
また、センサモジュール５００が感知または測定したデータまたは内容物通過手段１２３の作動によって内容物が通過作動部１２０を通過したかの可否を時刻、聴覚および触覚のうち少なくとも一つのユーザーの感覚方法で認知可能であるように表示する表示部８００を含むことができる。表示部８００は、数字、文字、記号、点字、発光、点灯および色相のうち少なくとも一つで表示され得る。
【０４９７】
一方、センサモジュール５００が、内容物が一定期間または時間に定められた量が内容物通過手段１２３を通過するのを感知するか、内容物が定められた量を超過して内容物通過手段１２３を通過するのを感知すると、内容物通過手段１２３の内容物の移動作動を制限する制御部（図示しない）を含む。
【０４９８】
内容物が内容物通過手段１２３を通過した時に内容物の通過を感知するセンサモジュール５００を含み、センサモジュール５００を通じて感知した内容物の通過の有無または通過数量を判断し、判断された内容物の通過の有無または通過数量、または判断された通過の有無または通過数量と共に通過時点の日付、曜日、時間のうち少なくとも一つ以上のデータを表示部８００に表示することができる。表示部８００の表示は、ＬＣＤまたはＬＥＤを利用した数字、文字、記号、信号のうち少なくとも一つであり得る。
【０４９９】
センサモジュール５００が感知または測定したデータを送信する通信部を含むことができる。センサモジュール５００を通じて感知した内容物の通過の有無または通過数量を判断し、判断された内容物の通過の有無または通過数量、または判断された通過の有無または通過数量と共に通過時点の日付、曜日、時間のうち少なくとも一つ以上のデータを、通信部を通じて近接または遠隔で送信することができる。
【０５００】
そして、センサモジュール５００が、内容物通過手段１２３を通過した内容物を感知して指定された量の内容物が通過したと判断されると、それ以上の内容物が通過装置を通過しないようにするロック部を含むことができる。ロック部は通過装置に設けられて、内容物通過手段１２３の運動を防いだり、通過作動部１２０内での内容物の移動経路を遮断するようになる。
【０５０１】
この時、内容物通過手段１２３の運動の防ぎは、内容物通過手段の運動部位を接触抵抗してなされ、通過作動部１２０内での移動経路の遮断は、内容物の通過進入側と通過排出側に設けられる通過通路部で内容物を遮断するか抵抗してなされ得る。ロック部は、侵害患者の服用制限が必要な服用薬や正常な人の摂取制限が必要な食品のように統制が必要な場合、指定された時間または状況終了前にロック状態を維持することができる。
【０５０２】
また、内容物の表面または内容物の内部に、数字、文字、記号のうち少なくとも一つを表示し、内容物通過手段１２３を通過した内容物または内容物通過手段１２３を通過していない内容物の表示を観察することができる。
【０５０３】
図２０は本発明の第２実施例に係る服薬データ管理システムのデータフローチャートであって、１．定量吐出スマート薬剤ディスペンサーを通じてユーザーが処方薬を服用時、薬を服用する患者が薬剤容器を傾ける動作だけで容器の内容物を定量だけ通過させることによって、錠剤形態の医薬品または健康機能食品を一度に一粒ずつ吐出させて、手軽で、衛生的であり、内容物の変質を予防する機能と共に、２．ディスペンサーに付着した薬剤吐出センサを通じてのセンシングデータの収集が可能であるため、ディスペンサーに薬剤の吐出をチェックするセンサの付着を通じて患者の体系的な服薬管理のための薬剤ディスペンサーを開発し、３．センシングされたデータの通信モジュール基盤ユーザーのスマートフォンおよびコンピュータなどで１次収集をした後、４．１次情報をデータおよびアプリケーションサーバーで２次情報に加工して関連者に提供すると共に、５．関連機関で服薬情報データを分析した後、服薬指導事項をユーザーに伝達することによって、これを活用した遠隔服薬管理システムを構築することができる。
【０５０４】
特に、服薬管理のために薬剤吐出チェックセンサを付着することができる。患者の義務事項である服薬状態をチェックするための薬剤吐出チェクセンサおよびブルートゥース（登録商標）（ＢｌｕｅＴｏｏｔｈ（登録商標））等を利用した通信装備を付着することができる。また、原価節減と製作効率性のために一体型センサおよび通信一体型装置を設計して適用することができる。
【０５０５】
病気の治療効果を最大化するためには、医療行為の主体である医療スタッフ（医師、薬剤師）だけでなく、医療サービス利用者である患者も医療行為に対する患者の義務に対する積極的な履行が必要であり、これは本実施例のように遠隔服薬システムを通じて可能である。
【０５０６】
薬剤ディスペンサーに付着したセンサで収集したデータを、通信モジュールを利用してスマートフォンまたはシングルボードコンピュータを利用した特化装備を利用して１次収集することができる。１次収集された情報をサーバーに伝送し、サーバーで収集した二次情報を加工して医師、薬剤師、医療保険公団などに提供することができる。
【０５０７】
スマートフォンまたは特化装備は患者に服薬義務事項を告知し、投薬時期および投薬量を持続的に告知および未服薬時に持続的な警告を送出することができる。スマートフォンを使用できない高齢者などの患者のために、ブルートゥースとＷｉ−Ｆｉが内蔵されたシングルボードコンピュータ（例：Ｒａｓｐｂｅｒｒｙ  Ｐｉ）を利用した特化装備を構成することができる。
【０５０８】
図２１は本発明の第２実施例に係る服薬データ管理技術適用を示したフローチャートであって、ｍ１のように薬剤吐出装備付きスマート薬剤ディスペンサーは吐出器、センサ、ブルートゥース通信モジュールで構成される。ｍ１は、ｍ２−１（移動型装備：スマートフォン）またはｍ２−２（固定型装備：シングルボードコンピュータ）とｃ１（ブルートゥース通信）で通信することができる。また、ｍ２−１とｍ２−２は、ｍ３（サーバー）とｃ２（ネットワーク網）で通信することができる。
【０５０９】
ｍ３は、Ｅｘ１（関連機関サーバー）とｃ３と（ｏｐｅｎ−ａｐｉまたはＥＡＩに連結）で通信する。ここでｃ１は、吐出量の送信およびＥｒｒｏｒまたはｃｏｎｆｉｒｍ信号を伝達する。ｃ２はｍ２が吐出量をｍ３に送信およびｍ３が服薬管理内容をｍ２に送信するようになる。ｃ３はｍ３が吐出量統計をＥｘ１に送信およびＥｘ１が服薬管理内容をｍ３に送信することができる。ｃ３通信はｏｐｅｎ  ａｐｉまたは異種ＤＢ連結プロトコルであるＥＡＩに連結する。
【０５１０】
図２２は本発明の第３実施例に係る通過装置を備える内容物移動器具の斜視図であり、図２３は本発明の第３実施例に係る通過装置を備える内容物移動器具の分解斜視図である。
【０５１１】
図２４は本発明の第３実施例に係る通過装置を備える内容物移動器具の断面図であり、図２５は本発明の第３実施例に係る通過装置を備える内容物移動器具のハウジングを傾けた状態の断面図であり、図２６は本発明の第３実施例に係る通過装置を備える内容物移動器具の使用状態を示した断面図である。
【０５１２】
図２２〜図２６に図示された通り、本発明の第３実施例に係る通過装置１００を備える内容物移動器具１は、ハウジング１１０、通過作動部１２０および供給案内部１１９を含む。
【０５１３】
通過作動部１２０は前述の通りである。
【０５１４】
そして、ハウジング１１０は、内容物５を貯蔵する容器であって、内側に通過作動部１２０を備え、供給案内部１１９を形成する。
【０５１５】
特に、ハウジング１１０は略円筒状で形成され、固定部材１２１を備え、供給案内部１１９を通じて内容物５が移動案内部１８０側に移動案内される。
【０５１６】
この時、供給案内部１１９は、内容物誘導部１８８の端部に近接するハウジング１１０の内側面に曲率を有するように膨らんで突出する。
【０５１７】
そのため、ハウジング１１０を傾ける場合、内容物５は供給案内部１１９を通じて内容物誘導部１８８とガイド部材１９０の内側に設定量ずつ流入して案内される。
【０５１８】
もちろん、供給案内部１１９は多様な形状に変形可能である。
【０５１９】
併せて、内容物誘導部１８８または通過作動部１２０が、供給案内部１１９に支持されてもよい。
【０５２０】
インジェクションブロー容器の場合、供給案内部１１９を備えない、内容物誘導部１８８と容器のネックである縮径部１１６の内径の段差に加えて、縮径部１１６と拡径部１１７との間の段差をすべて足した段差を連結する傾斜があるか曲がる下段がある内容物誘導部１８８がなければならないが、このような場合、通過装置を容器に組み立てる時に一方向に一度に挿入が可能でなくなる。
【０５２１】
本実施例で第１実施例の通り、通過装置１００の内容物誘導部１８８がハウジングの内径に近接する内容物誘導部１８８の開始点とガイド部材１９０とが、縮径部１１６の内部に位置するようにして通過装置１００をハウジング１１０に組立時に一方向に直接挿入が可能である。
【０５２２】
第１実施例と異なる点は通過装置１００の段差連結部１８８の開始点が縮径部１１６の内壁ではなく容器の胴体である拡径部１１７の内壁に近接するように連結されて、縮径部（容器のネック）１１６が内容物誘導部１８８の長さをすべて包み込まなくてもよいのである。
【０５２３】
本実施例で、内容物誘導部１８８の段差連結部開始点の終端と連結されるように位置するようにして、容器本体１１０の拡径部１１７間に凹んで屈曲した形態である供給案内部１１９を備えることができ、供給案内部１１９を経て内容物の移動が円滑に連結されて内容物が滑りながら容器本体１１０から通過装置１００の通過通路部１３９に移動案内される。
【０５２４】
本実施例のように、通過装置１００の内容物誘導部１８８がハウジングの内径に近接する段差連結部１８８の容器底方向開始点が拡径部１１７の内部に位置するようにし、段差連結部の容器底方向開始点に近接して段差連結部を備えると、内容物の移動が連結されて拡径部１１７から段差連結部を経て内容物誘導部１８８への進入が円滑になる。
【０５２５】
説明されていない図面番号は前述したものに代替する。
【０５２６】
図２７は本発明の第４実施例に係る通過装置を備える内容物移動器具の斜視図であり、図２８は本発明の第４実施例に係る通過装置を備える内容物移動器具の分解斜視図である。
【０５２７】
図２９は本発明の第４実施例に係る通過装置を備える内容物移動器具の側断面図であり、図３０は本発明の第４実施例に係る通過装置を備える内容物移動器具の内容物未通過状態の傾きを示した側断面図であり、図３１は本発明の第４実施例に係る通過装置を備える内容物移動器具の内容物通過状態の傾きを示した側断面図であり、図３２は本発明の第４実施例に係る通過装置を備える内容物移動器具の内容物通過状態および目詰まり状態の傾きを示した側断面図である。
【０５２８】
図３３は本発明の第４実施例に係る通過装置を備える内容物移動器具の内容物の目詰まり状態および通過する状態の傾きを示した側断面図であり、図３４は本発明の第４実施例に係る通過装置を備える内容物移動器具の内容物の目詰まり状態および完全な通過状態の傾きを示した側断面図であり、図３５は本発明の第４実施例に係る通過装置を備える内容物移動器具の使用状態を示した側断面図である。
【０５２９】
図３６は本発明の第４実施例に係る通過装置を備える内容物移動器具の正断面図である。
【０５３０】
図３７は本発明の第４実施例に係る通過装置を備える内容物移動器具の底面断面図である。
【０５３１】
図３８は本発明の第４実施例に係る内容物移動器具の所定の傾き時に通過装置の初期維持状態を示した側断面図である。
【０５３２】
図２７〜図３８に図示された通り、本発明の第４実施例に係る通過装置１００を備える内容物移動器具１は、ハウジング１１０、通過作動部１２０および供給案内部１１９を含む。
【０５３３】
通過作動部１２０は前述した内容に代替する。
【０５３４】
ハウジング１１０は、拡径部１１７および縮径部１１６を含む。
【０５３５】
拡径部１１７は固定部材１２１を備え、内容物５が移動案内部１８０側に移動案内されるように形成される。
【０５３６】
そして、拡径部１１７は移動案内部１８０側に内容物５を移動案内するように供給案内部１１９を形成する。
【０５３７】
この時、供給案内部１１９は移動案内部１８０の端部を支持するが、移動案内部１８０の端部は内容物５の移動案内のために供給案内部１１９と同一の高さまたは類似する高さとなるように配置される。特に、内容物５は丸くて平たい形態のもので適用することができる。
【０５３８】
もちろん、供給案内部１１９は多様な形状に変形可能である。
【０５３９】
長方形の錠剤のような固形物ではない、平たい錠剤形態の固形物が内容物である場合、内容物が通過装置１００に滑ってくる経路で屈曲があると、固形物が立てられて内容物誘導部１８８に進入できるようになるため、定量の通過が容易でない場合がある。したがって、平たい固形物が滑って移動する区間は平坦なすべり底が備えられる必要があるため、すべり底となる内容物誘導部１８８と、容器本体１１０のうち内容物が内容物誘導部１８８に進入するために滑る内容物本体１１０の内径壁とは、屈曲がないか最小限の屈曲で連結される。
【０５４０】
したがって、内容物誘導部１８８は本実施例のように、屈曲なしに形成される。
【０５４１】
また、インジェクションブロー容器である場合、内容物誘導部１８８が屈曲のない形状で容器内に一方向に一度に挿入されるために、通過運動部１４０が置かれ得る空間が必要であり、このために供給案内部１１９が容器の胴体１１７の外周方向に拡張されて通過装置１００が挿入される余裕空間を確保する。
【０５４２】
図２９はタブレットではない平たい内容物５の場合を図示する。
【０５４３】
図３０はタブレットではない平たい内容物５の場合、供給案内部１１９（段）または大きな傾斜があると、滑りながら供給案内部１１９を越える際に内容物５が立てられた状態で通過通路部１３９に進入できなくなる。したがって、前述した実施例とは異なって、通過装置１００は平滑なすべり底が連続的に必要となる。前述した実施例では、ハウジング１１０とガイド部材１９０と間の段差があっても、タブレット内容物５の直進方向の運動性で克服して立てられずに移動可能であるが、平たい内容物５は大きな段差を克服することができず立てられる可能性がある。
【０５４４】
図３６はタブレットではない平たい内容物５の場合、内容物５の定量が個々の場合、内容物一個の幅の１倍超２倍未満の横幅空間で通過通路部１３９の通過空間が構成され得ることを図示する。
【０５４５】
図３７は、内容物５の定量が個々の場合、通過通路部１３９の通過空間が内容物一つの高さの１倍超２倍未満の縦高さ空間で構成されて、定量が単一個数である場合に定量の内容物だけが通過できることを図示したものである。
【０５４６】
説明されていない図面番号は前述した内容に代替する。
【０５４７】
図３９は本発明の第５実施例に係る通過装置を備える内容物移動器具の斜視図であり、図４０は本発明の第５実施例に係る通過装置を備える内容物移動器具の分解斜視図である。
【０５４８】
図４１は本発明の第５実施例に係る通過装置を備える内容物移動器具の断面図であり、図４２は本発明の第５実施例に係る通過装置を備える内容物移動器具の作動図である。
【０５４９】
図３９〜図４２のように、本発明の第５実施例に係る通過装置１００を備える内容物移動器具１は、ハウジング１１０、通過作動部１２０および供給案内部１１９を含む。
【０５５０】
通過作動部１２０は前述した内容に代替する。
【０５５１】
ハウジング１１０は、拡径部１１７および縮径部１１６を含む。
【０５５２】
併せて、通過装置１００は通過作動部１２０および内容物通過手段１２３を含む。
【０５５３】
ここで、内容物通過手段１２３は、閉鎖部材１２７と開放部材１２４とを含む。
【０５５４】
閉鎖部材１２７は折り曲げられて構成され、閉鎖部材１２７の閉鎖部材折り曲げ部１２７ｂは線形に折り曲げられるか曲面に形成され得る。
【０５５５】
閉鎖部材１２７が折り曲げられる閉鎖部材折り曲げ部１２７ｂの角度は、需要量以外の内容物が通過作動部１２０の内部に進入しないように直角に近い急な傾斜で構成され得る。もちろん、それ以外の多様な角度への折り曲げも可能である。
【０５５６】
その後、閉鎖部材１２７が通過作動部１２０に含まれる開放部１２２を少なくとも一部閉鎖することにより、定量を超過して内容物５が開放部１２２に流入することを防止する。
【０５５７】
そして、通過作動部１２０は、開放部１２２の一部を防ぐ安全蓋１２２ｃを含む。
【０５５８】
特に、図４１と図４２に示されたように、安全蓋１２２ｃは子供が開放部１２２によって露出する運動制御部材１２３ａを指で押圧すると開放部材１２４が上側に回転することによって、子供が開放部材１２４を引き抜くことが容易でないようにして、事故を予防する役割をする。
【０５５９】
もちろん、安全蓋１２２ｃは多様な形状に変形可能であり、固定部材１２１に一体に製作され得る。
【０５６０】
また、図４０〜図４２のように、通過運動部１４０の回転を制限するために通過運動部１４０の運動部材１２５上にストッパー１２９ａをさらに備えることができる。ストッパー１２９ａが通過作動部１２０に係止されることによって、開放部材１２４と閉鎖部材１２７との回転角度が制限される。
【０５６１】
説明されていない図面番号は前述した内容に代替する。
【０５６２】
図４３は本発明の第６実施例に係る通過装置を備える内容物移動器具の斜視図であり、図４４は本発明の第６実施例に係る通過装置を備える内容物移動器具の分解斜視図である。
【０５６３】
図４５は本発明の第６実施例に係る通過装置を備える内容物移動器具の断面図であり、図４６は本発明の第６実施例に係る通過装置を備える内容物移動器具の作動図であり、図４７は本発明の第６実施例に係る通過装置を備える内容物移動器具の要部作動図である。
【０５６４】
図４３〜図４７のように、本発明の第６実施例に係る通過装置１００を備える内容物移動器具１は、ハウジング１１０、通過作動部１２０および供給案内部１１９を含む。
【０５６５】
通過作動部１２０は前述した内容に代替する。
【０５６６】
通過作動部１２０は、内容物５を定量または需要量だけ移動を誘導する役割をする。ここで、「定量」は、同一個数や量、および誤差、許容範囲内で互いに異なって移動される量や個数を意味する。「需要量」はユーザーが必要とする量（個数）であって、「定量」の範疇に含まれるものとする。
【０５６７】
本実施例では二つの丸い錠剤が定量として構成され、通過作動部１２０を二つの錠剤または二つの錠剤数に近い許容範囲の量で通過することができる。
【０５６８】
併せて、丸い錠剤形態の内容物５が通過作動部１２０を定量ずつ通過する構成は、第５実施例と同じであるため、前述した内容に代替する。
【０５６９】
そして、説明されていない図面番号は前述した内容に代替する。
【０５７０】
図４８は本発明の第７実施例に係る通過装置を備える内容物移動器具の斜視図であり、図４９は本発明の第７実施例に係る通過装置を備える内容物移動器具の分解斜視図であり、図５０は本発明の第７実施例に係る通過装置を備える内容物移動器具の断面図である。
【０５７１】
図５１は本発明の第７実施例に係る通過装置を備える内容物移動器具の作動図であり、図５２は本発明の第７実施例に係る通過装置を備える内容物移動器具の要部作動図である。
【０５７２】
図４８〜図５２のように、本発明の第７実施例に係る通過装置１００を備える内容物移動器具１は、ハウジング１１０、通過作動部１２０および供給案内部１１９を含む。
【０５７３】
通過作動部１２０は前述した内容に代替する。
【０５７４】
通過装置１００は、通過作動部１２０および内容物通過手段１２３を含む。
【０５７５】
特に、内容物通過手段１２３は通過運動部１４０を含む。
【０５７６】
通過運動部１４０は、運動による開放によって内容物５が通過するようにする役割をする。すなわち、通過運動部１４０は、開放部材１２４に連動して開放された開放部１２２を閉鎖する役割をする。
【０５７７】
ここで、通過運動部１４０は、閉鎖部材１２７と開放部材１２４とを含む。
【０５７８】
特に、通過運動部１４０に含まれる運動制御部材１２３ａは、閉鎖部材１２７側の通過運動部１４０または平衡部１２３ｂの反対面に突出形成され、運動制御部材１２３ｄは開放部材１２４側の通過運動部１４０または平衡部１２３ｂの反対面に突出形成される。
【０５７９】
すなわち、通過運動部１４０は、底高さ変化部材１４７を形成する一側面の反対となる他側面のうち開放部材１２４に隣接するように運動制御部材１２３ｄを突出形成し、閉鎖部材１２７に隣接するように運動制御部材１２３ａを突出形成する。
【０５８０】
特に、本実施例では、通過運動部１４０はハウジング１１０または縮径部１１６の内側面に沿って開放部１２２を通過するようになる内容物５の上側に配置されることによって、内容物通過手段１２３を通過する内容物５は、開放部材１２４と閉鎖部材１２７とを除いた通過運動部１４０との接触が小さくなり得る。
【０５８１】
図５１と図５２の（ａ）および（ｂ）に図示された通り、運動制御部材１２３ａ、１２３ｄが単一または区画されるように分けられることによって、ハウジング１１０が傾いた状態で通過運動部１４０は、通過運動部１４０の回転軸１２５を通過する垂直軸（Ｃ）を基準として開放部材１２４と閉鎖部材１２７が重心平衡の力を発生するようになり、最初通過内容物５が閉鎖部材１２７を除いた通過運動部１４０または開放部材１２４を接触または押圧する力が発生するまで通過運動部は開放部を開放する通過待機状態を維持することができる。
【０５８２】
特に、図５１および図５２の（ａ）はハウジング１１０を水平方向以上（−９０度以上）に傾けた状態を図示する。この時、閉鎖部材１２７が開放された状態で通過運動部１４０の運動（回動）なしに初期状態を維持する。内容物５がハウジング１１０の内部の傾斜により重力方向（Ｃ）の力で滑りながら移動を開始める。
【０５８３】
ハウジング１１０とガイド部材１９０と間の段差があっても、タブレット形態の個々の内容物５は立てられずに横になってガイド部材１９０に進入が可能となる。まだ最初の内容物（錠剤、５）が通過運動部１４０の開放部材１２４と閉鎖部材１２７と間に設けられる通過隔室部１２４ａに入っていない状態となる。
【０５８４】
平たい形態の錠剤ではないタブレット形態の内容物５は、立てられずに安定してガイド部材１９０の傾斜を滑りながら移動する。
【０５８５】
通過運動部１４０がハウジング１１０の傾きによって初期状態を基準として反時計回り方向に９０度を超過して傾けた状態であるが、内容物５が通過運動部１４０に接触していない状態であり、運動部材１２５を基準として右側重さ偏りで右側方向である時計回り方向に回転しようとするが、ストッパー１２９によって抑制されて待機状態を維持する。
【０５８６】
図５１および図５２の（ｂ）は、閉鎖部材１２７が開放された状態で内容物５が通過運動部１４０の内部空間に進入する状態を図示したものである。
【０５８７】
通過運動部１２４の平衡部１２３ｂに内容物５の自重が加えられて、開放部材１２４側である重力垂直線（Ｃ）の左側部位に重さ偏りが相対的に大きくなることになることによって、平衡部１２３ｂと内容物５との抵抗によって、内容物５が開放部材１２４と接触するために接近するかまたは開放部材１２４と接触して通過運動部１４０がハウジング１１０の傾きを超過して反時計回り方向に回転することができる。
【０５８８】
この時、傾いた傾斜面に沿って重力方向に移動する内容物５と平衡部１２３ｂとの摩擦、または開放部材１２４を押圧する力によって、通過運動部１４０が通過隔室部１２４ａの空間内にある内容物５と共に移動する。
【０５８９】
図５１および図５２の（ｃ）は、通過運動部１４０が初期状態で運動部材１２５を基準として反時計回り方向に回転がさらに進行されて、閉鎖部材１２７が定量の内容物（錠剤、５）の後に進入する内容物６を遮断し始める状態を図示する。
【０５９０】
この時、錠剤状態である内容物５の荷重と共に通過運動部１４０の重力垂直線（Ｃ）の左側の重さが右側の重さより大きくなって左側への重さ偏りが発生し、通過運動部１４０が反時計回りに回転し、すなわち運動部材１２５の回転中心の左方に回転しながら内容物５を外部に通過させることができる。
【０５９１】
図５１および図５２の（ｄ）〜（ｆ）のように、通過運動部１４０が初期状態で運動部材１２５を基準として反時計回り方向にさらに回転した場合、通過運動部１４０を押圧していた定量の内容物５は外部に排出され、通過運動部１４０の開放部材１２４側とそれ以上接触しないため通過運動部１４０は中心線（Ｃ）を基準として右側の重さがより大きくなり、右側である時計回り方向に回転しようとする力が発生するが、残っている内容物６が閉鎖部材１２７と重力によって接触することによってバルブ１００が右側に復帰できずに現状態を維持しながらそれ以上の内容物５が通過隔室部１２４ａの空間に進入しないようにする。
【０５９２】
その結果、ハウジング１１０が、図５１および図５２のように、９０度を超過して傾く前には、内容物５が内容物通過手段１２３の通過運動部１４０に接触しなくなる。この時、通過運動部１４０の開放部材１２４は、通過運動部１４０の重さ平衡作用の力で開放部１２２を防いでいる状態を維持するようになる。
【０５９３】
そして、ハウジング１１０が設定角度以内に傾くまで、特に、内容物５が開放部材１２４を押圧するまで、開放部材１２４は開放部１２２を防いでいる状態を維持するようになる。
【０５９４】
その後、ハウジング１１０が設定角度を超過して傾くか、または設定角度以内に傾いても内容物５が開放部材１２４を押圧するようになると、内容物通過手段１２３の通過運動部１４０は運動部材１２５を基準として時計回り方向に回転する。
【０５９５】
すなわち、ハウジング１１０が傾く方向と、通過運動部が１４０が通過運動部１４０の回転軸１２５を基準として回転する方向とが反対となる。
【０５９６】
さらに、ハウジング１１０が傾いても、内容物５が開放部材１２４を押圧する力が発生しないのであれば、開放部材１２４が初期位置で傾くハウジング１１０によって開放部１２２を防ぐことができる。
【０５９７】
もちろん、ハウジング１１０を設定角度を超過させて傾ける場合、内容物５が開放部１２２を通過して開放部材１２４を押圧するようになる。したがって、開放部材１２４が運動部材１２５を基準として強引に回転されながら開放部１２２を開放するようになる。
【０５９８】
引き続き、閉鎖部材１２７が開放部１２２を防ぐようになることによって、開放部１２２は開放部材１２４と閉鎖部材１２７とによって順に開閉され、内容物５は定量だけ引き出し可能となる。
【０５９９】
特に、ハウジング１１０が傾く方向の反対方向に立てられると、重さ平衡により、開放部材１２４が開放部１２２を防ぐようになる。
【０６００】
すなわち、通過運動部１４０は、開放部１２２にシーソー運動可能に設けられて、通過作動部１２０は、シーソー運動によって、通過作動部１２０が設定角度以内に傾く時に初期状態を維持して開放部材１２４が開放部１２２を開放しない。
【０６０１】
内容物が通過運動部１４０を押圧する力または内容物が通過運動部１４０を押圧する力と通過運動部１４０の自重によって開放部１２２を開放しながら設定量だけ通過案内される。設定角度は開放部１２２を形成した内容物移動器具または収容器具１が立てられた初期状態から１８０度を超過しない傾き角度と設定され得る。
【０６０２】
通過運動部１４０は、回転中心である運動部材１２５を基準として左側または右側に重さ偏り現象によってシーソー運動をすることができる。通過運動部１４０は、開放部１２２を形成した内容物移動器具または収容器具１が傾いた待機状態で、回転中心である運動部材１２５を基準として閉鎖部材１２７側に重さが偏るようになり、閉鎖部材１２７がストッパーに係止されることによって閉鎖部材１２７が開放部１２２を閉鎖せずに開放する状態を維持することができる。
【０６０３】
通過運動部１４０は、開放部１２２を形成した内容物移動器具または収容器具１を設定角度以内に傾ける場合、傾く方向の反対側への重さ偏重により開放部材１２４が開放部１２２を閉鎖する状態を維持することができる。
【０６０４】
通過運動部１４０は、開放部１２２を形成した内容物移動器具または収容器具１を傾ける場合、開放部１２２側に流入する内容物の重さが加重されて回転中心である運動部材１２５を基準として回動しながら開放部１２２を開放することができる。このように通過運動部１４０は、運動部材１２５を基準として開放部１２２でテコの原理を利用して往復回動しながら開放部１２２を開閉することができる。
【０６０５】
通過運動部１４０は、通過作動部１２０が設定角度以内に回動時に自重によって開放部１２２を閉鎖した状態を維持し、内容物の押圧力または内容物が通過運動部１４０を押圧する力と通過運動部１４０の自重によって、開放部１２２を順に開閉しながら内容物を設定量だけ通過案内することができる。
【０６０６】
通過運動部１４０は、通過作動部１２０を傾ける場合、通過運動部１４０の自重によって通過作動部１２０の傾きを超過して傾くことを抑制する平衡部１２３ｂを含むことができる。
【０６０７】
通過運動部１４０は、内容物の通過方向に運動して内容物の通過空間を形成する開放部材１２４を含むことができる。通過運動部１４０は、開放部材１２４に連動して内容物が通過できないか部分的にのみ通過するように開放部１２２の少なくとも一部を閉鎖する閉鎖部材１２７を含むことができる。
【０６０８】
設定量だけの内容物が開放部材１２４に接触する前までは、重さ平衡によって通過運動部１４０の自重による回動が発生しないように通過作動部１２０の形状が備えられ得る。通過運動部１４０は、テコ運動の重心平衡の設定のための運動制御部材１２３ａをさらに含むことができる。
【０６０９】
説明されていない図面番号は前述した内容に代替する。
【０６１０】
図５３は本発明の第８実施例に係る通過装置を備える内容物移動器具の斜視図であり、図５４は本発明の第８実施例に係る通過装置を備える内容物移動器具の分解斜視図であり、図５５は本発明の第８実施例に係る通過装置を備える内容物移動器具の断面図である。
【０６１１】
図５６は本発明の第８実施例に係る通過装置を備える内容物移動器具の作動図であり、図５７は本発明の第８実施例に係る通過装置を備える内容物移動器具の要部作動図である。
【０６１２】
図５３〜図５７のように、本発明の第８実施例に係る通過装置１００を備える内容物移動器具１は、ハウジング１１０、通過作動部１２０および供給案内部１１９を含む。
【０６１３】
本実施例で、内容物５は粉末や粉状のものとする。
【０６１４】
もちろん、以前の実施例でも粉末や粉状の内容物の適用が可能である。
【０６１５】
通過作動部１２０と通過運動部１４０との作動は、第１実施例でのものと同じものとする。
【０６１６】
一方、通過運動部１４０は通過ガイド区画部材１２６に形成された開放部１２２の内側に設置されるが、運動部材１２５を中心に円周方向に回動できるように開放部１２２の内側に該当する通過ガイド区画部材１２６に組み立てられ得る。
【０６１７】
そして、通過運動部１４０は開放部１２２を順に開閉できるように開放部材１２４と閉鎖部材１２７とを形成する。この時、開放部材１２４は、粉末形態の内容物５を安定して吐出許容するためにバケット（ｂｕｃｋｅｔ）状に形成され得る。
【０６１８】
すなわち、ハウジング１１０を設定角度を超過して傾ける場合、通過運動部１４０は開放部材１２４が開放部１２２を防いでいる初期状態を維持したまま、内容物５が開放部材１２４に入るようになる。このため、開放部材１２４が内容物５の自重や押圧力によって、図５５に示したように、反時計回り方向に回動される。したがって、内容物５は排出（通過）案内される。
【０６１９】
特に、ハウジング１１０を設定角度以内に傾けるか、設定角度を超過させて傾けても、内容物５が開放部材１２４を加圧して押圧しない場合に、閉鎖部材１２７がストッパー１２９に接した状態によって、通過運動部１４０は開放部１２２を防ぐ初期状態を維持するようになる。
【０６２０】
開放部材１２４が内容物５によって回動することに連動して、閉鎖部材１２７は、運動部材１２５を基準として回動して開放部１２２を防ぐようになる。
【０６２１】
その結果、ハウジング１１０が、図５６および図５７に示されたように、９０度を超過して傾く前には、粉末形態の内容物５がバケット状の開放部材１２４を含む通過運動部１４０に接触しなくなる。この時、通過運動部１４０はバケット状の開放部材１２４と閉鎖部材１２７および運動制御部材１２３ａによって重さ平衡を維持する力または重さ平衡を維持しようとする方向に回転する方向にストッパー１２９によって回転が抑制されることによって、開放部材１２４が開放部１２２を防いでいる状態を維持するようになる。
【０６２２】
したがって、図５６および図５７の（ａ）に図示された通り、内容物５が開放部材１２４を押圧するまで、開放部材１２４は開放部１２２を防いでいる状態を維持するようになり、これを通じて、第１実施例の通り、開放部材１２４が通過装置１００を通過しようとする最初の内容物の押圧力によって抵抗を受けて回転できる待機状態が維持され得る。
【０６２３】
その後、図５６および図５７の（ｂ）および（ｃ）に図示された通り、ハウジング１１０が粉末形態の内容物５が開放部材１２４に充填されて内容物の自重によって押圧するようになると、内容物通過手段１２３の通過運動部１４０は運動部材１２５を基準として反時計回り方向に回転する。
【０６２４】
さらに、ハウジング１１０が傾いても、内容物５が開放部材１２４を押圧する力が発生しないのであれば、開放部材１２４が初期位置で傾くハウジング１１０の傾き角度を超過して傾かずに初期状態を維持して開放部１２２を防ぐことができる。
【０６２５】
もちろん、ハウジング１１０を水平状態である９０度の設定角度より超過させて傾ける場合、内容物５が開放部材１２４に充填され、開放部材１２４に充填された内容物５の重さによって、開放部材１２４が運動部材１２５を基準としてシーソー運動による重さ偏りによって回転する。
【０６２６】
したがって、内容物通過手段１２３が運動部材１２５を中心に反時計回り方向に回転し、開放部材１２４がハウジング１１０の外側に向かうことによって、内容物５が排出可能となる。
【０６２７】
このような開放部材１２４の回転運動に連動して、閉鎖部材１２７が開放部１２２を防ぐことになることによって、開放部１２２は開放部材１２４と閉鎖部材１２７によって順に開閉され、内容物５は定量だけ引き出し可能となる。
【０６２８】
特に、図５６および図５７の（ａ）〜（ｃ）はハウジング１１０を水平方向以上（−９０度以上）に傾けた状態を図示する。この時、閉鎖部材１２７が開放された状態で通過運動部１４０の運動（回動）なしに初期状態を維持する。内容物５がハウジング１１０の内部の傾斜により重力方向（Ｃ）の力で滑りながら移動を開始する。
【０６２９】
まだ最初の内容物５が通過運動部１４０の通過隔室部１２４ａに入らないか、通過隔室部１２４ａとまだ接触なしに入り始める状態となる。
【０６３０】
通過運動部１４０がハウジング１１０の傾きによって初期状態を基準として反時計回り方向に９０度を超過して傾いた状態であるが、内容物５が通過運動部１４０に接触していない状態であり、運動部材１２５を基準として右側重さ偏りで右側方向である時計回り方向に回転しようとするがストッパー１２９によって抑制されて待機状態を維持する。
【０６３１】
図５６および図５７の（ａ）および（ｂ）は、閉鎖部材１２７が開放された状態で内容物５が通過運動部１４０の内部空間に進入する状態を図示したものである。
【０６３２】
通過運動部１２４の平衡部１２３ｂに内容物５の自重が加えられて、開放部材１２４側である重力垂直線（Ｃ）の左側部位に重さ偏りが相対的に大きくなることによって、平衡部１２３ｂと内容物５との抵抗によって、内容物５が開放部材１２４と接触するために接近するかまたは開放部材１２４と接触して通過運動部１４０がハウジング１１０の傾きを超過して反時計回り方向に回転することができる。
【０６３３】
この時、傾いた傾斜面に沿って重力方向に移動する内容物５と平衡部１２３ｂとの摩擦、または開放部材１２４を押圧する力によって、通過運動部１４０が通過隔室部１２４ａの空間内にある内容物５と共に移動する。
【０６３４】
図５６および図５７の（ｃ）は、通過運動部１４０が初期状態で運動部材１２５を基準として反時計回り方向に回転がさらに進行して、閉鎖部材１２７が定量の内容物５の後に進入する内容物６を遮断し始める状態を図示する。
【０６３５】
この時、錠剤状態である内容物５の荷重と共に通過運動部１４０の重力垂直線（Ｃ）の左側の重さが右側の重さより大きくなり、左側への重さ偏りが発生して、通過運動部１４０が運動部材１２５の回転中心に左側時計回り方向の反対方向に回転しながら内容物５を外部に通過させることができる。
【０６３６】
図５６および図５７の（ｃ）に図示された通り、通過運動部１４０が初期状態で運動部材１２５を基準として反時計回り方向にさらに回転した場合、通過運動部１４０を押圧していた定量の内容物５は外部に排出され、通過運動部１４０の開放部材１２４側とそれ以上接触しないため通過運動部１４０は中心線（Ｃ）を基準として右側の重さがより大きくなって右側である時計回り方向に回転しようとする力が発生する。しかしながら、残っている内容物６が閉鎖部材１２７を重力によって接触することによって、バルブ１００が右側に復帰できずに現状態を維持しながら、それ以上の内容物５が通過隔室部１２４ａの空間に進入しないようにする。
【０６３７】
すなわち、通過運動部１４０は、開放部１２２にシーソー運動可能に設けられて、通過作動部１２０は、シーソー運動によって、通過作動部１２０が設定角度以内に傾く時に初期状態を維持して開放部材１２４は開放部１２２を開放しない。
【０６３８】
内容物が通過運動部１４０を押圧する力または内容物が通過運動部１４０を押圧する力と通過運動部１４０の自重によって、開放部１２２を開放しながら設定量だけ通過案内される。設定角度は開放部１２２を形成した内容物移動器具または収容器具１が立てられた初期状態から１８０度を超過しない傾き角度に設定され得る。
【０６３９】
通過運動部１４０は、回転中心である運動部材１２５を基準として左側または右側に重さ偏り現象によってシーソー運動をすることができる。通過運動部１４０は、開放部１２２を形成した内容物移動器具または収容器具１が傾いた待機状態で、回転中心である運動部材１２５を基準として閉鎖部材１２７側に重さが偏るようになり、閉鎖部材１２７がストッパーに係止されることによって閉鎖部材１２７が開放部１２２を閉鎖せずに開放する状態を維持することができる。
【０６４０】
通過運動部１４０は、開放部１２２を形成した内容物移動器具または収容器具１を設定角度以内に傾ける場合、傾く方向の反対側への重さ偏重により開放部材１２４が開放部１２２を閉鎖する状態を維持することができる。
【０６４１】
通過運動部１４０は、開放部１２２を形成した内容物移動器具または収容器具１を傾ける場合、開放部１２２側に流入する内容物の重さが加重されて回転中心である運動部材１２５を基準として回動しながら開放部１２２を開放することができる。このように通過運動部１４０は、運動部材１２５を基準として開放部１２２でテコの原理を利用して往復回動して開放部１２２を開閉することができる。
【０６４２】
通過運動部１４０は、通過作動部１２０が設定角度以内に回動時に自重によって開放部１２２を閉鎖した状態を維持し、内容物の押圧力または内容物が通過運動部１４０を押圧する力と通過運動部１４０の自重によって開放部１２２を順に開閉しながら内容物を設定量だけ通過案内することができる。
【０６４３】
通過運動部１４０は、通過作動部１２０を傾ける場合、通過運動部１４０の自重によって通過作動部１２０の傾きを超過して傾くことを抑制する平衡部１２３ｂを含むことができる。
【０６４４】
通過運動部１４０は、内容物の通過方向に運動して内容物の通過空間を形成する開放部材１２４を含むことができる。通過運動部１４０は、開放部材１２４に連動して内容物が通過できないか部分的にのみ通過するように開放部１２２の少なくとも一部を閉鎖する閉鎖部材１２７を含むことができる。
【０６４５】
設定量だけの内容物が開放部材１２４に接触する前までは、重さ平衡によって通過運動部１４０の自重による回動が発生しないように通過作動部１２０の形状が備えられ得る。通過運動部１４０は、テコ運動の重心平衡の設定のための運動制御部材１２３ａをさらに含むことができる。
【０６４６】
説明されていない図面番号は前述した内容に代替する。
【０６４７】
本発明は、図面に図示された実施例を参照して説明されたが、これは例示的なものに過ぎず、当該技術が属する分野で通常の知識を有する者であれば、これから多様な変形および均等な他の実施例が可能であることが理解できるはずである。したがって、本発明の真の技術的保護範囲は本願の特許請求の範囲によって定められるべきである。
【０６４８】
（付記）
（付記１）
開放部を有する、内容物の移動を案内するための通過作動部を備え、
前記通過作動部は、内容物が移動するようにする内容物通過手段を含み、
前記内容物通過手段は、運動による開放によって内容物が通過するようにする通過運動部を含み、
前記通過運動部は、前記開放部にシーソー運動可能に設けられる、
ことを特徴とする通過装置。
【０６４９】
（付記２）
前記通過作動部は、前記シーソー運動によって、前記通過作動部が設定角度以内で傾いた場合、初期状態を維持して開放部を開放しない、
ことを特徴とする付記１に記載の通過装置。
【０６５０】
（付記３）
前記設定角度は、前記開放部を形成した内容物移動器具が立てられた初期状態から１８０度を超過しない傾き角度である、
ことを特徴とする付記２に記載の通過装置。
【０６５１】
（付記４）
前記通過運動部は、前記開放部を形成した内容物移動器具が設定角度以内で傾いた場合、傾く方向の反対側への重さ偏重により開放部材が前記開放部を閉鎖する状態を維持する、
ことを特徴とする付記２に記載の通過装置。
【０６５２】
（付記５）
前記通過運動部は、回転中心である運動部材を基準として左側または右側にテコの重さ偏重現象によってシーソー運動をする、
ことを特徴とする付記１に記載の通過装置。
【０６５３】
（付記６）
前記通過運動部は、前記開放部を形成した内容物移動器具が傾いた待機状態で、回転中心である運動部材を基準として閉鎖部材側に重さが偏り、前記閉鎖部材がストッパーに係止されることによって前記閉鎖部材が前記開放部を閉鎖せずに開放する状態を維持する、
ことを特徴とする付記１に記載の通過装置。
【０６５４】
（付記７）
前記内容物が前記通過運動部を押圧する力、または前記内容物が前記通過運動部を押圧する力と前記通過運動部の自重とによって、前記開放部を開放して内容物が設定量だけ通過案内される、
ことを特徴とする付記１に記載の通過装置。
【０６５５】
（付記８）
前記通過運動部は、前記開放部を形成した内容物移動器具が傾いた場合、前記開放部側に流入する内容物の重さが加重されて回転中心である運動部材を基準として回動しながら前記開放部を開放する、
ことを特徴とする付記１に記載の通過装置。
【０６５６】
（付記９）
前記通過作動部が結合される器具本体を含む、
ことを特徴とする付記１に記載の通過装置。
【０６５７】
（付記１０）
前記通過運動部は、内容物の通過方向に運動して内容物の通過空間を形成する開放部材を含む、
ことを特徴とする付記１に記載の通過装置。
【０６５８】
（付記１１）
前記通過運動部は、前記開放部材に連動して、前記内容物が通過できないか部分的にのみ通過するように前記開放部の少なくとも一部を閉鎖する閉鎖部材を含む、
ことを特徴とする付記１０に記載の通過装置。
【０６５９】
（付記１２）
前記通過運動部は、前記通過作動部の設定角度以内での回動時に前記内容物が接触しない場合、ストッパーによって初期状態を維持する、
ことを特徴とする付記２または付記１０に記載の通過装置。
【０６６０】
（付記１３）
前記閉鎖部材が前記開放部を開放した状態で、
単数または複数の設定量の内容物が前記閉鎖部材と前記開放部材との間に進入した時に前記通過運動部に自重を付加して、前記通過運動部が回転する、
ことを特徴とする付記１１に記載の通過装置。
【０６６１】
（付記１４）
前記通過運動部は、前記開放部材と前記閉鎖部材との間の底部材に接触した前記内容物との摩擦、または前記内容物による前記開放部材の押圧力によって、前記内容物と共に移動する、
ことを特徴とする付記１１または付記１３に記載の通過装置。
【０６６２】
（付記１５）
前記通過作動部は、センサモジュールによって排出される内容物を感知する、
ことを特徴とする付記１に記載の通過装置。
【０６６３】
（付記１６）
前記センサモジュールは、
前記開放部を通過するかまたは前記開放部に近接する前記内容物を感知するセンサ部と、
前記センサ部を制御して前記内容物を感知し、感知結果に服薬状態情報を生成してから服薬案内端末に伝達するセンシング制御部と、を含む、
ことを特徴とする付記１５に記載の通過装置。
【０６６４】
（付記１７）
前記センシング制御部は、前記センサ部を通じて前記開放部側に光を放出し、前記開放部を通じて吐出される内容物によって反射した光に基づいて内容物を感知する、
ことを特徴とする付記１６に記載の通過装置。
【０６６５】
（付記１８）
前記センシング制御部は、前記センサ部を通じて光が放出された時刻と受光した時刻の時間差とを利用して、前記開放部を通じて内容物を感知する、
ことを特徴とする付記１７に記載の通過装置。
【０６６６】
（付記１９）
前記センシング制御部は、前記時間差が予め設定された設定値以内であれば内容物が前記開放部を通過したと判断する、
ことを特徴とする付記１８に記載の通過装置。
【０６６７】
（付記２０）
開放部を有する、内容物の移動を案内するための通過作動部を備え、
前記通過作動部は、内容物が移動するようにする内容物通過手段を含み、
前記内容物通過手段は、回動運動による開放によって内容物が通過するようにする通過運動部を含み、
前記通過運動部は、運動部材を基準として前記開放部でテコの原理を利用して往復回動しながら前記開放部を開閉する、
ことを特徴とする通過装置。
【０６６８】
（付記２１）
前記通過運動部は、前記通過作動部の設定角度以内での回動時に、自重によって前記開放部を閉鎖した状態を維持し、内容物の押圧力、または前記内容物が前記通過運動部を押圧する力と前記通過運動部の自重とによって、前記開放部を順に開閉し、前記内容物を設定量だけ通過案内する、
ことを特徴とする付記２０に記載の通過装置。
【０６６９】
（付記２２）
前記通過運動部は、前記通過作動部が傾いた場合、前記通過運動部の自重によって前記通過作動部の傾きを超過して傾くことを抑制する平衡部を含む、
ことを特徴とする付記２０または付記２１に記載の通過装置。
【０６７０】
（付記２３）
前記通過運動部は、内容物の通過方向に運動して内容物の通過空間を形成する開放部材を含む、
ことを特徴とする付記２０に記載の通過装置。
【０６７１】
（付記２４）
前記通過運動部は、前記開放部材に連動して、前記内容物が通過できないか部分的にのみ通過するように前記開放部の少なくとも一部を閉鎖する閉鎖部材を含む、
ことを特徴とする付記２３に記載の通過装置。
【０６７２】
（付記２５）
設定量の内容物が前記開放部材に接触する前までは、重さ平衡によって前記通過運動部の自重による回動が発生しないように前記通過作動部の形状が備えられる、
ことを特徴とする付記２１に記載の通過装置。
【０６７３】
（付記２６）
前記通過運動部は、テコ運動の重心平衡の設定のための運動制御部材をさらに含む、
ことを特徴とする付記２０に記載の通過装置。
【０６７４】
（付記２７）
内容物を貯蔵するハウジングと、
前記ハウジングの内側に設けられて内容物を移動案内するための通過作動部と、
前記通過作動部の吐出側に移動する前記内容物が一つまたは定量吐出案内されるように、前記内容物の移動方向と移動状態を設定するために前記ハウジングに形成される供給案内部とを含む、
ことを特徴とする通過装置。
【０６７５】
（付記２８）
前記通過作動部は、内容物が移動するようにする内容物通過手段を含み、
前記内容物通過手段は、運動による開放によって内容物が通過されるようにする通過運動部を含み、
前記通過運動部は、内容物の通過方向に運動して内容物の通過空間を形成する開放部材と、前記開放部材に連動して前記内容物が通過できないか部分的にのみ通過するように開放部の少なくとも一部を閉鎖する閉鎖部材とを含み、
前記閉鎖部材は前記開放部材に連動して前記開放部を少なくとも一部閉鎖することにより、定量を超過する内容物が前記開放部を通過することを防止する、
ことを特徴とする付記２７に記載の通過装置。
【０６７６】
（付記２９）
前記通過作動部は、内容物を通過させるために前記開放部を形成する固定部材と、内容物が前記内容物通過手段側に流入して案内されるようにする移動案内部とを含み、
前記ハウジングは、前記固定部材を備え、前記内容物が前記移動案内部側に移動案内されるように形成される縮径部と、前記内容物を初期に設定量だけ貯蔵可能であるように前記縮径部より内部空間が大きな拡径部とを含む、
ことを特徴とする付記２８に記載の通過装置。
【０６７７】
（付記３０）
前記通過作動部は、内容物を通過させるために前記開放部を形成する固定部材と、内容物が前記内容物通過手段側に流入して案内されるようにする移動案内部とを含み、
前記ハウジングは、前記固定部材を備え、前記供給案内部を通じて前記内容物が前記移動案内部側に移動案内される、
ことを特徴とする付記２８に記載の通過装置。
【０６７８】
（付記３１）
前記通過作動部は、内容物を通過させるために前記開放部を形成する固定部材と、内容物が前記内容物通過手段側に流入して案内されるようにする移動案内部とを含み、
前記ハウジングは、前記固定部材を備え、前記内容物が前記移動案内部側に移動案内されるように形成される拡径部を含む、
ことを特徴とする付記２８に記載の通過装置。
【０６７９】
（付記３２）
前記供給案内部は前記ハウジングで円周軌跡に沿って内側に膨らんで曲率を有するように形成される、
ことを特徴とする付記２７に記載の通過装置。
【０６８０】
（付記３３）
前記ハウジングは、前記拡径部の前記移動案内部側に前記内容物を移動案内するように形成される縮径部を含み、
前記供給案内部は、前記拡径部または前記縮径部に形成されて前記内容物の移動を案内する、
ことを特徴とする付記２７に記載の通過装置。
【０６８１】
（付記３４）
内容物を通過誘導する通過装置であって、
内容物を通過させる通過作動部を含み、
前記通過作動部は、内容物が移動するようにする内容物通過手段を含む、
ことを特徴とするバルブ。
【０６８２】
（付記３５）
内容物を入れる内容物移動器具に設けられて内容物を通過誘導する通過装置と、少なくとも一側に開放されるハウジングを含み、前記通過装置は内容物を通過させるための通過作動部とを含み、
前記通過作動部は、内容物が移動するようにする内容物通過手段を含む、
ことを特徴とする内容物移動器具。
【０６８３】
（付記３６）
内容物を入れる収容器具に設けられて、内容物を通過誘導する通過装置と、少なくとも一側に開放されるハウジングを含み、前記通過装置は内容物を通過させるための通過作動部とを含み、
前記通過作動部は、内容物が移動するようにする内容物通過手段を含む、
ことを特徴とする収容器具。
【０６８４】
（付記３７）
内容物を含み、内容物を通過誘導する通過装置と、
少なくとも一側に開放されるハウジングと、を含み、
前記通過装置は、内容物を通過させるための通過作動部を含み、
前記通過作動部は、内容物が移動するようにする内容物通過手段を含む、
ことを特徴とする内容物器具。
【図１】
2019509220.tif 000003
【図２】
2019509220.tif 000004
【図３】
2019509220.tif 000005
【図４】
2019509220.tif 000006
【図５】
2019509220.tif 000007
【図６】
2019509220.tif 000008
【図７】
2019509220.tif 000009
【図８】
2019509220.tif 000010
【図９】
2019509220.tif 000011
【図１０】
2019509220.tif 000012
【図１１】
2019509220.tif 000013
【図１２】
2019509220.tif 000014
【図１３】
2019509220.tif 000015
【図１４】
2019509220.tif 000016
【図１５】
2019509220.tif 000017
【図１６】
2019509220.tif 000018
【図１７】
2019509220.tif 000019
【図１８】
2019509220.tif 000020
【図１９】
2019509220.tif 000021
【図２０】
2019509220.tif 000022
【図２１】
2019509220.tif 000023
【図２２】
2019509220.tif 000024
【図２３】
2019509220.tif 000025
【図２４】
2019509220.tif 000026
【図２５】
2019509220.tif 000027
【図２６】
2019509220.tif 000028
【図２７】
2019509220.tif 000029
【図２８】
2019509220.tif 000030
【図２９】
2019509220.tif 000031
【図３０】
2019509220.tif 000032
【図３１】
2019509220.tif 000033
【図３２】
2019509220.tif 000034
【図３３】
2019509220.tif 000035
【図３４】
2019509220.tif 000036
【図３５】
2019509220.tif 000037
【図３６】
2019509220.tif 000038
【図３７】
2019509220.tif 000039
【図３８】
2019509220.tif 000040
【図３９】
2019509220.tif 000041
【図４０】
2019509220.tif 000042
【図４１】
2019509220.tif 000043
【図４２】
2019509220.tif 000044
【図４３】
2019509220.tif 000045
【図４４】
2019509220.tif 000046
【図４５】
2019509220.tif 000047
【図４６】
2019509220.tif 000048
【図４７】
2019509220.tif 000049
【図４８】
2019509220.tif 000050
【図４９】
2019509220.tif 000051
【図５０】
2019509220.tif 000052
【図５１】
2019509220.tif 000053
【図５２】
2019509220.tif 000054
【図５３】
2019509220.tif 000055
【図５４】
2019509220.tif 000056
【図５５】
2019509220.tif 000057
【図５６】
2019509220.tif 000058
【図５７】
2019509220.tif 000059
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
開放部を有する、内容物の移動を案内するための通過作動部を備え、
前記通過作動部は、内容物が移動するようにする内容物通過手段を含み、
前記内容物通過手段は、運動による開放によって内容物が通過するようにする通過運動部を含み、
前記通過運動部は、前記開放部にシーソー運動可能に設けられる、
ことを特徴とする通過装置。
【請求項２】
前記通過作動部は、前記シーソー運動によって、前記通過作動部が設定角度以内で傾いた場合、初期状態を維持して開放部を開放しない、
ことを特徴とする請求項１に記載の通過装置。
【請求項３】
前記設定角度は、前記開放部を形成した内容物移動器具が立てられた初期状態から１８０度を超過しない傾き角度である、
ことを特徴とする請求項２に記載の通過装置。
【請求項４】
前記通過運動部は、前記開放部を形成した内容物移動器具が設定角度以内で傾いた場合、傾く方向の反対側への重さ偏重により開放部材が前記開放部を閉鎖する状態を維持する、
ことを特徴とする請求項２に記載の通過装置。
【請求項５】
前記通過運動部は、回転中心である運動部材を基準として左側または右側にテコの重さ偏重現象によってシーソー運動をする、
ことを特徴とする請求項１に記載の通過装置。
【請求項６】
前記通過運動部は、前記開放部を形成した内容物移動器具が傾いた待機状態で、回転中心である運動部材を基準として閉鎖部材側に重さが偏り、前記閉鎖部材がストッパーに係止されることによって前記閉鎖部材が前記開放部を閉鎖せずに開放する状態を維持する、
ことを特徴とする請求項１に記載の通過装置。
【請求項７】
前記内容物が前記通過運動部を押圧する力、または前記内容物が前記通過運動部を押圧する力と前記通過運動部の自重とによって、前記開放部を開放して内容物が設定量だけ通過案内される、
ことを特徴とする請求項１に記載の通過装置。
【請求項８】
前記通過運動部は、前記開放部を形成した内容物移動器具が傾いた場合、前記開放部側に流入する内容物の重さが加重されて回転中心である運動部材を基準として回動しながら前記開放部を開放する、
ことを特徴とする請求項１に記載の通過装置。
【請求項９】
前記通過作動部が結合される器具本体を含む、
ことを特徴とする請求項１に記載の通過装置。
【請求項１０】
前記通過運動部は、内容物の通過方向に運動して内容物の通過空間を形成する開放部材を含む、
ことを特徴とする請求項１に記載の通過装置。
【請求項１１】
前記通過運動部は、前記開放部材に連動して、前記内容物が通過できないか部分的にのみ通過するように前記開放部の少なくとも一部を閉鎖する閉鎖部材を含む、
ことを特徴とする請求項１０に記載の通過装置。
【請求項１２】
前記通過運動部は、前記通過作動部の設定角度以内での回動時に前記内容物が接触しない場合、ストッパーによって初期状態を維持する、
ことを特徴とする請求項２または請求項１０に記載の通過装置。
【請求項１３】
前記通過作動部は、センサモジュールによって排出される内容物を感知する、
ことを特徴とする請求項１に記載の通過装置。
【請求項１４】
前記センサモジュールは、
前記開放部を通過するかまたは前記開放部に近接する前記内容物を感知するセンサ部と、
前記センサ部を制御して前記内容物を感知し、感知結果に服薬状態情報を生成してから服薬案内端末に伝達するセンシング制御部と、を含む、
ことを特徴とする請求項１３に記載の通過装置。
【請求項１５】
前記センシング制御部は、前記センサ部を通じて前記開放部側に光を放出し、前記開放部を通じて吐出される内容物によって反射した光に基づいて内容物を感知する、
ことを特徴とする請求項１４に記載の通過装置。
【請求項１６】
前記センシング制御部は、前記センサ部を通じて光が放出された時刻と受光した時刻の時間差とを利用して、前記開放部を通じて内容物を感知する、
ことを特徴とする請求項１５に記載の通過装置。
【請求項１７】
前記センシング制御部は、前記時間差が予め設定された設定値以内であれば内容物が前記開放部を通過したと判断する、
ことを特徴とする請求項１６に記載の通過装置。
【請求項１８】
開放部を有する、内容物の移動を案内するための通過作動部を備え、
前記通過作動部は、内容物が移動するようにする内容物通過手段を含み、
前記内容物通過手段は、回動運動による開放によって内容物が通過するようにする通過運動部を含み、
前記通過運動部は、運動部材を基準として前記開放部でテコの原理を利用して往復回動しながら前記開放部を開閉する、
ことを特徴とする通過装置。
【請求項１９】
前記通過運動部は、前記通過作動部の設定角度以内での回動時に、自重によって前記開放部を閉鎖した状態を維持し、内容物の押圧力、または前記内容物が前記通過運動部を押圧する力と前記通過運動部の自重とによって、前記開放部を順に開閉し、前記内容物を設定量だけ通過案内する、
ことを特徴とする請求項１８に記載の通過装置。
【請求項２０】
前記通過運動部は、前記通過作動部が傾いた場合、前記通過運動部の自重によって前記通過作動部の傾きを超過して傾くことを抑制する平衡部を含む、
ことを特徴とする請求項１８または請求項１９に記載の通過装置。
【請求項２１】
前記通過運動部は、内容物の通過方向に運動して内容物の通過空間を形成する開放部材を含む、
ことを特徴とする請求項１８に記載の通過装置。
【請求項２２】
前記通過運動部は、前記開放部材に連動して、前記内容物が通過できないか部分的にのみ通過するように前記開放部の少なくとも一部を閉鎖する閉鎖部材を含む、
ことを特徴とする請求項２１に記載の通過装置。
【請求項２３】
設定量の内容物が開放部材に接触する前までは、重さ平衡によって前記通過運動部の自重による回動が発生しないように前記通過作動部の形状が備えられる、
ことを特徴とする請求項１９に記載の通過装置。
【請求項２４】
前記通過運動部は、テコ運動の重心平衡の設定のための運動制御部材をさらに含む、
ことを特徴とする請求項１８に記載の通過装置。
【国際調査報告】
2019509220.tif 000060
2019509220.tif 000061
2019509220.tif 000062
2019509220.tif 000063